(57)【特許請求の範囲】
【請求項１】
端末であって、
第１の基地局への接続をセットアップし、常時接続モードに留まるように構成された処理モジュールであって、前記常時接続モードは、前記第１の基地局への前記接続を常に維持する、処理モジュールと、
前記第１の基地局により送信された第１の専用シグナリングを受信するように構成された受信モジュールであって、前記第１の専用シグナリングは、第２の基地局リスト情報を含み、前記第２の基地局リスト情報は、前記端末のコンテキスト情報を有する各第２の基地局に関する情報を含む、受信モジュールと、
前記第２の基地局リスト情報に従って、前記第１の基地局および／または前記第２の基地局を介してデータ伝送を行うように構成された送信モジュールと
を備えることを特徴とする端末。
【請求項２】
前記処理モジュールが、前記第１の基地局への接続をセットアップし、前記常時接続モードに留まるように構成されることは、
前記処理モジュールが、予め設定された時間内に前記第１の基地局への前記接続を常に維持するように構成されることを特に含むことを特徴とする請求項１に記載の端末。
【請求項３】
前記処理モジュールが、前記第１の基地局への前記接続をセットアップし、常時接続モードに留まるように構成される前に、前記処理モジュールは、
アクセス周波数情報を取得し、前記アクセス周波数情報に対応する接続モードが前記常時接続モードであるかどうかを決定するようにさらに構成されることを特徴とする請求項１に記載の端末。
【請求項４】
前記処理モジュールが、前記第１の基地局への接続をセットアップするように構成されることは、
前記処理モジュールが、第１の標識メッセージを前記第１の基地局に送信し、前記第１の標識メッセージは、前記常時接続モードで動作することを受け入れるように要求するかどうかに関する標識情報を搬送し、
前記第１の標識メッセージに応じて前記第１の基地局により送信された接続構成情報を受信し、前記接続構成情報は、前記端末を前記常時接続モードで動作するように構成するかどうかを含むように構成されることを特に含むことを特徴とする請求項１乃至３のいずれか一項に記載の端末。
【請求項５】
前記処理モジュールは、
前記第１の基地局および／または前記第２の基地局を介してデータ伝送を行うのを停止した後、常時接続モードで動作することを継続し、前記第１の基地局への前記接続をセットアップするための専用構成情報を保存するようにさらに構成されることを特徴とする請求項１に記載の端末。
【請求項６】
前記処理モジュールは、
アップリンク同期タイマを保持するのを停止し、または
アップリンク同期タイマが満了した後に前記アップリンク同期タイマを保持するのを停止する
ようにさらに構成されることを特徴とする請求項５に記載の端末。
【請求項７】
前記受信モジュールは、
前記第１の基地局により送信されたデフォルト構成情報を受信するようにさらに構成され、前記デフォルト構成情報は、前記端末が各第２の基地局と初期データ伝送を行うときに使用される構成情報であり、
前記送信モジュールが、前記第２の基地局リスト情報に従って、前記第１の基地局および／または前記第２の基地局を介してデータ伝送を行うように構成されることは、
前記送信モジュールが、前記第２の基地局リスト情報および前記デフォルト構成情報に従って、前記端末の前記コンテキスト情報を有する第２の基地局を介してデータ伝送を行うように構成されることを特に含む
ことを特徴とする請求項１に記載の端末。
【請求項８】
前記受信モジュールは、
前記第１の基地局により送信された測定構成情報を受信し、前記測定構成情報に従って、各基地局に対応する周波数レイヤの測定構成を完了するようにさらに構成され、前記基地局は、前記第１の基地局および前記第２の基地局を含み、前記第２の基地局は、マスタの第２の基地局および二次的な第２の基地局を含むことを特徴とする請求項１に記載の端末。
【請求項９】
前記測定構成情報は、
前記第１の基地局のみに対応する周波数レイヤを測定すること、または
前記第１の基地局および前記マスタの第２の基地局のみに対応する周波数レイヤを測定すること、または
前記第１の基地局、前記マスタの第２の基地局、および前記二次的な第２の基地局のすべてに対応する周波数レイヤを測定すること
を含むことを特徴とする請求項８に記載の端末。
【請求項１０】
前記受信モジュールは、
前記第１の基地局により送信された測定構成パラメータ情報を受信し、前記測定構成パラメータ情報に従って、各基地局に対応する周波数レイヤの測定管理を完了するようにさらに構成され、前記基地局は、前記第１の基地局および前記第２の基地局を含み、前記第２の基地局は、マスタの第２の基地局および二次的な第２の基地局を含み、
前記測定構成パラメータ情報は、前記第１の基地局に対応する周波数レイヤの測定構成パラメータ、前記マスタの第２の基地局に対応する周波数レイヤの測定構成パラメータ、または前記二次的な第２の基地局に対応する周波数レイヤの測定構成パラメータのうちの少なくとも１つを含む
ことを特徴とする請求項１に記載の端末。
【請求項１１】
前記受信モジュールは、
現在サービングしている第１の基地局により送信されたハンドオーバコマンドメッセージを受信するようにさらに構成され、前記ハンドオーバコマンドメッセージは、ターゲットとする第１の基地局により制御され前記端末の前記コンテキスト情報を有する各第２の基地局に関する情報を含み、前記現在サービングしている第１の基地局は、前記端末とのデータ伝送を現在行っている前記第１の基地局であり、前記ターゲットとする第１の基地局は、前記現在サービングしている第１の基地局から前記端末がハンドオーバされるターゲットとする第１の基地局であることを特徴とする請求項１に記載の端末。
【請求項１２】
前記送信モジュールは、
ネットワークにおける各第１の基地局を測定し、各第１の基地局の測定結果を取得し、前記第１の基地局は、現在サービングしている第１の基地局、および隣接する第１の基地局を含み、
前記測定結果に従って、ターゲットとする第１の基地局を決定し、前記ターゲットとする第１の基地局は、前記現在サービングしている第１の基地局から前記端末がハンドオーバされるターゲットとする第１の基地局であり、
ハンドオーバ要求メッセージを前記ターゲットとする第１の基地局に送信し、前記ハンドオーバ要求メッセージは、前記現在サービングしている第１の基地局に関する情報、および第２の基地局候補に関する情報を含むようにさらに構成され、前記第２の基地局候補は、前記ターゲットとする第１の基地局によって制御されまたは前記ターゲットとする第１の基地局に接続され、前記端末に対するサービスを提供できる、第２の基地局であることを特徴とする請求項１に記載の端末。
【請求項１３】
前記送信モジュールは、
ネットワークにおける各第１の基地局を測定し、各第１の基地局の測定結果を取得し、前記第１の基地局は、現在サービングしている第１の基地局、および隣接する第１の基地局を含み、
前記測定結果に従って、ターゲットとする第１の基地局を決定し、前記ターゲットとする第１の基地局は、前記現在サービングしている第１の基地局から前記端末がハンドオーバされるターゲットとする第１の基地局であり、
ハンドオーバ要求メッセージを前記現在サービングしている第１の基地局に送信し、前記ハンドオーバ要求メッセージは、前記ターゲットとする第１の基地局へハンドオーバされるように要求することに関する情報を含み、
現在サービングしている第１の基地局により送信されたハンドオーバコマンドメッセージを受信するようにさらに構成されることを特徴とする請求項１に記載の端末。
【請求項１４】
前記コンテキスト情報を有する前記第２の基地局の前記リスト情報に従って、前記第１の基地局および／または前記第２の基地局を介してデータ伝送を行うように構成される前に、前記送信モジュールは、
前記第１の基地局との第１のセキュリティメカニズムをセットアップし、前記第２の基地局との第２のセキュリティメカニズムをセットアップするようにさらに構成されることを特徴とする請求項１に記載の端末。
【請求項１５】
前記送信モジュールが、前記第２の基地局との第２のセキュリティメカニズムをセットアップするように構成されることは、
前記送信モジュールが、前記第１の基地局により送信された前記第２の基地局リスト情報およびセキュリティアルゴリズム情報を受信し、前記第２の基地局リスト情報は、前記コンテキスト情報を有する各第２の基地局に関する前記情報を含み、前記セキュリティアルゴリズム情報は、前記第２の基地局リストに含まれる各第２の基地局に対応するセキュリティアルゴリズム情報を含み、
前記第２の基地局リストから少なくとも１つの第２の基地局を選択し、前記少なくとも１つの第２の基地局に対応するセキュリティインデックス、および前記セキュリティアルゴリズム情報に従って、各第２の基地局に対応する暗号化キーおよび／または完全性保護キーを取得するように構成されることを含み、
前記第２の基地局は、前記セキュリティインデックスに１対１で対応することを特徴とする請求項１４に記載の端末。
【請求項１６】
前記第１のセキュリティメカニズムおよび前記第２のセキュリティメカニズムは互いに関連付けられ、
前記送信モジュールが、前記少なくとも１つの第２の基地局に対応するセキュリティインデックス、および前記セキュリティアルゴリズム情報に従って、各第２の基地局に対応する暗号化キーおよび／または完全性保護キーを取得するように構成されることは、
前記送信モジュールが、
前記少なくとも１つの第２の基地局に対応する前記セキュリティインデックスに従って、前記少なくとも１つのセキュリティインデックスに対応するセキュリティキーおよび動的カウントを取得し、前記セキュリティキーに従う計算によって、対応するルートキーを取得し、
前記ルートキーを使用することによって、前記第２の基地局に対応する中間キーを取得し、
前記中間キーおよび前記動的カウントに従って、関連付けられた中間キーを取得し、
前記関連付けられた中間キー、および前記第２の基地局に対応する前記セキュリティアルゴリズム情報に従って、前記第２の基地局に対応する前記暗号化キーおよび／または前記完全性保護キーを取得する
ように構成されることを含むことを特徴とする請求項１５に記載の端末。
【請求項１７】
第１の基地局として使用される基地局であって、
端末への接続をセットアップし、常時接続モードに留まるように構成された処理モジュールであって、前記常時接続モードは、前記端末への前記接続を常に維持する、処理モジュールと、
第１の専用シグナリングを前記端末に送信するように構成された送信モジュールであって、前記第１の専用シグナリングは、第２の基地局リスト情報を含み、前記第２の基地局リスト情報は、前記端末のコンテキスト情報を有する各第２の基地局に関する情報を含み、
前記端末とのデータ伝送を行うように構成された送信モジュールと
を備えることを特徴とする基地局。
【請求項１８】
前記第１の基地局が、端末への接続をセットアップし、常時接続モードに留まることは、
前記第１の基地局が、予め設定された時間内に前記端末への前記接続を常に維持することを含むことを特徴とする請求項１７に記載の基地局。
【請求項１９】
前記端末への前記接続をセットアップし、常時接続モードに留まるように構成される前に、前記送信モジュールは、
専用メッセージを前記端末に送信するようにさらに構成され、前記専用メッセージは、前記常時接続モードで動作するかどうかを前記端末に命令する命令情報を搬送する、または
前記端末により送信された第１の標識メッセージであって前記端末が前記常時接続モードで動作することを要求するかどうかに関する標識情報を搬送する前記第１の標識メッセージを受信し、前記第１の標識メッセージに従って、前記常時接続モードで動作するように前記端末を構成するかどうかを決定するようにさらに構成される、または
前記端末により送信されたランダムアクセスプリアンブルを受信した後、ランダムアクセス応答メッセージを前記端末に送信するようにさらに構成され、前記ランダムアクセス応答メッセージは、前記常時接続モードで動作するかどうかを前記端末に命令する命令情報を搬送し、それにより、前記端末が、前記ランダムアクセス応答メッセージに従って、前記常時接続モードで動作するかどうかを決定する、または
前記端末により送信された接続セットアップ要求メッセージを受信した後、接続セットアップ応答メッセージを前記端末に送信するようにさらに構成され、前記接続セットアップ応答メッセージは、前記常時接続モードで動作するかどうかを前記端末に命令する命令情報を搬送する、または
前記端末により送信された接続セットアップ要求メッセージを受信した後、専用メッセージを前記端末に送信するようにさらに構成され、前記専用メッセージは、前記常時接続モードで動作するかどうかを前記端末に命令する命令情報を搬送する
ことを特徴とする請求項１７に記載の基地局。
【請求項２０】
前記送信モジュールは、
第２の基地局リスト更新メッセージを生成し、前記第２の基地局リスト更新メッセージを前記端末に送信するようにさらに構成され、前記第２の基地局リスト更新メッセージは、更新された第２の基地局リスト情報を含み、それにより、前記端末が、前記第２の基地局リスト更新メッセージに従って前記第２の基地局リスト情報を更新することを特徴とする請求項１７に記載の基地局。
【請求項２１】
前記送信モジュールは、
デフォルト構成情報を前記端末および各第２の基地局に別個に送信するようにさらに構成され、前記デフォルト構成情報は、サービスタイプ、サービスのサービス品質ＱｏＳ、またはベアラタイプに関連付けられ、前記デフォルト構成情報は、前記端末が各第２の基地局と初期データ伝送を行うときに使用される構成情報であることを特徴とする請求項１７に記載の基地局。
【請求項２２】
前記送信モジュールは、
第２の基地局リスト更新メッセージを前記端末に送信するようにさらに構成され、それにより、前記端末が、前記第２の基地局リスト更新メッセージに従って前記第２の基地局リスト情報を更新し、更新された第２の基地局リスト情報および前記デフォルト構成情報を使用することによって、前記端末の前記コンテキスト情報を有する第２の基地局を介して初期データ伝送を行うことを特徴とする請求項２１に記載の基地局。
【請求項２３】
前記送信モジュールは、
測定構成情報を前記端末に送信するようにさらに構成され、前記測定構成情報は、各基地局に対応する周波数レイヤの測定構成情報を含み、前記基地局は、前記第１の基地局または前記第２の基地局のうちの少なくとも１つを含み、前記第２の基地局は、マスタの第２の基地局および二次的な第２の基地局を含むことを特徴とする請求項１７に記載の基地局。
【請求項２４】
前記送信モジュールは、
測定構成パラメータ情報を前記端末に送信するようにさらに構成され、前記測定構成パラメータ情報は、前記第１の基地局に対応する周波数レイヤの測定構成パラメータ、マスタの第２の基地局に対応する周波数レイヤの測定構成パラメータ、または二次的な第２の基地局に対応する周波数レイヤの測定構成パラメータのうちの少なくとも１つを含むことを特徴とする請求項１７に記載の基地局。
【請求項２５】
前記送信モジュールは、
前記端末との第１のセキュリティメカニズムをセットアップし、前記端末との第２のセキュリティメカニズムを前記第２の基地局がセットアップするのを助けるようにさらに構成されることを特徴とする請求項１７に記載の基地局。
【請求項２６】
前記第１のセキュリティメカニズムおよび前記第２のセキュリティメカニズムは互いに関連付けられ、前記送信モジュールが、前記端末との第２のセキュリティメカニズムを前記第２の基地局がセットアップするのを助けるように構成されることは、
前記送信モジュールが、
少なくとも１つの第２の基地局に対応するセキュリティインデックスに従って、前記少なくとも１つのセキュリティインデックスに対応するセキュリティキーを取得し、前記セキュリティキーに従う計算によって、対応するルートキーを取得し、
前記ルートキー、および前記第２の基地局に対応する一意のカウントを使用することによって、前記第２の基地局に対応する中間キーを取得し、
前記第２の基地局に対応する前記中間キーを前記第２の基地局に送信する
ように構成され、前記セキュリティインデックスは、前記第２の基地局に１対１で対応する
ことを含むことを特徴とする請求項２５に記載の基地局。
【請求項２７】
現在サービングしている第１の基地局として使用される基地局であって、
端末への接続をセットアップし、常時接続モードに留まるように構成された処理モジュールであって、前記常時接続モードは、前記端末への前記接続を常に維持する、処理モジュールと、
第１の専用シグナリングを前記端末に送信するように構成された送信モジュールであって、前記第１の専用シグナリングは、第２の基地局リスト情報を含み、前記第２の基地局リスト情報は、前記端末のコンテキスト情報を有する各第２の基地局に関する情報を含み、
前記端末とのデータ伝送を行うように構成された送信モジュールと
を備えることを特徴とする基地局。
【請求項２８】
前記送信モジュールは、
ハンドオーバコマンドメッセージを前記端末に送信するようにさらに構成され、前記ハンドオーバコマンドメッセージは、ターゲットとする第１の基地局により制御され前記端末の前記コンテキスト情報を有する各第２の基地局に関する情報を含み、前記ターゲットとする第１の基地局は、前記現在サービングしている第１の基地局から前記端末がハンドオーバされるターゲットとする第１の基地局であることを特徴とする請求項２７に記載の基地局。
【請求項２９】
前記ハンドオーバコマンドメッセージを前記端末に送信するように構成される前に、前記送信モジュールは、
前記端末により送信された第１のハンドオーバ要求メッセージを受信するようにさらに構成され、前記第１のハンドオーバ要求メッセージは、前記ターゲットとする第１の基地局に関する情報を含むことを特徴とする請求項２８に記載の基地局。
【請求項３０】
前記送信モジュールは、
第２のハンドオーバ要求メッセージを前記ターゲットとする第１の基地局に送信するようにさらに構成され、前記第２のハンドオーバ要求メッセージは、前記端末の前記コンテキスト情報、および前記端末の前記コンテキスト情報を現在有する各第２の基地局に関する前記情報を含むことを特徴とする請求項２８に記載の基地局。
【請求項３１】
端末によって、第１の基地局への接続をセットアップし、常時接続モードに留まるステップであって、前記常時接続モードは、前記第１の基地局への前記接続を常に維持する、ステップと、
前記端末によって、前記第１の基地局により送信された第１の専用シグナリングを受信するステップであって、前記第１の専用シグナリングは、第２の基地局リスト情報を含み、前記第２の基地局リスト情報は、前記端末のコンテキスト情報を有する各第２の基地局に関する情報を含む、ステップと、
前記端末によって、前記第２の基地局リスト情報に従って、前記第１の基地局および／または前記第２の基地局を介してデータ伝送を行うステップと
を含むことを特徴とするワイヤレス通信方法。
【請求項３２】
端末によって、第１の基地局への接続をセットアップし、常時接続モードに留まる前記ステップは、
前記端末によって、予め設定された時間内に前記第１の基地局への前記接続を常に維持するステップを含むことを特徴とする請求項３１に記載の方法。
【請求項３３】
端末によって、第１の基地局への接続をセットアップし、常時接続モードに留まる前記ステップの前に、前記方法は、
前記端末によって、アクセス周波数情報を取得し、前記アクセス周波数情報に対応する接続モードが前記常時接続モードであるかどうかを決定するステップをさらに含むことを特徴とする請求項３１に記載の方法。
【請求項３４】
前記第１の基地局への接続をセットアップする前記ステップは、
第１の標識メッセージを前記第１の基地局に送信するステップであって、前記第１の標識メッセージは、前記常時接続モードで動作することを受け入れるように要求するかどうかに関する標識情報を搬送する、ステップと、
前記第１の標識メッセージに応じて前記第１の基地局により送信された接続構成情報を受信するステップであって、前記接続構成情報は、前記端末を前記常時接続モードで動作するように構成するかどうかを含む、ステップと
を含むことを特徴とする請求項３１乃至３３のいずれか一項に記載の方法。
【請求項３５】
前記方法は、
前記端末が前記第１の基地局および／または前記第２の基地局を介してデータ伝送を行うのを停止した後、常時接続モードで動作することを継続し、前記第１の基地局への前記接続をセットアップするための専用構成情報を保存するステップをさらに含むことを特徴とする請求項３１に記載の方法。
【請求項３６】
前記方法は、
前記端末によって、アップリンク同期タイマを保持するのを停止するステップ、または
アップリンク同期タイマが満了した後に、前記端末によって、前記アップリンク同期タイマを保持するのを停止するステップ
をさらに含むことを特徴とする請求項３５に記載の方法。
【請求項３７】
前記方法は、
前記第１の基地局により送信されたデフォルト構成情報を受信するステップであって、前記デフォルト構成情報は、前記端末が各第２の基地局と初期データ伝送を行うときに使用される構成情報である、ステップをさらに含み、
前記端末によって、前記第２の基地局リスト情報に従って、前記第１の基地局および／または前記第２の基地局を介してデータ伝送を行う前記ステップは、
前記端末によって、前記第２の基地局リスト情報および前記デフォルト構成情報に従って、前記端末の前記コンテキスト情報を有する第２の基地局を介してデータ伝送を行うステップを含む
ことを特徴とする請求項３１に記載の方法。
【請求項３８】
前記方法は、
前記第１の基地局により送信された測定構成情報を受信し、前記測定構成情報に従って、各基地局に対応する周波数レイヤの測定構成を完了するステップをさらに含み、前記基地局は、前記第１の基地局および前記第２の基地局を含み、前記第２の基地局は、マスタの第２の基地局および二次的な第２の基地局を含むことを特徴とする請求項３１に記載の方法。
【請求項３９】
前記測定構成情報は、
前記第１の基地局のみに対応する周波数レイヤを測定すること、または
前記第１の基地局および前記マスタの第２の基地局のみに対応する周波数レイヤを測定すること、または
前記第１の基地局、前記マスタの第２の基地局、および前記二次的な第２の基地局のすべてに対応する周波数レイヤを測定すること
を含むことを特徴とする請求項３８に記載の方法。
【請求項４０】
前記方法は、
前記第１の基地局により送信された測定構成パラメータ情報を受信し、前記測定構成パラメータ情報に従って、各基地局に対応する周波数レイヤの測定管理を完了するステップをさらに含み、前記基地局は、前記第１の基地局および前記第２の基地局を含み、前記第２の基地局は、マスタの第２の基地局および二次的な第２の基地局を含み、
前記測定構成パラメータ情報は、前記第１の基地局に対応する周波数レイヤの測定構成パラメータ、前記マスタの第２の基地局に対応する周波数レイヤの測定構成パラメータ、または前記二次的な第２の基地局に対応する周波数レイヤの測定構成パラメータのうちの少なくとも１つを含む
ことを特徴とする請求項３１に記載の方法。
【請求項４１】
前記方法は、
現在サービングしている第１の基地局により送信されたハンドオーバコマンドメッセージを受信するステップであって、前記ハンドオーバコマンドメッセージは、ターゲットとする第１の基地局により制御され前記端末の前記コンテキスト情報を有する各第２の基地局に関する情報を含み、前記現在サービングしている第１の基地局は、前記端末とのデータ伝送を現在行っている前記第１の基地局であり、前記ターゲットとする第１の基地局は、前記現在サービングしている第１の基地局から前記端末がハンドオーバされるターゲットとする第１の基地局である、ステップをさらに含むことを特徴とする請求項３１に記載の方法。
【請求項４２】
前記方法は、
ネットワークにおける各第１の基地局を測定し、各第１の基地局の測定結果を取得するステップであって、前記第１の基地局は、現在サービングしている第１の基地局、および隣接する第１の基地局を含む、ステップと、
前記測定結果に従って、ターゲットとする第１の基地局を決定するステップであって、前記ターゲットとする第１の基地局は、前記現在サービングしている第１の基地局から前記端末がハンドオーバされるターゲットとする第１の基地局である、ステップと、
ハンドオーバ要求メッセージを前記ターゲットとする第１の基地局に送信するステップであって、前記ハンドオーバ要求メッセージは、前記現在サービングしている第１の基地局に関する情報、および第２の基地局候補に関する情報を含み、前記第２の基地局候補は、前記ターゲットとする第１の基地局によって制御されまたは前記ターゲットとする第１の基地局に接続され、前記端末に対するサービスを提供できる、第２の基地局である、ステップと
をさらに含むことを特徴とする請求項３１に記載の方法。
【請求項４３】
前記方法は、
ネットワークにおける各第１の基地局を測定し、各第１の基地局の測定結果を取得するステップであって、前記第１の基地局は、現在サービングしている第１の基地局、および隣接する第１の基地局を含む、ステップと、
前記測定結果に従って、ターゲットとする第１の基地局を決定するステップであって、前記ターゲットとする第１の基地局は、前記現在サービングしている第１の基地局から前記端末がハンドオーバされるターゲットとする第１の基地局である、ステップと、
ハンドオーバ要求メッセージを前記現在サービングしている第１の基地局に送信するステップであって、前記ハンドオーバ要求メッセージは、前記ターゲットとする第１の基地局へハンドオーバされるように要求することに関する情報を含む、ステップと、
現在サービングしている第１の基地局により送信されたハンドオーバコマンドメッセージを受信するステップと
をさらに含むことを特徴とする請求項３１に記載の方法。
【請求項４４】
前記端末によって、前記コンテキスト情報を有する前記第２の基地局の前記リスト情報に従って、前記第１の基地局および／または前記第２の基地局を介してデータ伝送を行う前記ステップの前に、前記方法は、
前記端末によって、前記第１の基地局との第１のセキュリティメカニズムをセットアップし、前記第２の基地局との第２のセキュリティメカニズムをセットアップするステップをさらに含むことを特徴とする請求項３１に記載の方法。
【請求項４５】
前記第２の基地局との第２のセキュリティメカニズムをセットアップする前記ステップは、
前記第１の基地局により送信された前記第２の基地局リスト情報およびセキュリティアルゴリズム情報を受信するステップであって、前記第２の基地局リスト情報は、前記コンテキスト情報を有する各第２の基地局に関する前記情報を含み、前記セキュリティアルゴリズム情報は、前記第２の基地局リストに含まれる各第２の基地局に対応するセキュリティアルゴリズム情報を含む、ステップと、
前記第２の基地局リストから少なくとも１つの第２の基地局を選択し、前記少なくとも１つの第２の基地局に対応するセキュリティインデックス、および前記セキュリティアルゴリズム情報に従って、各第２の基地局に対応する暗号化キーおよび／または完全性保護キーを取得するステップと
を含み、前記第２の基地局は、前記セキュリティインデックスに１対１で対応する
ことを特徴とする請求項４４に記載の方法。
【請求項４６】
前記第１のセキュリティメカニズムおよび前記第２のセキュリティメカニズムは互いに関連付けられ、
前記少なくとも１つの第２の基地局に対応するセキュリティインデックス、および前記セキュリティアルゴリズム情報に従って、各第２の基地局に対応する暗号化キーおよび／または完全性保護キーを取得する前記ステップは、
前記少なくとも１つの第２の基地局に対応する前記セキュリティインデックスに従って、前記少なくとも１つのセキュリティインデックスに対応するセキュリティキーおよび動的カウントを取得し、前記セキュリティキーに従う計算によって、対応するルートキーを取得するステップと、
前記ルートキーを使用することによって、前記第２の基地局に対応する中間キーを取得するステップと、
前記中間キーおよび前記動的カウントに従って、関連付けられた中間キーを取得するステップと、
前記関連付けられた中間キー、および前記第２の基地局に対応する前記セキュリティアルゴリズム情報に従って、前記第２の基地局に対応する前記暗号化キーおよび／または前記完全性保護キーを取得するステップと
を含むことを特徴とする請求項４４に記載の方法。
【請求項４７】
第１の基地局によって、端末への接続をセットアップし、常時接続モードに留まるステップであって、前記常時接続モードは、前記端末への前記接続を常に維持する、ステップと、
前記第１の基地局によって、第１の専用シグナリングを前記端末に送信するステップであって、前記第１の専用シグナリングは、第２の基地局リスト情報を含み、前記第２の基地局リスト情報は、前記端末のコンテキスト情報を有する各第２の基地局に関する情報を含む、ステップと、
前記第１の基地局によって、前記端末とのデータ伝送を行うステップと
を含むことを特徴とするワイヤレス通信方法。
【請求項４８】
第１の基地局によって、端末への接続をセットアップし、常時接続モードに留まる前記ステップは、
前記第１の基地局によって、予め設定された時間内に前記端末への前記接続を常に維持するステップを含むことを特徴とする請求項４７に記載の方法。
【請求項４９】
第１の基地局によって、端末への接続をセットアップし、常時接続モードに留まる前記ステップの前に、前記方法は、
専用メッセージを前記端末に送信するステップであって、前記専用メッセージは、前記常時接続モードで動作するかどうかを前記端末に命令する命令情報を搬送する、ステップ、または
前記端末により送信された第１の標識メッセージであって前記端末が前記常時接続モードで動作することを要求するかどうかに関する標識情報を搬送する第１の標識メッセージを受信し、前記第１の標識メッセージに従って、前記常時接続モードで動作するように前記端末を構成するかどうかを決定するステップ、または
前記端末により送信されたランダムアクセスプリアンブルを受信した後、ランダムアクセス応答メッセージを前記端末に送信するステップであって、前記ランダムアクセス応答メッセージは、前記常時接続モードで動作するかどうかを前記端末に命令する命令情報を搬送し、それにより、前記端末が、前記ランダムアクセス応答メッセージに従って、前記常時接続モードで動作するかどうかを決定する、ステップ、または
前記端末により送信された接続セットアップ要求メッセージを受信した後、接続セットアップ応答メッセージを前記端末に送信するステップであって、前記接続セットアップ応答メッセージは、前記常時接続モードで動作するかどうかを前記端末に命令する命令情報を搬送する、ステップ、または
前記端末により送信された接続セットアップ要求メッセージを受信した後、専用メッセージを前記端末に送信するステップであって、前記専用メッセージは、前記常時接続モードで動作するかどうかを前記端末に命令する命令情報を搬送する、ステップ
をさらに含むことを特徴とする請求項４７に記載の方法。
【請求項５０】
前記方法は、
第２の基地局リスト更新メッセージを生成し、前記第２の基地局リスト更新メッセージを前記端末に送信するステップであって、前記第２の基地局リスト更新メッセージは、更新された第２の基地局リスト情報を含み、それにより、前記端末が、前記第２の基地局リスト更新メッセージに従って前記第２の基地局リスト情報を更新する、ステップをさらに含むことを特徴とする請求項４７に記載の方法。
【請求項５１】
前記方法は、
デフォルト構成情報を前記端末および各第２の基地局に別個に送信するステップであって、前記デフォルト構成情報は、サービスタイプ、サービスのサービス品質ＱｏＳ、またはベアラタイプに関連付けられ、前記デフォルト構成情報は、前記端末が各第２の基地局と初期データ伝送を行うときに使用される構成情報である、ステップをさらに含むことを特徴とする請求項４７に記載の方法。
【請求項５２】
前記方法は、
第２の基地局リスト更新メッセージを前記端末に送信し、それにより、前記端末が、前記第２の基地局リスト更新メッセージに従って前記第２の基地局リスト情報を更新し、更新された第２の基地局リスト情報および前記デフォルト構成情報を使用することによって、前記端末の前記コンテキスト情報を有する第２の基地局を介して初期データ伝送を行う、ステップをさらに含むことを特徴とする請求項５１に記載の方法。
【請求項５３】
前記方法は、
測定構成情報を前記端末に送信するステップであって、前記測定構成情報は、各基地局に対応する周波数レイヤの測定構成情報を含み、前記基地局は、前記第１の基地局または前記第２の基地局のうちの少なくとも１つを含み、前記第２の基地局は、マスタの第２の基地局および二次的な第２の基地局を含む、ステップをさらに含むことを特徴とする請求項４７に記載の方法。
【請求項５４】
前記方法は、
測定構成パラメータ情報を前記端末に送信するステップであって、前記測定構成パラメータ情報は、前記第１の基地局に対応する周波数レイヤの測定構成パラメータ、マスタの第２の基地局に対応する周波数レイヤの測定構成パラメータ、または二次的な第２の基地局に対応する周波数レイヤの測定構成パラメータのうちの少なくとも１つを含む、ステップをさらに含むことを特徴とする請求項４７に記載の方法。
【請求項５５】
前記方法は、
前記第１の基地局によって、前記端末との第１のセキュリティメカニズムをセットアップし、前記端末との第２のセキュリティメカニズムを前記第２の基地局がセットアップするのを助けるステップをさらに含むことを特徴とする請求項４７に記載の方法。
【請求項５６】
前記第１のセキュリティメカニズムおよび前記第２のセキュリティメカニズムは互いに関連付けられ、前記端末との第２のセキュリティメカニズムを前記第２の基地局がセットアップするのを助ける前記ステップは、
少なくとも１つの第２の基地局に対応するセキュリティインデックスに従って、前記少なくとも１つのセキュリティインデックスに対応するセキュリティキーを取得し、前記セキュリティキーに従う計算によって、対応するルートキーを取得するステップと、
前記ルートキー、および前記第２の基地局に対応する一意のカウントを使用することによって、前記第２の基地局に対応する中間キーを取得するステップと、
前記第２の基地局に対応する前記中間キーを前記第２の基地局に送信するステップと
を含み、前記セキュリティインデックスは、前記第２の基地局に１対１で対応する
ことを特徴とする請求項５５に記載の方法。
【請求項５７】
現在サービングしている第１の基地局によって、端末への接続をセットアップし、常時接続モードに留まるステップであって、前記常時接続モードは、前記端末への前記接続を常に維持する、ステップと、
前記現在サービングしている第１の基地局によって、第１の専用シグナリングを前記端末に送信するステップであって、前記第１の専用シグナリングは、第２の基地局リスト情報を含み、前記第２の基地局リスト情報は、前記端末のコンテキスト情報を有する各第２の基地局に関する情報を含む、ステップと、
前記現在サービングしている第１の基地局によって、前記端末とのデータ伝送を行うステップと
を含むことを特徴とするワイヤレス通信方法。
【請求項５８】
前記方法は、
前記現在サービングしている第１の基地局によって、ハンドオーバコマンドメッセージを前記端末に送信するステップであって、前記ハンドオーバコマンドメッセージは、ターゲットとする第１の基地局により制御され前記端末の前記コンテキスト情報を有する各第２の基地局に関する情報を含み、前記ターゲットとする第１の基地局は、前記現在サービングしている第１の基地局から前記端末がハンドオーバされるターゲットとする第１の基地局である、ステップをさらに含むことを特徴とする請求項５７に記載の方法。
【請求項５９】
前記現在サービングしている第１の基地局によって、ハンドオーバコマンドメッセージを前記端末に送信する前記ステップの前に、前記方法は、
前記端末により送信された第１のハンドオーバ要求メッセージを受信するステップであって、前記第１のハンドオーバ要求メッセージは、前記ターゲットとする第１の基地局に関する情報を含む、ステップをさらに含むことを特徴とする請求項５８に記載の方法。
【請求項６０】
前記方法は、
第２のハンドオーバ要求メッセージをターゲットとする第１の基地局に送信するステップであって、前記第２のハンドオーバ要求メッセージは、前記端末の前記コンテキスト情報、および前記端末の前記コンテキスト情報を現在有する各第２の基地局に関する前記情報を含む、ステップをさらに含むことを特徴とする請求項５７に記載の方法。
【請求項６１】
端末であって、
第１の基地局への接続をセットアップし、常時接続モードに留まるように構成されたプロセッサであって、前記常時接続モードは、前記第１の基地局への前記接続を常に維持する、プロセッサと、
前記第１の基地局により送信された第１の専用シグナリングを受信するように構成された受信機であって、前記第１の専用シグナリングは、第２の基地局リスト情報を含み、前記第２の基地局リスト情報は、前記端末のコンテキスト情報を有する各第２の基地局に関する情報を含む、受信機と、
前記第２の基地局リスト情報に従って、前記第１の基地局および／または前記第２の基地局を介してデータ伝送を行うように構成された送信機と
を備えることを特徴とする端末。
【請求項６２】
第１の基地局として使用される基地局であって、
端末への接続をセットアップし、常時接続モードに留まるように構成されたプロセッサであって、前記常時接続モードは、前記端末への前記接続を常に維持する、プロセッサと、
前記端末へ第１の専用シグナリングを送信する送信機であって、前記第１の専用シグナリングは、第２の基地局リスト情報を含み、前記第２の基地局リスト情報は、前記端末のコンテキスト情報を有する各第２の基地局に関する情報を含み、
前記端末とのデータ伝送を行うように構成された、送信機と
を備えることを特徴とする基地局。
【請求項６３】
現在サービングしている第１の基地局として使用される基地局であって、
端末への接続をセットアップし、常時接続モードに留まるように構成されたプロセッサであって、前記常時接続モードは、前記端末への前記接続を常に維持する、プロセッサと、
前記端末へ第１の専用シグナリングを送信する送信機であって、前記第１の専用シグナリングは、第２の基地局リスト情報を含み、前記第２の基地局リスト情報は、前記端末のコンテキスト情報を有する各第２の基地局に関する情報を含み、
前記端末とのデータ伝送を行うように構成された、送信機と
を備えることを特徴とする基地局。
【請求項６４】
プロセッサによって実行されると、請求項３１から６０のいずれか一項に記載の方法を実行するための命令を含むことを特徴とするコンピュータ読取可能記憶媒体。
【請求項６５】
請求項３１から６０のいずれか一項に記載のステップをコンピュータに実行させることを特徴とするプログラム。
【発明の詳細な説明】
【技術分野】
【０００１】
本発明の実施形態は、通信技術に関し、特に、ワイヤレス通信方法、装置、およびシステムに関する。
【背景技術】
【０００２】
最近の見通しによれば、２０１４年の終わりには、ワイヤレスモバイルデバイスの台数が、初めて人間の数を超え、また、２０１８年の終わりには、世界で１人当たりのモバイルデバイスの台数が、１．４台に達するであろう。２０１８年におけるモバイルサービスのデータトラフィックは、おそらく、２０１３年のそれのほぼ１０倍に達するであろう。
【０００３】
モバイルインターネットアプリケーション分野では、拡張現実、仮想現実、またはリアルタイムのインタラクティブゲームなどの様々な将来のアプリケーションが、ユーザエクスペリエンスをより高いレベルに高めることになる。これは、伝送ネットワークのレートに、より高い要件を課す。一方、モバイル教育、モバイルヘルス、およびドライバーレスカーの出現は、将来のワイヤレス通信の遅延および信頼性に、より大きな課題を課すことになる。ワイヤレス通信の新しいアプリケーションが、絶えず出現し、ますます重要になってくるにつれて、伝送ネットワークが、絶え間ない進化を通して効果的なサポートを提供することも間違いなく必要である。
【０００４】
モバイルインターネットサービスの開発要件をよりよく満たすために、第５世代モバイル通信技術（略して５Ｇ）ネットワークが、現在のワイヤレス通信ネットワークの研究の注目の話題になりつつある。５Ｇは、２０２０年以降の年に向けられたワイヤレス通信システムである。したがって、５Ｇ設計要件に関して、より挑戦的な目標が、２０２０年以降のモバイルサービスの開発要件をサポートするように定められる必要がある。現在、５Ｇサービス要件およびターゲットとする設計に関して、データトラフィック目標が、現在のデータトラフィックの１０００倍に従って設計される。サポートすることができる端末デバイスの台数に関して、挑戦的な目標は、端末デバイスの現在の台数の１００倍をサポートすることにある。また、端末の通常のデータレートも、１００倍の目標に近づくことが必要とされる。このようなハイパフォーマンスへの挑戦に加え、いくつかの特別なサービスの要件を満たすために、ゼロ遅延、または現在の遅延と比べた超低遅延が、さらに必要とされる。
【０００５】
一言で言えば、５Ｇのパフォーマンスは、第４世代モバイル通信技術（略して４Ｇ）のそれよりもはるかに高い。５Ｇは、０．１Ｇｂｐｓから１Ｇｂｐｓのユーザ知覚のレートをサポートし、また、１平方キロメートル当たり１００万個の接続数の密度、数ミリ秒のエンドツーエンド遅延、１平方キロメートル当たり数十Ｔｂｐｓのトラフィック密度、１時間当たり５００ｋｍより高いモビリティ、および数十Ｇｂｐｓのピークレートを有する。さらに、５Ｇ時代のネットワークの配備および作動効率が著しく高められ、スペクトル効率が、４Ｇに対して５から１５倍に高められ、また、エネルギー効率およびコスト効率が、１００倍を超えるまで高められる。上記の態様における設計要件を満たすために、スモールセルまたはスモールセル基地局が、より密に配備され、いわゆる超高密度ネットワーク（Ｕｌｔｒａ  Ｄｅｎｓｅ  Ｎｅｔｗｏｒｋ、略してＵＤＮ）を形成する。
【０００６】
ＵＤＮネットワークでは、ネットワークによってサポートされるレートを提供するために、多数のスモールセル基地局が配備される。ネットワークにスモールセル基地局がより多く配備されるにつれ、ユーザ機器（Ｕｓｅｒ  Ｅｑｕｉｐｍｅｎｔ、略してＵＥ）が高密度ネットワーク内で移動するときに、セル変更が頻繁に起こる。しかしながら、各セル変更プロセスは、ＵＥと進化型ノードＢ（ｅＵＴＲＡＮ  ＮｏｄｅＢ、略してｅＮＢ）との間、ＵＥとコアネットワークデバイス（ＭＭＥやＳ−ＧＷなど）との間、およびｅＮＢとコアネットワークデバイスとの間のシグナリング相互作用プロセスに関するものであり得る。セル変更プロセスの増加に従って、関連したシグナリングの数も増加する。とりわけ、インテリジェント端末が、様々な新しいサービスの導入および使用により、より多くのサービスをサポートする場合、様々なサービスの頻繁なサービスセットアップおよび解放プロセスももたらされ、各サービスセットアップおよび解放プロセスがまた、シグナリングを増加させる。一方、多数の機械型デバイスの導入、たとえば、インテリジェントカーおよびその他の機械型デバイスの台数の増加により、ネットワークは、多数の小さなデータパケットを頻繁に伝送する必要がある。小さなデータパケットを毎回伝送するために、サービスセットアップおよび解放プロセスが行われる必要がある。これはまた、シグナリング読み込みを増加させ、したがって、小さなデータパケットが伝送されるたびに、多数のリソースが消費される。
【０００７】
本来、ブロードキャストおよびテレビサービス用に使用されるいくつかの極超短波（Ｕｌｔｒａ  Ｈｉｇｈ  Ｆｒｅｑｕｅｎｃｙ、略してＵＨＦ）帯域（たとえば、７００ＭＨｚ周波数帯域）が、モバイルオペレータに割り当てられ、広カバレッジを特徴とするプレミアムスペクトルリソースは、モバイル通信に画期的な影響を及ぼす。したがって、いくつかのＵＨＦ周波数帯域またはその他のより低い周波数帯域がモバイルサービスに割り当てられる場合、どのようにこれらのスペクトルリソースを正しく使用し、スペクトルリソースの特徴を十分に発揮させるかが、また、非常に重大な問題である。
【０００８】
従来のロングタームエボリューション（Ｌｏｎｇ  Ｔｅｒｍ  Ｅｖｏｌｕｔｉｏｎ、略してＬＴＥ）技術は、ＵＥがネットワークにアクセスするたびに、ｅＮＢは、最初に、無線リソース制御（Ｒａｄｉｏ  Ｒｅｓｏｕｒｃｅ  Ｃｏｎｔｒｏｌ、略してＲＲＣ）接続をセットアップし、次に、モビリティ管理エンティティ（Ｍｏｂｉｌｉｔｙ  Ｍａｎａｇｅｍｅｎｔ  Ｅｎｔｉｔｙ、略してＭＭＥ）およびサービングゲートウェイ（Ｓｅｒｖｉｎｇ  Ｇａｔｅｗａｙ、略してＳ−ＧＷ）への非アクセス層（Ｎｏｎ−Ａｃｃｅｓｓ  Ｓｔｒａｔｕｍ、略してＮＡＳ）接続をセットアップする必要がある。ネットワークがサービスをＵＥに伝送する必要がある場合、最初に、ＭＭＥは、ページング通知を、ページングエリアまたはトラッキングエリア内の基地局に配信し、次に、ページングエリアまたはトラッキングエリア内の基地局は、ページングメッセージをＵＥに送信する。上記のスモールセルネットワークでは、とりわけ高密度配備の状況では、マクロネットワークは、多数のスモールセルが担当範囲である。ＵＥが、中程度または高い移動速度で移動する場合、サービングセルが頻繁に変わり、各セル変更プロセスは、セル測定、セル測定結果報告、およびセルハンドオーバコマンドに関する。さらに、セルハンドオーバプロセスは、ｅＮＢと、ＭＭＥまたはＳ−ＧＷなどのコアネットワークのネットワークエレメントとの間のシグナリング相互作用プロセスにさらに関する。
【０００９】
様々な将来のサービスをセットアップ、解放するプロセスでは、ＵＥは、ネットワーク接続を頻繁に、セットアップ、解放し、またＵＥは、毎回ネットワークにアクセスするのに長い時間が掛かる。セルネットワークがより密に配備されるにつれ、セル変更が、より頻繁に起こり、結果として、セル変更に関連したシグナリングが、突然増加する。
【００１０】
さらに、多数のスモールセル基地局がネットワークに配備されるので、ページングエリア内の基地局数は、非常に多い。従来のページングメカニズムに従うこと、すなわち、ページングメッセージをページングエリア内のすべての基地局に配信することがまた、ページングシグナリングを突然に増加させ、したがって、ページング読み込みの増加により、スモールセル基地局のコストも上がる。さらに、従来のＬＴＥ技術における遅延が長い。たとえば、ＵＥがネットワークにアクセスするたびに、８０ｍｓ＋２Ｔ＿Ｓ１が掛かる。Ｔ＿Ｓ１は、一般に、２０ｍｓから１００ｍｓの範囲であり、したがって、ＵＥの遅延は、おおよそ１００ｍｓから１８０ｍｓである。
【発明の概要】
【００１１】
本発明の実施形態は、ワイヤレス通信方法、装置、およびシステムを提供して、端末が高密度ネットワーク内を移動するときの頻繁なシグナリング相互作用を減少させる。
【００１２】
第１の態様によれば、本発明の実施形態は、端末であって、
第１の基地局への接続をセットアップし、常時接続モードに留まるように構成された処理モジュールであって、常時接続モードは、第１の基地局への接続を常に維持する、処理モジュールと、
第１の基地局により送信された第１の専用シグナリングを受信するように構成された受信モジュールであって、第１の専用シグナリングは、第２の基地局リスト情報を含み、第２の基地局リスト情報は、端末のコンテキスト情報を有する各第２の基地局に関する情報を含む、受信モジュールと、
第２の基地局リスト情報に従って、第１の基地局および／または第２の基地局を介してデータ伝送を行うように構成された送信モジュールと
を備える端末を提供する。
【００１３】
第１の態様を参照して、第１の態様の第１の可能な実装様式では、処理モジュールが、第１の基地局への接続をセットアップし、常時接続モードに留まるように構成されることは、
処理モジュールが、予め設定された時間内に第１の基地局への接続を常に維持するように構成されることを特に含む。
【００１４】
第１の態様、または第１の態様の第１の可能な実装様式を参照して、第１の態様の第２の可能な実装様式では、送信モジュールが、第１の基地局を介してデータ伝送を行うように構成されることは、
送信モジュールが、第１の基地局を介する制御シグナリング伝送のみを行うように構成されること、または
送信モジュールが、第１の基地局を介するダウンリンクデータ伝送のみを行うように構成されること、または
送信モジュールが、第１の基地局を介するダウンリンク制御シグナリング伝送のみを行うように構成されること
を含む。
【００１５】
第１の態様を参照して、第１の態様の第３の可能な実装様式では、処理モジュールが、第１の基地局への接続をセットアップし、常時接続モードに留まるように構成される前に、処理モジュールは、
アクセス周波数情報を取得し、アクセス周波数情報に対応する接続モードが常時接続モードであるかどうかを決定するようにさらに構成される。
【００１６】
第１の態様の第３の可能な実装様式を参照して、第１の態様の第４の可能な実装様式では、処理モジュールが、アクセス周波数情報を取得し、アクセス周波数情報に対応する接続モードが常時接続モードであるかどうかを決定するように構成されることは、
処理モジュールが、第１の基地局により送信されたシステム情報を受信し、システム情報から、アクセス周波数情報に対応する接続モードが常時接続モードであるかどうかを取得するように構成されること、または
処理モジュールが、予め設定された構成情報から、アクセス周波数情報に対応する接続モードが常時接続モードであるかどうかを取得するように構成されること
を特に含む。
【００１７】
第１の態様の第３または第４の可能な実装様式を参照して、第１の態様の第５の可能な実装様式では、処理モジュールは、アクセス周波数情報に対応する接続モードが常時接続モードである場合、アクセスを行うために、アクセス周波数情報に対応する第１の基地局を選択するようにさらに構成される。
【００１８】
第１の態様、または第１の態様の第１乃至第５の可能な実装様式のいずれか１つを参照して、第１の態様の第６の可能な実装様式では、受信モジュールは、第１の基地局により送信されたスケジューリング情報を受信するようにさらに構成される。
【００１９】
第１の態様、または第１の態様の第１乃至第５の可能な実装様式のいずれか１つを参照して、第１の態様の第７の可能な実装様式では、処理モジュールが、第１の基地局への接続をセットアップするように構成されることは、
処理モジュールが、
第１の標識メッセージを第１の基地局に送信することであって、第１の標識メッセージは、常時接続モードで動作することを受け入れるように要求するかどうかに関する標識情報を搬送する、送信することと、
第１の標識メッセージに応じて第１の基地局により送信された接続構成情報を受信することであって、接続構成情報は、端末を常時接続モードで動作するように構成するかどうかを含む、受信することと
を行うように構成されることを特に含む。
【００２０】
第１の態様の第７の可能な実装様式を参照して、第１の態様の第８の可能な実装様式では、第１の標識メッセージは、
ランダムアクセスメッセージ３または接続セットアップ要求メッセージを含む。
【００２１】
第１の態様、または第１の態様の第１乃至第８の可能な実装様式のいずれか１つを参照して、第１の態様の第９の可能な実装様式では、処理モジュールが、第１の基地局への接続をセットアップし、常時接続モードに留まるように構成されることは、
処理モジュールが、何らかのサービス要件が現在存在するかどうかを決定し、サービス要件が現在存在しない場合、第１の基地局との接続された状態を維持し、常時接続モードに留まり、または
サービス要件が現在存在する場合、対応するベアラをセットアップするように第１の基地局に要求し、ベアラを使用することによってデータ伝送を行うように構成されること
を特に含む。
【００２２】
第１の態様の第９の可能な実装様式を参照して、第１の態様の第１０の可能な実装様式では、処理モジュールが、サービス要件が現在存在しない場合、第１の基地局との接続された状態を維持するように構成されることは、
処理モジュールが、サービス要件が現在存在しない場合、第１の基地局により送信されたスケジューリング情報を受信し続けるように構成されることを特に含む。
【００２３】
第１の態様の第１０の可能な実装様式を参照して、第１の態様の第１１の可能な実装様式では、受信モジュールは、第１の基地局により構成された間欠受信周期を受信するようにさらに構成され、
処理モジュールが、第１の基地局により送信されたスケジューリング情報を受信し続けるように構成されることは、
処理モジュールが、間欠受信周期のアクティブ時間内に、第１の基地局により送信されたスケジューリング情報を受信するように構成されることを特に含む。
【００２４】
第１の態様の第６または第９または第１０の可能な実装様式を参照して、第１の態様の第１２の可能な実装様式では、受信モジュールは、
スケジューリング情報の命令に従って、第１の基地局により送信された第２の専用シグナリングを受信するようにさらに構成され、第２の専用シグナリングは、通知情報を含み、通知情報は、データ伝送のためにベアラがセットアップされる必要があることを、端末に通知するために使用される。
【００２５】
第１の態様の第１２の可能な実装様式を参照して、第１の態様の第１３の可能な実装様式では、第２の専用シグナリングは、命令情報をさらに含み、
命令情報は、第２の命令情報または第３の命令情報を含み、第２の命令情報は、データ伝送を行うために少なくとも１つの第２の基地局を選択するように命令する命令情報であり、第３の命令情報は、第１の基地局のみを介してデータ伝送を行うように命令する命令情報であり、
受信モジュールは、第１の基地局により送信された第２の命令情報または第３の命令情報を受信するようにさらに構成される。
【００２６】
第１の態様の第９の可能な実装様式を参照して、第１の態様の第１４の可能な実装様式では、処理モジュールが、サービス要件が現在存在する場合、対応するベアラをセットアップするように第１の基地局に要求し、ベアラを使用することによってデータ伝送を行うように構成されることは、
サービス要件が現在存在する場合、処理モジュールは、対応するベアラをセットアップするように第１の基地局に要求し、第１の基地局により送信された第２の専用シグナリングを受信するように構成され、第２の専用シグナリングは、通知情報を含み、通知情報は、データ伝送のためにベアラがセットアップされる必要があることを、端末に通知するために使用され、処理モジュールは、ベアラを使用することによってデータ伝送を行うように構成されることを特に含む。
【００２７】
第１の態様の第１４の可能な実装様式を参照して、第１の態様の第１５の可能な実装様式では、受信モジュールは、
第１の基地局により送信された命令メッセージを受信するようにさらに構成され、命令メッセージは、第２の命令情報または第３の命令情報を含み、第２の命令情報は、データ伝送を行うために少なくとも１つの第２の基地局を選択するように命令する命令情報であり、第３の命令情報は、第１の基地局のみを介してデータ伝送を行うように命令する命令情報である。
【００２８】
第１の態様の第１３または第１５の可能な実装様式を参照して、第１の態様の第１６の可能な実装様式では、受信モジュールは、
第１の基地局により送信された第２の命令情報が受信された場合、第２の命令情報に従って、データ伝送を行うために少なくとも１つの第２の基地局を選択するようにさらに構成される。
【００２９】
第１の態様の第１６の可能な実装様式を参照して、第１の態様の第１７の可能な実装様式では、送信モジュールは、選択された少なくとも１つの第２の基地局に関する情報を、第１の基地局に送信するようにさらに構成される。
【００３０】
第１の態様の第１２または第１４の可能な実装様式を参照して、第１の態様の第１８の可能な実装様式では、受信モジュールは、
第２の専用シグナリングを受信した後、データ伝送を行うために少なくとも１つの第２の基地局を選択し、選択された少なくとも１つの第２の基地局に関する情報を、第１の基地局に送信するようにさらに構成される。
【００３１】
第１の態様の第１２または第１４の可能な実装様式を参照して、第１の態様の第１９の可能な実装様式では、受信モジュールは、
第２の専用シグナリングを受信した後、第１の基地局のみを介してデータ伝送を行うように決定するようにさらに構成される。
【００３２】
第１の態様の第１６または第１９の可能な実装様式を参照して、第１の態様の第２０の可能な実装様式では、送信モジュールは、
少なくとも１つの第２の基地局の各第２の基地局が端末のコンテキスト情報を有する場合、スケジューリング要求メッセージを各第２の基地局に送信し、スケジューリング要求メッセージを使用することによって、データ伝送を行うために各第２の基地局によって割り当てられたリソースを取得し、または
少なくとも１つの第２の基地局の各第２の基地局が端末のコンテキスト情報を有する場合、各第２の基地局に対してランダムアクセスを行い、データ伝送を行うために各第２の基地局によって割り当てられたリソースを取得するようにさらに構成される。
【００３３】
第１の態様の第２０の可能な実装様式を参照して、第１の態様の第２１の可能な実装様式では、送信モジュールが、各第２の基地局に対してランダムアクセスを行い、データ伝送を行うために各第２の基地局によって割り当てられたリソースを取得するように構成されることは、
送信モジュールが、第１の基地局により割り当てられた一意の識別子情報を使用することによって、各第２の基地局に対してランダムアクセスを行い、データ伝送を行うために一意の識別子情報に従って各第２の基地局によって割り当てられたリソースを取得するように構成され、一意の識別子情報は、端末に対応し、一意の識別子情報は、一意のプリアンブル、または一意のプリアンブルとランダムアクセスリソースの組合せであることを含む。
【００３４】
第１の態様の第１６乃至第１９の可能な実装様式のいずれか１つを参照して、第１の態様の第２２の可能な実装様式では、送信モジュールは、
少なくとも１つの第２の基地局の各第２の基地局が端末のコンテキスト情報を有しない場合、各第２の基地局に対してランダムアクセスを行い、ランダムアクセスプロセスにおいて、端末のコンテキスト情報と、端末が接続をセットアップした先の第１の基地局に関する情報とを、各第２の基地局に送信するようにさらに構成される。
【００３５】
第１の態様を参照して、第１の態様の第２３の可能な実装様式では、処理モジュールは、
第１の基地局および／または第２の基地局を介してデータ伝送を行うのを停止した後、常時接続モードで動作することを継続し、第１の基地局への接続をセットアップするための専用構成情報を保存するようにさらに構成される。
【００３６】
第１の態様の第２３の可能な実装を参照して、第１の態様の第２４の可能な実装では、処理モジュールは、
アップリンク同期タイマを保持するのを停止し、または
アップリンク同期タイマが満了した後にアップリンク同期タイマを保持するのを停止する
ようにさらに構成される。
【００３７】
第１の態様を参照して、第１の態様の第２５の可能な実装様式では、受信モジュールは、
第１の基地局により送信された第２の基地局リスト更新メッセージを受信し、第２の基地局リスト更新メッセージに従って第２の基地局リスト情報を更新し、更新された第２の基地局リスト情報を取得するようにさらに構成される。
【００３８】
第１の態様の第２５の可能な実装様式を参照して、第１の態様の第２６の可能な実装様式では、受信モジュールが、第１の基地局により送信された第２の基地局リスト更新メッセージを受信するように構成される前に、送信モジュールは、
第２の基地局リスト更新要求メッセージを第１の基地局に送信するようにさらに構成される。
【００３９】
第１の態様の第２５の可能な実装様式を参照して、第１の態様の第２７の可能な実装様式では、第２の基地局リスト更新メッセージは、端末の位置情報および各第２の基地局の位置情報に従って、第１の基地局によって生成される。
【００４０】
第１の態様の第２５の可能な実装を参照して、第１の態様の第２８の可能な実装では、処理モジュールは、
ネットワークにおける各隣接基地局を測定し、信号品質が第１の閾値よりも高い隣接基地局が存在する場合、更新された第２の基地局リスト情報が隣接基地局に関する情報を含むかどうかを決定するようにさらに構成される。
【００４１】
第１の態様の第２８の可能な実装を参照して、第１の態様の第２９の可能な実装では、処理モジュールが、
更新された第２の基地局リスト情報が隣接基地局に関する情報を含まない場合、隣接基地局測定報告を第１の基地局に送信するようにさらに構成され、隣接基地局測定報告は隣接基地局に関する情報を含む、または
更新された第２の基地局リスト情報が隣接基地局に関する情報を含まない場合、第２の基地局リスト更新要求メッセージを第１の基地局に送信するようにさらに構成され、第２の基地局リスト更新要求メッセージは隣接基地局に関する情報を含む、または
更新された第２の基地局リスト情報が隣接基地局に関する情報を含まない場合、隣接基地局が更新された第２の基地局リストに含まれないことを、第１の基地局に報告するようにさらに構成される。
【００４２】
第１の態様の第２９の可能な実装を参照して、第１の態様の第３０の可能な実装では、隣接基地局測定報告は、隣接基地局が端末のコンテキスト情報を有しないという標識をさらに含み、それにより、第１の基地局が、端末のコンテキスト情報を隣接基地局に送信する。
【００４３】
第１の態様の第３０の可能な実装を参照して、第１の態様の第３１の可能な実装では、受信モジュールは、第１の基地局により送信された応答メッセージを受信するようにさらに構成され、応答メッセージは、隣接基地局測定報告に従って第１の基地局によって生成され、受信モジュールは、応答メッセージに従って、隣接基地局が端末のコンテキスト情報を取得していることを認識するようにさらに構成される。
【００４４】
第１の態様を参照して、第１の態様の第３２の可能な実装様式では、受信モジュールは、
第１の基地局により送信されたデフォルト構成情報を受信するようにさらに構成され、デフォルト構成情報は、端末が各第２の基地局と初期データ伝送を行うときに使用される構成情報であり、
送信モジュールが、第２の基地局リスト情報に従って、第１の基地局および／または第２の基地局を介してデータ伝送を行うように構成されることは、
送信モジュールが、第２の基地局リスト情報およびデフォルト構成情報に従って、端末のコンテキスト情報を有する第２の基地局を介してデータ伝送を行うように構成されることを特に含む。
【００４５】
第１の態様の第３２の可能な実装様式を参照して、第１の態様の第３３の可能な実装様式では、デフォルト構成情報は、サービスタイプ、サービスのサービス品質ＱｏＳ、またはベアラタイプに関連付けられる。
【００４６】
第１の態様の第３３の可能な実装様式を参照して、第１の態様の第３４の可能な実装様式では、受信モジュールは、
第１の基地局により送信された第２の基地局リスト更新メッセージを受信し、第２の基地局リスト更新メッセージに従って第２の基地局リスト情報を更新し、更新された第２の基地局リスト情報を取得するようにさらに構成される。
【００４７】
第１の態様の第３２の可能な実装様式を参照して、第１の態様の第３５の可能な実装様式では、送信モジュールが、第２の基地局リスト情報およびデフォルト構成情報に従って、端末のコンテキスト情報を有する第２の基地局を介してデータ伝送を行うように構成されることは、
送信モジュールが、更新された第２の基地局リストおよびデフォルト構成情報に従って、端末のコンテキスト情報を有する第２の基地局を介して初期データ伝送を行い、
第２の基地局により送信された再構成メッセージを受信し、再構成メッセージに従って、端末に対応するデフォルト構成情報を修正し、修正された構成情報を使用することによって、端末のコンテキスト情報を有する第２の基地局とデータ伝送を行う
ように構成されることを含む。
【００４８】
第１の態様を参照して、第１の態様の第３６の可能な実装様式では、受信モジュールは、
第１の基地局により送信された測定構成情報を受信し、測定構成情報に従って、各基地局に対応する周波数レイヤの測定構成を完了するようにさらに構成され、基地局は、第１の基地局および第２の基地局を含み、第２の基地局は、マスタの第２の基地局および二次的な第２の基地局を含む。
【００４９】
第１の態様の第３６の可能な実装様式を参照して、第１の態様の第３７の可能な実装様式では、測定構成情報は、
第１の基地局のみに対応する周波数レイヤを測定すること、または
第１の基地局およびマスタの第２の基地局のみに対応する周波数レイヤを測定すること、または
第１の基地局、マスタの第２の基地局、および二次的な第２の基地局のすべてに対応する周波数レイヤを測定すること
を含む。
【００５０】
第１の態様の第３７の可能な実装様式を参照して、第１の態様の第３８の可能な実装様式では、測定構成情報は、
第１の基地局のみに対応する周波数レイヤを測定するための第１の閾値を決定すること、または
第１の基地局およびマスタの第２の基地局のみに対応する周波数レイヤを測定するための第２の閾値を決定すること、または
第１の基地局、マスタの第２の基地局、および二次的な第２の基地局のすべてに対応する周波数レイヤを測定するための第３の閾値を決定すること
をさらに含む。
【００５１】
第１の態様の第３８の可能な実装様式を参照して、第１の態様の第３９の可能な実装様式では、端末の現在のサービスのＱｏＳが第１の閾値よりも低い場合、受信モジュールが、測定構成情報に従って、各基地局に対応する周波数レイヤの測定構成を完了するように構成されることは、受信モジュールが、測定構成情報に従って、第１の基地局のみに対応する周波数レイヤを測定し、測定結果を取得するように構成されることを含み、または
端末の現在のサービスのＱｏＳが第１の閾値よりも高いが第２の閾値よりも低い場合、受信モジュールが、測定構成情報に従って、各基地局に対応する周波数レイヤの測定構成を完了するように構成されることは、受信モジュールが、測定構成情報に従って、第１の基地局に対応する周波数レイヤ、およびマスタの第２の基地局に対応する周波数レイヤを測定し、測定結果を取得するように構成されることを含み、または
端末の現在のサービスのＱｏＳが第２の閾値または第３の閾値よりも高い場合、受信モジュールが、測定構成情報に従って、各基地局に対応する周波数レイヤの測定構成を完了するように構成されることは、受信モジュールが、測定構成情報に従って、第１の基地局、マスタの第２の基地局、および二次的な第２の基地局に対応する周波数レイヤを測定し、測定結果を取得するように構成されることを含む。
【００５２】
第１の態様の第３６乃至第３９の可能な実装様式のいずれか１つを参照して、第１の態様の第４０の可能な実装様式では、受信モジュールは、
測定報告を行うかどうかに関する第１の基地局により送信された命令メッセージを受信し、
測定報告を行うかどうかに関する命令メッセージに従って、測定結果を第１の基地局に送信するかどうかを決定する
ようにさらに構成される。
【００５３】
第１の態様の第４０の可能な実装様式を参照して、第１の態様の第４１の可能な実装様式では、測定報告を行うかどうかに関する命令メッセージは、
第１の基地局に対応する周波数レイヤの測定報告のための命令情報、マスタの第２の基地局に対応する周波数レイヤの測定報告のための命令情報、または二次的な第２の基地局に対応する周波数レイヤの測定報告のための命令情報のうちの少なくとも１つを含む。
【００５４】
第１の態様を参照して、第１の態様の第４２の可能な実装様式では、受信モジュールは、
第１の基地局により送信された測定構成パラメータ情報を受信し、測定構成パラメータ情報に従って、各基地局に対応する周波数レイヤの測定管理を完了するようにさらに構成され、基地局は、第１の基地局および第２の基地局を含み、第２の基地局は、マスタの第２の基地局および二次的な第２の基地局を含み、
測定構成パラメータ情報は、第１の基地局に対応する周波数レイヤの測定構成パラメータ、マスタの第２の基地局に対応する周波数レイヤの測定構成パラメータ、または二次的な第２の基地局に対応する周波数レイヤの測定構成パラメータのうちの少なくとも１つを含む。
【００５５】
第１の態様の第４２の可能な実装様式を参照して、第１の態様の第４３の可能な実装様式では、端末の現在のサービスのＱｏＳが第１の閾値よりも低い場合、受信モジュールが、測定構成パラメータ情報に従って、各基地局に対応する周波数レイヤの測定管理を完了するように構成されることは、受信モジュールが、第１の基地局に対応する周波数レイヤの測定構成パラメータに従って、第１の基地局の周波数レイヤを測定し、第１の測定結果を取得するように構成されることを含み、または
端末の現在のサービスのＱｏＳが第１の閾値よりも高いが第２の閾値よりも低い場合、受信モジュールが、測定構成パラメータ情報に従って、各基地局に対応する周波数レイヤの測定管理を完了するように構成されることは、受信モジュールが、第１の基地局に対応する周波数レイヤの測定構成パラメータに従って、第１の基地局の周波数レイヤを測定し、第１の測定結果を取得し、同時に、マスタの第２の基地局に対応する周波数レイヤの測定構成パラメータに従って、マスタの第２の基地局の周波数レイヤを測定し、第２の測定結果を取得するように構成されることを含み、または
端末の現在のサービスのＱｏＳが第２の閾値よりも高い場合、受信モジュールが、測定構成パラメータ情報に従って、各基地局に対応する周波数レイヤの測定管理を完了するように構成されることは、受信モジュールが、二次的な第２の基地局に対応する周波数レイヤの測定構成パラメータに従って、二次的な第２の基地局の周波数レイヤを測定し、第３の測定結果を取得するように構成されることを含む。
【００５６】
第１の態様の第４３の可能な実装様式を参照して、第１の態様の第４４の可能な実装様式では、受信モジュールが、第１の基地局に対応する周波数レイヤの測定構成パラメータに従って、第１の基地局の周波数レイヤを測定するように構成されることは、
受信モジュールが、第１の基地局に対応する周波数レイヤの測定構成パラメータに従って、第１の基地局、および／または第１の基地局に隣接する第１の基地局を測定するように構成されることを特に含む。
【００５７】
第１の態様の第４３の可能な実装様式を参照して、第１の態様の第４５の可能な実装様式では、受信モジュールが、マスタの第２の基地局に対応する周波数レイヤの測定構成パラメータに従って、マスタの第２の基地局の周波数レイヤを測定するように構成されることは、
受信モジュールが、マスタの第２の基地局に対応する周波数レイヤの測定構成パラメータに従って、マスタの第２の基地局、および／またはマスタの第２の基地局に隣接するマスタの第２の基地局を測定するように構成されることを特に含む。
【００５８】
第１の態様の第４３の可能な実装様式を参照して、第１の態様の第４６の可能な実装様式では、受信モジュールが、二次的な第２の基地局に対応する周波数レイヤの測定構成パラメータに従って、二次的な第２の基地局の周波数レイヤを測定するように構成されることは、
受信モジュールが、二次的な第２の基地局に対応する周波数レイヤの測定構成パラメータに従って、二次的な第２の基地局、および／または二次的な第２の基地局に隣接する二次的な第２の基地局を測定するように構成されることを特に含む。
【００５９】
第１の態様の第４３の可能な実装様式を参照して、第１の態様の第４７の可能な実装様式では、送信モジュールは、
取得された第１の測定結果を第１の基地局に送信し、
第３の測定結果を第１の基地局に送信するのをスキップする
ようにさらに構成される。
【００６０】
第１の態様の第４３乃至第４７の可能な実装様式のいずれか１つを参照して、第１の態様の第４８の可能な実装様式では、送信モジュールは、
取得された第２の測定結果を予め設定された条件と比較し、予め設定された条件が満たされる場合、第２の測定結果を第１の基地局に送信するようにさらに構成される。
【００６１】
第１の態様を参照して、第１の態様の第４９の可能な実装様式では、受信モジュールは、
現在サービングしている第１の基地局により送信されたハンドオーバコマンドメッセージを受信するようにさらに構成され、ハンドオーバコマンドメッセージは、ターゲットとする第１の基地局により制御され端末のコンテキスト情報を有する各第２の基地局に関する情報を含み、現在サービングしている第１の基地局は、端末とのデータ伝送を現在行っている第１の基地局であり、ターゲットとする第１の基地局は、現在サービングしている第１の基地局から端末がハンドオーバされるターゲットとする第１の基地局である。
【００６２】
第１の態様の第４９の可能な実装様式を参照して、第１の態様の第５０の可能な実装様式では、ハンドオーバコマンドメッセージは、ターゲットとする第１の基地局に対してランダムアクセスを行うことをスキップするように端末に命令する命令情報をさらに含み、
処理モジュールは、ターゲットとする第１の基地局に対してランダムアクセスを行うことをスキップするように命令する命令情報に従って、ターゲットとする第１の基地局に対してランダムアクセスを行わない。
【００６３】
第１の態様の第４９の可能な実装様式を参照して、第１の態様の第５１の可能な実装様式では、送信モジュールは、
ハンドオーバコマンドメッセージに従って、データ伝送を行うために、端末のコンテキスト情報を有する少なくとも１つの第２の基地局を選択するようにさらに構成される。
【００６４】
第１の態様の第４９の可能な実装様式を参照して、第１の態様の第５２の可能な実装様式では、ターゲットとする第１の基地局により制御され端末のコンテキスト情報を有する各第２の基地局は、ターゲットとする第１の基地局によって制御され、またはターゲットとする第１の基地局に接続される。
【００６５】
第１の態様の第４９の可能な実装様式を参照して、第１の態様の第５３の可能な実装様式では、ターゲットとする第１の基地局により制御され端末のコンテキスト情報を有する各第２の基地局は、現在サービングしている第１の基地局とターゲットとする第１の基地局とによって共同で制御され、または現在サービングしている第１の基地局とターゲットとする第１の基地局との両方と接続関係を有する。
【００６６】
第１の態様の第４９乃至第５３の可能な実装様式のいずれか１つを参照して、第１の態様の第５４の可能な実装様式では、受信モジュールが、現在サービングしている第１の基地局により送信されたハンドオーバコマンドメッセージを受信するように構成される前に、受信モジュールは、
ネットワークにおける各第１の基地局を測定し、各第１の基地局の測定結果を取得するようにさらに構成され、第１の基地局は、現在サービングしている第１の基地局、および隣接する第１の基地局を含み、隣接する第１の基地局は、ターゲットとする第１の基地局を含む。
【００６７】
第１の態様の第５４の可能な実装様式を参照して、第１の態様の第５５の可能な実装様式では、受信モジュールは、
現在サービングしている第１の基地局の測定結果、および隣接する第１の基地局の測定結果に従って、ターゲットとする第１の基地局を決定し、
第１のハンドオーバ要求メッセージを現在サービングしている第１の基地局に送信するようにさらに構成され、第１のハンドオーバ要求メッセージは、ターゲットとする第１の基地局へハンドオーバされるように要求することに関する情報を含む。
【００６８】
第１の態様の第５４の可能な実装様式を参照して、第１の態様の第５６の可能な実装様式では、送信モジュールは、隣接する第１の基地局の測定結果を現在サービングしている第１の基地局に送信し、それにより、現在サービングしている第１の基地局が、ターゲットとする第１の基地局へのハンドオーバを行うかどうかを決定するようにさらに構成される。
【００６９】
第１の態様の第５１の可能な実装様式を参照して、第１の態様の第５７の可能な実装様式では、送信モジュールが、データ伝送を行うために、ハンドオーバコマンドメッセージに従って、端末のコンテキスト情報を有する少なくとも１つの第２の基地局を選択するように構成されることは、
送信モジュールが、データ伝送を行うために、ハンドオーバコマンドメッセージに従って、現在サービングしている第１の基地局の制御下でサービスを提供しコンテキスト情報を有する第２の基地局を、優先的に選択するように構成され、第２の基地局は、ターゲットとする第１の基地局によって制御されることを含む。
【００７０】
第１の態様の第４９の可能な実装様式を参照して、第１の態様の第５８の可能な実装様式では、ハンドオーバコマンドメッセージは、
少なくとも１つの現在サービングしている第２の基地局とのデータ伝送を行い続けるように端末に命令する命令情報をさらに含み、現在サービングしている第２の基地局は、ハンドオーバコマンドが受信される前に端末に対してデータ伝送を提供する第２の基地局であり、
送信モジュールは、ハンドオーバコマンドメッセージに従って、ターゲットとする第１の基地局へのハンドオーバを行い、同時に、少なくとも１つの現在サービングしている第２の基地局を介してデータ伝送を行い続けるように構成される。
【００７１】
第１の態様の第５８の可能な実装様式を参照して、第１の態様の第５９の可能な実装様式では、送信モジュールは、
ハンドオーバ完了標識を、現在サービングしている第１の基地局により制御される第２の基地局を介して、現在サービングしている第１の基地局に送信するようにさらに構成される。
【００７２】
第１の態様を参照して、第１の態様の第６０の可能な実装様式では、送信モジュールは、
ネットワークにおける各第１の基地局を測定し、各第１の基地局の測定結果を取得することであって、第１の基地局は、現在サービングしている第１の基地局、および隣接する第１の基地局を含む、取得することと、
測定結果に従って、ターゲットとする第１の基地局を決定することであって、ターゲットとする第１の基地局は、現在サービングしている第１の基地局から端末がハンドオーバされるターゲットとする第１の基地局である、決定することと、
ハンドオーバ要求メッセージをターゲットとする第１の基地局に送信することであって、ハンドオーバ要求メッセージは、現在サービングしている第１の基地局に関する情報、および第２の基地局候補に関する情報を含み、第２の基地局候補は、ターゲットとする第１の基地局によって制御されまたはターゲットとする第１の基地局に接続され、端末に対するサービスを提供できる、第２の基地局である、送信することと
を行うようにさらに構成される。
【００７３】
第１の態様の第６０の可能な実装様式を参照して、第１の態様の第６１の可能な実装様式では、受信モジュールは、
ターゲットとする第１の基地局からハンドオーバ要求確認応答メッセージを受信するようにさらに構成され、ハンドオーバ要求確認応答メッセージは、ターゲットとする第１の基地局によって制御されまたはターゲットとする第１の基地局に接続され、端末のコンテキスト情報を有する第２の基地局のリストを含み、
送信モジュールは、データ伝送を行うために、ハンドオーバ要求確認応答メッセージに従って、端末のコンテキスト情報を有する少なくとも１つの第２の基地局を選択するようにさらに構成される。
【００７４】
第１の態様の第６１の可能な実装様式を参照して、第１の態様の第６２の可能な実装様式では、データ伝送を行うために、ハンドオーバ要求確認応答メッセージに従って、端末のコンテキスト情報を有する少なくとも１つの第２の基地局を選択するように構成された後、送信モジュールは、
ハンドオーバ完了標識メッセージを現在サービングしている第１の基地局に送信する、または
ハンドオーバ完了標識メッセージをターゲットとする第１の基地局を介して現在サービングしている第１の基地局に送信する
ようにさらに構成される。
【００７５】
第１の態様を参照して、第１の態様の第６３の可能な実装様式では、送信モジュールは、
ネットワークにおける各第１の基地局を測定し、各第１の基地局の測定結果を取得することであって、第１の基地局は、現在サービングしている第１の基地局、および隣接する第１の基地局を含む、取得することと、
測定結果に従って、ターゲットとする第１の基地局を決定することであって、ターゲットとする第１の基地局は、現在サービングしている第１の基地局から端末がハンドオーバされるターゲットとする第１の基地局である、決定することと、
ハンドオーバ要求メッセージを現在サービングしている第１の基地局に送信することであって、ハンドオーバ要求メッセージは、ターゲットとする第１の基地局へハンドオーバされるように要求することに関する情報を含む、送信することと、
現在サービングしている第１の基地局により送信されたハンドオーバコマンドメッセージを受信することと
を行うようにさらに構成される。
【００７６】
第１の態様の第６３の可能な実装様式を参照して、第１の態様の第６４の可能な実装様式では、ハンドオーバコマンドメッセージは、ターゲットとする第１の基地局へのハンドオーバを行うように端末に命令する命令情報と、少なくとも１つの現在サービングしている第２の基地局とのデータ伝送を行い続けるように端末に命令する命令情報とを含み、現在サービングしている第２の基地局は、ハンドオーバコマンドメッセージが受信される前に端末に対してデータ伝送を提供する第２の基地局であり、
送信モジュールは、ハンドオーバコマンドメッセージに従って、ターゲットとする第１の基地局へのハンドオーバを行い、同時に、少なくとも１つの現在サービングしている第２の基地局を介してデータ伝送を行い続けるように構成される。
【００７７】
第１の態様の第６４の可能な実装様式を参照して、第１の態様の第６５の可能な実装様式では、ハンドオーバコマンドメッセージは、ベアラ再構成情報をさらに含み、
送信モジュールは、ベアラ再構成情報に従って、現在サービングしている第１の基地局と端末との間のデータ伝送サービスを現在サービングしている第２の基地局へ切り替えるように構成される。
【００７８】
第１の態様を参照して、第１の態様の第６６の可能な実装様式では、コンテキスト情報を有する第２の基地局のリスト情報に従って、第１の基地局および／または第２の基地局を介してデータ伝送を行うように構成される前に、送信モジュールは、
第１の基地局との第１のセキュリティメカニズムをセットアップし、第２の基地局との第２のセキュリティメカニズムをセットアップするようにさらに構成される。
【００７９】
第１の態様の第６６の可能な実装様式を参照して、第１の態様の第６７の可能な実装様式では、送信モジュールが、第２の基地局との第２のセキュリティメカニズムをセットアップするように構成されることは、
送信モジュールが、
第１の基地局により送信された第２の基地局リスト情報およびセキュリティアルゴリズム情報を受信することであって、第２の基地局リスト情報は、コンテキスト情報を有する各第２の基地局に関する情報を含み、セキュリティアルゴリズム情報は、第２の基地局リストに含まれる各第２の基地局に対応するセキュリティアルゴリズム情報を含む、受信することと、
第２の基地局リストから少なくとも１つの第２の基地局を選択し、少なくとも１つの第２の基地局に対応するセキュリティインデックス、およびセキュリティアルゴリズム情報に従って、各第２の基地局に対応する暗号化キーおよび／または完全性保護キーを取得することと
を行うように構成され、第２の基地局は、セキュリティインデックスに１対１で対応する
ことを含む。
【００８０】
第１の態様の第６７の可能な実装様式を参照して、第１の態様の第６８の可能な実装様式では、送信モジュールが、少なくとも１つの第２の基地局に対応するセキュリティインデックス、およびセキュリティアルゴリズム情報に従って、各第２の基地局に対応する暗号化キーおよび／または完全性保護キーを取得するように構成されることは、
送信モジュールが、
少なくとも１つの第２の基地局に対応するセキュリティインデックスに従って、少なくとも１つのセキュリティインデックスに対応するセキュリティキーを取得し、セキュリティキーに従う計算によって、対応するルートキーを取得し、
ルートキーを使用することによって、第２の基地局に対応する中間キーを取得し、
中間キー、および第２の基地局に対応するセキュリティアルゴリズム情報に従って、第２の基地局に対応する暗号化キーおよび／または完全性保護キーを取得する
ように構成されることを含む。
【００８１】
第１の態様の第６８の可能な実装様式を参照して、第１の態様の第６９の可能な実装様式では、送信モジュールが、第１の基地局および／または第２の基地局を介してデータ伝送を行うように構成されることは、
送信モジュールが、第１のセキュリティメカニズムに基づいて第１の基地局を介してデータ伝送を行う、および／または第２のセキュリティメカニズムに基づいて第２の基地局を介してデータ伝送を行うように構成されることを含む。
【００８２】
第１の態様の第６６の可能な実装様式を参照して、第１の態様の第７０の可能な実装様式では、第１のセキュリティメカニズムおよび第２のセキュリティメカニズムは互いに関連付けられ、
送信モジュールが、少なくとも１つの第２の基地局に対応するセキュリティインデックス、およびセキュリティアルゴリズム情報に従って、各第２の基地局に対応する暗号化キーおよび／または完全性保護キーを取得するように構成されることは、
送信モジュールが、
少なくとも１つの第２の基地局に対応するセキュリティインデックスに従って、少なくとも１つのセキュリティインデックスに対応するセキュリティキーおよび動的カウントを取得し、セキュリティキーに従う計算によって、対応するルートキーを取得し、
ルートキーを使用することによって、第２の基地局に対応する中間キーを取得し、
中間キーおよび動的カウントに従って、関連付けられた中間キーを取得し、
関連付けられた中間キー、および第２の基地局に対応するセキュリティアルゴリズム情報に従って、第２の基地局に対応する暗号化キーおよび／または完全性保護キーを取得する
ように構成されることを含む。
【００８３】
第２の態様によれば、本発明の実施形態は、第１の基地局として使用される基地局であって、
端末への接続をセットアップし、常時接続モードに留まるように構成された処理モジュールであって、常時接続モードは、端末への接続を常に維持する、処理モジュールと、
第１の専用シグナリングを端末に送信するように構成された送信モジュールであって、第１の専用シグナリングは、第２の基地局リスト情報を含み、第２の基地局リスト情報は、端末のコンテキスト情報を有する各第２の基地局に関する情報を含み、
端末とのデータ伝送を行うように構成された送信モジュールと
を備える基地局を提供する。
【００８４】
第２の態様を参照して、第２の態様の第１の可能な実装様式では、第１の基地局が、端末への接続をセットアップし、常時接続モードに留まることは、
第１の基地局が、予め設定された時間内に第１の基地局への接続を常に維持することを含む。
【００８５】
第２の態様、または第２の態様の第１の可能な実装様式を参照して、第２の態様の第２の可能な実装様式では、送信モジュールが、端末とのデータ送信を行うように構成されることは、
送信モジュールが、
制御シグナリングのみを端末に伝送する、または
ダウンリンクデータのみを端末に伝送する、または
ダウンリンク制御シグナリングのみを端末に伝送する
ように構成されることを特に含む。
【００８６】
第２の態様を参照して、第２の態様の第３の可能な実装様式では、端末への接続をセットアップし、常時接続モードに留まるように構成される前に、送信モジュールは、
専用メッセージを端末に送信するようにさらに構成され、専用メッセージは、常時接続モードで動作するかどうかを端末に命令する命令情報を搬送する、または
端末により送信された第１の標識メッセージであって端末が常時接続モードで動作することを要求するかどうかに関する標識情報を搬送する第１の標識メッセージを受信し、第１の標識メッセージに従って、常時接続モードで動作するように端末を構成するかどうかを決定するようにさらに構成される、または
端末により送信されたランダムアクセスプリアンブルを受信した後、ランダムアクセス応答メッセージを端末に送信するようにさらに構成され、ランダムアクセス応答メッセージは、常時接続モードで動作するかどうかを端末に命令する命令情報を搬送し、それにより、端末が、ランダムアクセス応答メッセージに従って、常時接続モードで動作するかどうかを決定する、または
端末により送信された接続セットアップ要求メッセージを受信した後、接続セットアップ応答メッセージを端末に送信するようにさらに構成され、接続セットアップ応答メッセージは、常時接続モードで動作するかどうかを端末に命令する命令情報を搬送する、または
端末により送信された接続セットアップ要求メッセージを受信した後、専用メッセージを端末に送信するようにさらに構成され、専用メッセージは、常時接続モードで動作するかどうかを端末に命令する命令情報を搬送する。
【００８７】
第２の態様の第３の可能な実装様式を参照して、第２の態様の第４の可能な実装様式では、第１の標識メッセージは、
ランダムアクセスメッセージ３または接続セットアップ要求メッセージを含む
【００８８】
第２の態様、または第２の様態の第１乃至第４の可能な実装様式のいずれか１つを参照して、第２の態様の第５の可能な実装様式では、送信モジュールが、端末への接続をセットアップし、常時接続モードに留まるように構成されることは、
端末により送信されたサービス要求メッセージが受信されない場合、送信モジュールが、端末との接続された状態を維持し、常時接続モードに留まるように構成されること、または
端末により送信されたサービス要求メッセージであって、対応するベアラをセットアップするように要求することに関する情報を含むサービス要求メッセージが受信された場合、送信モジュールが、データ伝送を行うために、サービス要求メッセージに従って、端末のためにベアラをセットアップするように構成されること
を特に含む。
【００８９】
第２の態様の第５の可能な実装様式を参照して、第２の態様の第６の可能な実装様式では、端末により送信されたサービス要求メッセージが受信されないとき、送信モジュールは、
端末のための間欠受信周期を構成するようにさらに構成され、それにより、端末が、間欠受信周期のアクティブ時間内に、第１の基地局により送信されたスケジューリング情報を受信する。
【００９０】
第２の態様の第６の可能な実装様式を参照して、第２の態様の第７の可能な実装様式では、送信モジュールは、
スケジューリング情報を端末に送信することであって、スケジューリング情報は、第２の専用シグナリングを受信するように端末に命令するために使用される、送信することと、
第２の専用シグナリングを端末に送信することであって、第２の専用シグナリングは、通知メッセージを含み、通知メッセージは、データ伝送のためにベアラがセットアップされる必要があることを、端末に通知する情報を含む、送信することと
をさらに行うように構成される。
【００９１】
第２の態様の第７の可能な実装様式を参照して、第２の態様の第８の可能な実装様式では、第２の専用シグナリングは、命令情報をさらに含み、
命令情報は、第２の命令情報または第３の命令情報を含み、第２の命令情報は、データ伝送を行うために少なくとも１つの第２の基地局を選択するように端末に命令する命令情報であり、第３の命令情報は、第１の基地局のみを介してデータ伝送を行うように端末に命令する命令情報である。
【００９２】
第２の態様の第５の可能な実装様式を参照して、第２の態様の第９の可能な実装様式では、端末により送信されたサービス要求メッセージが受信された場合、送信モジュールは、
端末により送信されたサービス要求メッセージが受信された場合、スケジューリング情報を端末に送信することであって、スケジューリング情報は、第２の専用シグナリングを受信するように端末に命令するために使用される、送信することと、
第２の専用シグナリングを端末に送信することであって、第２の専用シグナリングは、通知メッセージを含み、通知メッセージは、データ伝送のためにベアラがセットアップされる必要があることを、端末に通知する情報を含む、送信することと、ベアラを使用することによって端末とのデータ伝送を行うことと
を行うようにさらに構成される。
【００９３】
第２の態様の第９の可能な実装様式を参照して、第２の態様の第１０の可能な実装様式では、送信モジュールは、
命令メッセージを端末に送信するようにさらに構成され、命令メッセージは、第２の命令情報または第３の命令情報を含み、第２の命令情報は、データ伝送を行うために少なくとも１つの第２の基地局を選択するように命令する命令情報であり、第３の命令情報は、第１の基地局のみを介してデータ伝送を行うように命令する命令情報である。
【００９４】
第２の態様の第８または第１０の可能な実装様式を参照して、第２の態様の第１１の可能な実装様式では、基地局は、受信モジュールをさらに備え、受信モジュールは、
端末により送信された選択された少なくとも１つの第２の基地局に関する情報を受信するように構成され、選択された少なくとも１つの第２の基地局に関する情報は、第２の命令情報に従って端末により選択された少なくとも１つの第２の基地局の各第２の基地局に関する情報である。
【００９５】
第２の態様の第１１の可能な実装様式を参照して、第２の態様の第１２の可能な実装様式では、送信モジュールは、
選択された少なくとも１つの第２の基地局に関する情報における各第２の基地局が端末のコンテキスト情報を有するかどうかを決定し、
端末のコンテキスト情報を有しない第２の基地局が存在する場合、端末のコンテキスト情報を、端末のコンテキスト情報を有しない第２の基地局に送信する
ようにさらに構成される。
【００９６】
第２の態様の第９乃至第１２の可能な実装様式のいずれか１つを参照して、第２の態様の第１３の可能な実装様式では、送信モジュールは、
一意のプリアンブルまたは一意のプリアンブルとランダムアクセスチャネルリソースとの組合せを端末に割り当てるようにさらに構成され、それにより、端末が、一意のプリアンブルまたは一意のプリアンブルとランダムアクセスチャネルリソースとの組合せを使用することによって、データ伝送を行うために、第２の基地局により割り当てられたリソースを取得する。
【００９７】
第２の態様を参照して、第２の態様の第１４の可能な実装様式では、処理モジュールは、
第１の基地局が端末とのデータ伝送を行うのを停止した後、第１の基地局が、端末への接続をセットアップするための構成情報を保存するようにさらに構成される。
【００９８】
第２の態様を参照して、第２の態様の第１５の可能な実装様式では、送信モジュールは、
第２の基地局リスト更新メッセージを生成し、第２の基地局リスト更新メッセージを端末に送信するようにさらに構成され、第２の基地局リスト更新メッセージは、更新された第２の基地局リスト情報を含み、それにより、端末が、第２の基地局リスト更新メッセージに従って第２の基地局リスト情報を更新する。
【００９９】
第２の態様の第１５の可能な実装様式を参照して、第２の態様の第１６の可能な実装様式では、送信モジュールが、第２の基地局リスト更新メッセージを生成するように構成されることは、
送信モジュールが、端末の位置情報、各第２の基地局の位置情報、または端末により報告された測定報告のうちの１つまたは複数に従って、第２の基地局リスト更新メッセージを生成するように構成されることを含む。
【０１００】
第２の態様を参照して、第２の態様の第１７の可能な実装様式では、基地局は、受信モジュールをさらに備え、受信モジュールは、
端末により送信された隣接基地局測定報告を受信するように構成され、隣接基地局測定報告は隣接基地局に関する情報を含み、隣接基地局に関する情報は第２の基地局リスト情報に含まれない、または
端末により送信された第２の基地局リスト更新要求メッセージを受信するように構成され、第２の基地局リスト更新要求メッセージは隣接基地局に関する情報を含み、隣接基地局に関する情報は第２の基地局リスト情報に含まれない、または
隣接基地局が第２の基地局リストに含まれないという端末の報告を受信するように構成される。
【０１０１】
第２の態様の第１７の可能な実装様式を参照して、第２の態様の第１８の可能な実装様式では、送信モジュールは、
隣接基地局が端末のコンテキスト情報を有しない場合、端末のコンテキスト情報を隣接基地局に送信し、第２の基地局リスト更新メッセージを端末に送信するようにさらに構成され、第２の基地局リスト更新メッセージは、隣接基地局に関する情報を含む。
【０１０２】
第２の態様の第１７の可能な実装様式を参照して、第２の態様の第１９の可能な実装様式では、第２の基地局測定報告は、隣接基地局が端末のコンテキスト情報を有しないことを示す情報をさらに含み、
送信モジュールは、端末のコンテキスト情報を隣接基地局に送信し、応答メッセージを端末に送信するようにさらに構成され、応答メッセージは、隣接基地局測定報告に従って第１の基地局によって生成され、それにより、端末が、応答メッセージに従って、隣接基地局が端末のコンテキスト情報を取得していることを認識する。
【０１０３】
第２の態様を参照して、第２の態様の第２０の可能な実装様式では、送信モジュールは、
デフォルト構成情報を端末および各第２の基地局に別個に送信するようにさらに構成され、デフォルト構成情報は、サービスタイプ、サービスのサービス品質ＱｏＳ、またはベアラタイプに関連付けられ、デフォルト構成情報は、端末が各第２の基地局と初期データ伝送を行うときに使用される構成情報である。
【０１０４】
第２の態様の第２０の可能な実装様式を参照して、第２の態様の第２１の可能な実装様式では、送信モジュールは、
第２の基地局リスト更新メッセージを端末に送信するようにさらに構成され、それにより、端末が、第２の基地局リスト更新メッセージに従って第２の基地局リスト情報を更新し、更新された第２の基地局リスト情報およびデフォルト構成情報を使用することによって、端末のコンテキスト情報を有する第２の基地局を介して初期データ伝送を行う。
【０１０５】
第２の態様を参照して、第２の態様の第２２の可能な実装様式では、送信モジュールは、
測定構成情報を端末に送信するようにさらに構成され、測定構成情報は、各基地局に対応する周波数レイヤの測定構成情報を含み、基地局は、第１の基地局または第２の基地局のうちの少なくとも１つを含み、第２の基地局は、マスタの第２の基地局および二次的な第２の基地局を含む。
【０１０６】
第２の態様の第２２の可能な実装様式を参照して、第２の態様の第２３の可能な実装様式では、測定構成情報は、
第１の基地局のみに対応する周波数レイヤを測定すること、または
第１の基地局およびマスタの第２の基地局のみに対応する周波数レイヤを測定すること、または
第１の基地局、マスタの第２の基地局、および二次的な第２の基地局のすべてに対応する周波数レイヤを測定すること
を含む。
【０１０７】
第２の態様の第２３の可能な実装様式を参照して、第２の態様の第２４の可能な実装様式では、測定構成情報は、
第１の基地局のみに対応する周波数レイヤを測定するための第１の閾値、または
第１の基地局およびマスタの第２の基地局のみに対応する周波数レイヤを測定するための第２の閾値、または
第１の基地局、マスタの第２の基地局、および二次的な第２の基地局のすべてに対応する周波数レイヤを測定するための第３の閾値
をさらに含む。
【０１０８】
第２の態様の第２４の可能な実装様式を参照して、第２の態様の第２５の可能な実装様式では、送信モジュールは、
測定報告を行うかどうかに関する命令メッセージを端末に送信するようにさらに構成される。
【０１０９】
第２の態様の第２５の可能な実装様式を参照して、第２の態様の第２６の可能な実装様式では、測定報告を行うかどうかに関する命令メッセージは、
第１の基地局に対応する周波数レイヤの測定報告のための命令情報、マスタの第２の基地局に対応する周波数レイヤの測定報告のための命令情報、または二次的な第２の基地局に対応する周波数レイヤの測定報告のための命令情報のうちの少なくとも１つを含む。
【０１１０】
第２の態様を参照して、第２の態様の第２７の可能な実装様式では、送信モジュールは、
測定構成パラメータ情報を端末に送信するようにさらに構成され、測定構成パラメータ情報は、第１の基地局に対応する周波数レイヤの測定構成パラメータ、マスタの第２の基地局に対応する周波数レイヤの測定構成パラメータ、または二次的な第２の基地局に対応する周波数レイヤの測定構成パラメータのうちの少なくとも１つを含む。
【０１１１】
第２の態様の第２７の可能な実装様式を参照して、第２の態様の第２８の可能な実装様式では、受信モジュールは、
端末により送信された測定結果を受信するようにさらに構成され、測定結果は、第１の測定結果および第２の測定結果を含み、第１の測定結果は、端末によって、第１の基地局に対応する周波数レイヤの測定構成パラメータに従って測定を行うことによって取得され、第２の測定結果は、端末によって、マスタの第２の基地局に対応する周波数レイヤの測定構成パラメータに従ってマスタの第２の基地局を測定することによって取得される。
【０１１２】
第２の態様を参照して、第２の態様の第２９の可能な実装様式では、送信モジュールは、
端末との第１のセキュリティメカニズムをセットアップし、端末との第２のセキュリティメカニズムを第２の基地局がセットアップするのを助けるようにさらに構成される。
【０１１３】
第２の態様の第２９の可能な実装様式を参照して、第２の態様の第３０の可能な実装様式では、送信モジュールが、端末との第２のセキュリティメカニズムを第２の基地局がセットアップするのを助けるように構成されることは、
送信モジュールが、
少なくとも１つの第２の基地局に対応するセキュリティインデックスに従って、少なくとも１つのセキュリティインデックスに対応するセキュリティキーを取得し、セキュリティキーに従う計算によって、対応するルートキーを取得し、
ルートキーを使用することによって、第２の基地局に対応する中間キーを取得し、
第２の基地局に対応する中間キーを第２の基地局に送信する
ように構成され、セキュリティインデックスは、第２の基地局に１対１で対応する
ことを含む。
【０１１４】
第２の態様の第３０の可能な実装様式を参照して、第２の態様の第３１の可能な実装様式では、基地局は、受信モジュールをさらに備え、受信モジュールは、
第２の基地局により送信され第２の基地局に対応するセキュリティアルゴリズム情報を受信するように構成される。
【０１１５】
第２の態様の第２９の可能な実装様式を参照して、第２の態様の第３１の可能な実装様式では、第１のセキュリティメカニズムおよび第２のセキュリティメカニズムは互いに関連付けられ、送信モジュールが、端末との第２のセキュリティメカニズムを第２の基地局がセットアップするのを助けるように構成されることは、
送信モジュールが、
少なくとも１つの第２の基地局に対応するセキュリティインデックスに従って、少なくとも１つのセキュリティインデックスに対応するセキュリティキーを取得し、セキュリティキーに従う計算によって、対応するルートキーを取得し、
ルートキー、および第２の基地局に対応する一意のカウントを使用することによって、第２の基地局に対応する中間キーを取得し、
第２の基地局に対応する中間キーを第２の基地局に送信する
ように構成され、セキュリティインデックスは、第２の基地局に１対１で対応する
ことを含む。
【０１１６】
第２の態様の第３２の可能な実装様式を参照して、第２の態様の第３３の可能な実装様式では、受信モジュールは、
第２の基地局により送信され第２の基地局に対応するセキュリティアルゴリズム情報および動的カウントを受信するようにさらに構成される。
【０１１７】
第３の態様によれば、本発明の実施形態は、現在サービングしている第１の基地局として使用される基地局であって、
端末への接続をセットアップし、常時接続モードに留まるように構成された処理モジュールであって、常時接続モードは、端末への接続を常に維持する、処理モジュールと、
第１の専用シグナリングを端末に送信するように構成された送信モジュールであって、第１の専用シグナリングは、第２の基地局リスト情報を含み、第２の基地局リスト情報は、端末のコンテキスト情報を有する各第２の基地局に関する情報を含み、
端末とのデータ伝送を行うように構成された送信モジュールと
を備える基地局を提供する。
【０１１８】
第３の態様を参照して、第３の態様の第１の可能な実装様式では、送信モジュールは、
ハンドオーバコマンドメッセージを端末に送信するようにさらに構成され、ハンドオーバコマンドメッセージは、ターゲットとする第１の基地局により制御され端末のコンテキスト情報を有する各第２の基地局に関する情報を含み、ターゲットとする第１の基地局は、現在サービングしている第１の基地局から端末がハンドオーバされるターゲットとする第１の基地局である。
【０１１９】
第３の態様の第１の可能な実装様式を参照して、第３の態様の第２の可能な実装様式では、ハンドオーバコマンドメッセージは、ターゲットとする第１の基地局に対してランダムアクセスを行うことをスキップするように端末に命令する命令情報をさらに含み、それにより、端末が、命令情報に従って、ターゲットとする第１の基地局に対してランダムアクセスを行わない。
【０１２０】
第３の態様の第１の可能な実装様式を参照して、第３の態様の第３の可能な実装様式では、ハンドオーバコマンドメッセージを端末に送信するように構成される前に、送信モジュールは、
端末により送信された各隣接する第１の基地局の測定結果を受信することであって、各隣接する第１の基地局の測定結果は、端末によって、現在サービングしている第１の基地局に隣接する各基地局を測定することによって取得される、受信することと、
各隣接する第１の基地局の測定結果に従って、ターゲットとする第１の基地局を決定することと
を行うようにさらに構成される。
【０１２１】
第３の態様の第１の可能な実装様式を参照して、第３の態様の第４の可能な実装様式では、ハンドオーバコマンドメッセージを端末に送信するように構成される前に、送信モジュールは、
端末により送信された第１のハンドオーバ要求メッセージを受信するようにさらに構成され、第１のハンドオーバ要求メッセージは、ターゲットとする第１の基地局に関する情報を含む。
【０１２２】
第３の態様の第１の可能な実装様式を参照して、第３の態様の第５の可能な実装様式では、送信モジュールは、
第２のハンドオーバ要求メッセージをターゲットとする第１の基地局に送信するようにさらに構成され、第２のハンドオーバ要求メッセージは、端末のコンテキスト情報、および端末のコンテキスト情報を現在有する各第２の基地局に関する情報を含む。
【０１２３】
第３の態様の第５の可能な実装様式を参照して、第３の態様の第６の可能な実装では、送信モジュールは、
ハンドオーバ命令を、端末に対するサービスを現在提供している第２の基地局に送信するようにさらに構成され、それにより、端末に対するサービスを現在提供している第２の基地局が、ハンドオーバ命令に従ってデータ伝送を行う。
【０１２４】
第３の態様の第６の可能な実装様式を参照して、第３の態様の第７の可能な実装では、端末に対するサービスを現在提供している第２の基地局は、現在サービングしている第１の基地局によって制御され端末のコンテキスト情報を有する第２の基地局、または現在サービングしている第１の基地局に接続され端末のコンテキスト情報を有する第２の基地局である。
【０１２５】
第３の態様の第６の可能な実装様式を参照して、第３の態様の第８の可能な実装では、送信モジュールが、ハンドオーバ命令を、端末に対するサービスを現在提供している第２の基地局に送信するように構成され、それにより、端末に対するサービスを現在提供している第２の基地局が、ハンドオーバ命令に従ってデータ伝送を行うことは、送信モジュールが、ハンドオーバ命令を、端末に対するサービスを現在提供している第２の基地局に送信するように構成され、ハンドオーバ命令は、ターゲットとする第１の基地局に関する情報を含み、それにより、端末に対するサービスを現在提供している第２の基地局が、ハンドオーバ命令に従って、ターゲットとする第１の基地局の制御下で端末とデータ伝送が行われることが可能であるかどうかを決定することを含む。
【０１２６】
第３の態様の第６の可能な実装様式を参照して、第３の態様の第９の可能な実装では、送信モジュールが、ハンドオーバ命令を、端末に対するサービスを現在提供している第２の基地局に送信するように構成され、それにより、端末に対するサービスを現在提供している第２の基地局が、ハンドオーバ命令に従ってデータ伝送を行うことは、送信モジュールが、ハンドオーバ命令を、端末に対するサービスを現在提供している第２の基地局に送信するように構成され、ハンドオーバ命令は、端末とのデータ伝送を行うのを停止するように命令する情報を含み、それにより、端末に対するサービスを現在提供している第２の基地局が、ハンドオーバ命令に従って、端末とのデータ伝送を行うのを停止することを含む。
【０１２７】
第３の態様の第６の可能な実装様式を参照して、第３の態様の第１０の可能な実装では、送信モジュールが、ハンドオーバ命令を、端末に対するサービスを現在提供している第２の基地局に送信するように構成され、それにより、端末に対するサービスを現在提供している第２の基地局が、ハンドオーバ命令に従ってデータ伝送を行うことは、送信モジュールが、ハンドオーバ命令を、端末に対するサービスを現在提供している第２の基地局に送信するように構成され、ハンドオーバ命令は、端末とのデータ伝送を行うことを継続するように命令する情報を含み、それにより、端末に対するサービスを現在提供している第２の基地局が、ハンドオーバ命令に従って、端末とのデータ伝送を行うことを継続することを含む。
【０１２８】
第３の態様の第１の可能な実装様式を参照して、第３の態様の第１１の可能な実装では、ハンドオーバコマンドメッセージは、第２の基地局命令情報をさらに含み、第２の基地局命令情報は、少なくとも１つの現在サービングしている第２の基地局とのデータ伝送を行い続けるように端末に命令する命令情報である。
【０１２９】
第３の態様を参照して、第３の態様の第１２の可能な実装様式では、送信モジュールは、
第２の基地局制御ネゴシエーションメッセージを、ターゲットとする第１の基地局に送信することであって、第２の基地局制御ネゴシエーションメッセージは、共同制御条件を満たす第２の基地局に関する情報を含む、送信することと、
ターゲットとする第１の基地局により送信された第２の基地局ネゴシエーション応答メッセージを受信することであって、第２の基地局ネゴシエーション応答メッセージは、第２の基地局制御ネゴシエーションメッセージに従って生成された応答メッセージであり、応答メッセージは、隣接する第１の基地局によって決定され共同で制御されることが可能な第２の基地局に関する情報、または第２の基地局制御ネゴシエーションメッセージに含まれ共同で制御されることが可能な第２の基地局に関する情報の確認応答を含む、受信することと
を行うようにさらに構成される。
【０１３０】
第３の態様の第１２の可能な実装様式を参照して、第３の態様の第１３の可能な実装様式では、第２の基地局制御ネゴシエーションメッセージを、ターゲットとする第１の基地局に送信するように構成される前に、送信モジュールは、ネットワークにおける各第２の基地局の位置情報、ならびに現在サービングしている第１の基地局およびターゲットとする第１の基地局の位置情報に従って、共同制御条件を満たす第２の基地局を取得するようにさらに構成され、共同制御条件を満たす第２の基地局は、現在サービングしている第１の基地局およびターゲットとする第１の基地局によって共同で制御される第２の基地局である。
【０１３１】
第３の態様の第１２または第１３の可能な実装様式を参照して、第３の態様の第１４の可能な実装様式では、送信モジュールは、
現在サービングしている第１の基地局が、端末により送信された第１のハンドオーバ要求メッセージを受信した後、第２の基地局ネゴシエーション応答メッセージに従って、第２のハンドオーバ要求メッセージをターゲットとする第１の基地局に送信するようにさらに構成され、第２のハンドオーバ要求メッセージは、端末のコンテキスト情報と、共同制御条件を満たす第２の基地局に関する情報とを含む。
【０１３２】
第４の態様によれば、本発明の実施形態は、ワイヤレス通信方法であって、
端末によって、第１の基地局への接続をセットアップし、常時接続モードに留まるステップであって、常時接続モードは、第１の基地局への接続を常に維持する、ステップと、
端末によって、第１の基地局により送信された第１の専用シグナリングを受信するステップであって、第１の専用シグナリングは、第２の基地局リスト情報を含み、第２の基地局リスト情報は、端末のコンテキスト情報を有する各第２の基地局に関する情報を含む、ステップと、
端末によって、第２の基地局リスト情報に従って、第１の基地局および／または第２の基地局を介してデータ伝送を行うステップと
を含むワイヤレス通信方法を提供する。
【０１３３】
第４の態様を参照して、第４の態様の第１の可能な実装様式では、端末によって、第１の基地局への接続をセットアップし、常時接続モードに留まるステップは、
端末によって、予め設定された時間内に第１の基地局への接続を常に維持するステップを含む。
【０１３４】
第４の態様、または第４の態様の第１の可能な実装様式を参照して、第４の態様の第２の可能な実装様式では、第１の基地局を介してデータ伝送を行うステップは、
第１の基地局を介する制御シグナリング伝送のみを行うステップ、または
第１の基地局を介するダウンリンクデータ伝送のみを行うステップ、または
第１の基地局を介するダウンリンク制御シグナリング伝送のみを行うステップ
を含む。
【０１３５】
第４の態様を参照して、第４の態様の第３の可能な実装様式では、端末によって、第１の基地局への接続をセットアップし、常時接続モードに留まるステップの前に、方法は、
端末によって、アクセス周波数情報を取得し、アクセス周波数情報に対応する接続モードが常時接続モードであるかどうかを決定するステップをさらに含む。
【０１３６】
第４の態様の第３の可能な実装様式を参照して、第４の態様の第４の可能な実装様式では、端末によって、アクセス周波数情報を取得し、アクセス周波数情報に対応する接続モードが常時接続モードであるかどうかを決定するステップは、
第１の基地局により送信されたシステム情報を受信し、システム情報から、アクセス周波数情報に対応する接続モードが常時接続モードであるかどうかを取得するステップ、または
予め設定された構成情報から、アクセス周波数情報に対応する接続モードが常時接続モードであるかどうかを取得するステップ
を含む。
【０１３７】
第４の態様の第３または第４の可能な実装様式を参照して、第４の態様の第５の可能な実装様式では、方法は、アクセス周波数情報に対応する接続モードが常時接続モードである場合、アクセスを行うために、アクセス周波数情報に対応する第１の基地局を選択するステップをさらに含む。
【０１３８】
第４の態様、または第４の態様の第１乃至第５の可能な実装様式のいずれか１つを参照して、第４の態様の第６の可能な実装様式では、第１の基地局への接続をセットアップするステップは、
第１の標識メッセージを第１の基地局に送信するステップであって、第１の標識メッセージは、常時接続モードで動作することを受け入れるように要求するかどうかに関する標識情報を搬送する、ステップと、
第１の標識メッセージに応じて第１の基地局により送信された接続構成情報を受信するステップであって、接続構成情報は、端末を常時接続モードで動作するように構成するかどうかを含む、ステップと
を含む。
【０１３９】
第４の態様の第６の可能な実装様式を参照して、第４の態様の第７の可能な実装様式では、第１の標識メッセージは、
ランダムアクセスメッセージ３または接続セットアップ要求メッセージを含む。
【０１４０】
第４の態様、または第４の態様の第１乃至第７の可能な実装様式のいずれか１つを参照して、第４の態様の第８の可能な実装様式では、方法は、
第１の基地局により送信されたスケジューリング情報を受信するステップをさらに含む。
【０１４１】
第４の態様、または第４の態様の第１乃至第７の可能な実装様式のいずれか１つを参照して、第４の態様の第９の可能な実装様式では、第１の基地局への接続をセットアップし、常時接続モードに留まるステップは、
何らかのサービス要件が現在存在するかどうかを決定するステップ、および、サービス要件が現在存在しない場合、第１の基地局との接続された状態を維持し、常時接続モードに留まるステップ、または
サービス要件が現在存在する場合、対応するベアラをセットアップするように第１の基地局に要求し、ベアラを使用することによってデータ伝送を行うステップ
を含む。
【０１４２】
第４の態様の第９の可能な実装様式を参照して、第４の態様の第１０の可能な実装様式では、サービス要件が現在存在しない場合、第１の基地局との接続された状態を維持するステップは、
サービス要件が現在存在しない場合、第１の基地局により送信されたスケジューリング情報を受信し続けるステップを含む。
【０１４３】
第４の態様の第１０の可能な実装様式を参照して、第４の態様の第１１の可能な実装様式では、方法は、第１の基地局により構成された間欠受信周期を受信するステップをさらに含み、
第１の基地局により送信されたスケジューリング情報を受信し続けるステップは、
間欠受信周期のアクティブ時間内に、第１の基地局により送信されたスケジューリング情報を受信するステップを含む。
【０１４４】
第４の態様の第８または第１０または第１１の可能な実装様式を参照して、第４の態様の第１２の可能な実装様式では、方法は、
スケジューリング情報の命令に従って、第１の基地局により送信された第２の専用シグナリングを受信するステップであって、第２の専用シグナリングは、通知情報を含み、通知情報は、データ伝送のためにベアラがセットアップされる必要があることを、端末に通知するために使用される、ステップをさらに含む。
【０１４５】
第４の態様の第１２の可能な実装様式を参照して、第４の態様の第１３の可能な実装様式では、第２の専用シグナリングは、命令情報をさらに含み、
命令情報は、第２の命令情報または第３の命令情報を含み、第２の命令情報は、データ伝送を行うために少なくとも１つの第２の基地局を選択するように命令する命令情報であり、第３の命令情報は、第１の基地局のみを介してデータ伝送を行うように命令する命令情報であり、
方法は、第１の基地局により送信された第２の命令情報または第３の命令情報を受信するステップをさらに含む。
【０１４６】
第４の態様の第９の可能な実装様式を参照して、第４の態様の第１４の可能な実装様式では、サービス要件が現在存在する場合、対応するベアラをセットアップするように第１の基地局に要求し、ベアラを使用することによってデータ伝送を行うステップは、
サービス要件が現在存在する場合、対応するベアラをセットアップするように第１の基地局に要求するステップと、第１の基地局により送信された第２の専用シグナリングを受信するステップであって、第２の専用シグナリングは、通知情報を含み、通知情報は、データ伝送のためにベアラがセットアップされる必要があることを、端末に通知するために使用される、ステップと、ベアラを使用することによってデータ伝送を行うステップとを含む。
【０１４７】
第４の態様の第１４の可能な実装様式を参照して、第４の態様の第１５の可能な実装様式では、方法は、
第１の基地局により送信された命令メッセージを受信するステップであって、命令メッセージは、第２の命令情報または第３の命令情報を含み、第２の命令情報は、データ伝送を行うために少なくとも１つの第２の基地局を選択するように命令する命令情報であり、第３の命令情報は、第１の基地局のみを介してデータ伝送を行うように命令する命令情報である、ステップと、
第１の基地局により送信された第２の命令情報または第３の命令情報を受信するステップと
をさらに含む。
【０１４８】
第４の態様の第１３または第１５の可能な実装様式を参照して、第４の態様の第１６の可能な実装様式では、方法は、
第１の基地局により送信された第２の命令情報が受信された場合、第２の命令情報に従って、データ伝送を行うために少なくとも１つの第２の基地局を選択するステップをさらに含む。
【０１４９】
第４の態様の第１６の可能な実装様式を参照して、第４の態様の第１７の可能な実装様式では、方法は、選択された少なくとも１つの第２の基地局に関する情報を、第１の基地局に送信するステップをさらに含む。
【０１５０】
第４の態様の第１２または第１４の可能な実装様式を参照して、第４の態様の第１８の可能な実装様式では、方法は、
第２の専用シグナリングを受信した後、データ伝送を行うために少なくとも１つの第２の基地局を選択し、選択された少なくとも１つの第２の基地局に関する情報を、第１の基地局に送信するステップをさらに含む。
【０１５１】
第４の態様の第１２または第１４の可能な実装様式を参照して、第４の態様の第１９の可能な実装様式では、方法は、
第２の専用シグナリングを受信した後、第１の基地局のみを介してデータ伝送を行うように決定するステップをさらに含む。
【０１５２】
第４の態様の第１６または第１８の可能な実装様式を参照して、第４の態様の第２０の可能な実装様式では、方法は、
少なくとも１つの第２の基地局の各第２の基地局が端末のコンテキスト情報を有する場合、スケジューリング要求メッセージを各第２の基地局に送信し、スケジューリング要求メッセージを使用することによって、データ伝送を行うために各第２の基地局によって割り当てられたリソースを取得するステップ、または
少なくとも１つの第２の基地局の各第２の基地局が端末のコンテキスト情報を有する場合、各第２の基地局に対してランダムアクセスを行い、データ伝送を行うために各第２の基地局によって割り当てられたリソースを取得するステップ
をさらに含む。
【０１５３】
第４の態様の第２０の可能な実装様式を参照して、第４の態様の第２１の可能な実装様式では、各第２の基地局に対してランダムアクセスを行い、データ伝送を行うために各第２の基地局によって割り当てられたリソースを取得するステップは、
第１の基地局により割り当てられた一意の識別子情報を使用することによって、各第２の基地局に対してランダムアクセスを行い、データ伝送を行うために一意の識別子情報に従って各第２の基地局によって割り当てられたリソースを取得するステップであって、一意の識別子情報は、端末に対応し、一意の識別子情報は、一意のプリアンブル、または一意のプリアンブルとランダムアクセスリソースの組合せである、ステップを含む。
【０１５４】
第４の態様の第１６または第１８の可能な実装様式を参照して、第４の態様の第２２の可能な実装様式では、方法は、
少なくとも１つの第２の基地局の各第２の基地局が端末のコンテキスト情報を有しない場合、各第２の基地局に対してランダムアクセスを行い、ランダムアクセスプロセスにおいて、端末のコンテキスト情報と、端末が接続をセットアップした先の第１の基地局に関する情報とを、各第２の基地局に送信するステップをさらに含む。
【０１５５】
第４の態様を参照して、第４の態様の第２３の可能な実装様式では、方法は、
端末が第１の基地局および／または第２の基地局を介してデータ伝送を行うのを停止した後、常時接続モードで動作することを継続し、第１の基地局への接続をセットアップするための専用構成情報を保存するステップをさらに含む。
【０１５６】
第４の態様の第２３の可能な実装様式を参照して、第４の態様の第２４の可能な実装様式では、方法は、
端末によって、アップリンク同期タイマを保持するのを停止するステップ、または
アップリンク同期タイマが満了した後に、端末によって、アップリンク同期タイマを保持するのを停止するステップ
をさらに含む。
【０１５７】
第４の態様を参照して、第４の態様の第２５の可能な実装様式では、端末によって、第２の基地局リスト情報に従って、第１の基地局および／または第２の基地局を介してデータ伝送を行うステップの後、方法は、
第１の基地局により送信された第２の基地局リスト更新メッセージを受信し、第２の基地局リスト更新メッセージに従って第２の基地局リスト情報を更新し、更新された第２の基地局リスト情報を取得するステップをさらに含む。
【０１５８】
第４の態様の第２５の可能な実装様式を参照して、第４の態様の第２６の可能な実装様式では、第１の基地局により送信された第２の基地局リスト更新メッセージを受信するステップの前に、方法は、
端末によって、第２の基地局リスト更新要求メッセージを第１の基地局に送信するステップをさらに含む。
【０１５９】
第４の態様の第２５の可能な実装様式を参照して、第４の態様の第２７の可能な実装様式では、第２の基地局リスト更新メッセージは、端末の位置情報および各第２の基地局の位置情報に従って、第１の基地局によって生成される。
【０１６０】
第４の態様の第２５の可能な実装様式を参照して、第４の態様の第２８の可能な実装様式では、方法は、
端末によって、ネットワークにおける各隣接基地局を測定し、信号品質が第１の閾値よりも高い隣接基地局が存在する場合、更新された第２の基地局リスト情報が隣接基地局に関する情報を含むかどうかを決定するステップをさらに含む。
【０１６１】
第４の態様の第２８の可能な実装様式を参照して、第４の態様の第２９の可能な実装様式では、方法は、
更新された第２の基地局リスト情報が隣接基地局に関する情報を含まない場合、隣接基地局測定報告を第１の基地局に送信するステップであって、隣接基地局測定報告は隣接基地局に関する情報を含む、ステップ、または
更新された第２の基地局リスト情報が隣接基地局に関する情報を含まない場合、第２の基地局リスト更新要求メッセージを第１の基地局に送信するステップであって、第２の基地局リスト更新要求メッセージは隣接基地局に関する情報を含む、ステップ、または
更新された第２の基地局リスト情報が隣接基地局に関する情報を含まない場合、隣接基地局が更新された第２の基地局リストに含まれないことを、第１の基地局に報告するステップ
をさらに含む。
【０１６２】
第４の態様の第２９の可能な実装を参照して、第４の態様の第３０の可能な実装では、隣接基地局測定報告は、隣接基地局が端末のコンテキスト情報を有しないという標識をさらに含み、それにより、第１の基地局が、端末のコンテキスト情報を隣接基地局に送信する。
【０１６３】
第４の態様の第３０の可能な実装を参照して、第４の態様の第３１の可能な実装では、方法は、第１の基地局により送信された応答メッセージを受信するステップであって、応答メッセージは、隣接基地局測定報告に従って第１の基地局によって生成される、ステップと、応答メッセージに従って、隣接基地局が端末のコンテキスト情報を取得していることを認識するステップとをさらに含む。
【０１６４】
第４の態様を参照して、第４の態様の第３２の可能な実装様式では、方法は、
第１の基地局により送信されたデフォルト構成情報を受信するステップであって、デフォルト構成情報は、端末が各第２の基地局と初期データ伝送を行うときに使用される構成情報である、ステップをさらに含み、
端末によって、第２の基地局リスト情報に従って、第１の基地局および／または第２の基地局を介してデータ伝送を行うステップは、
端末によって、第２の基地局リスト情報およびデフォルト構成情報に従って、端末のコンテキスト情報を有する第２の基地局を介してデータ伝送を行うステップを含む。
【０１６５】
第４の態様の第３２の可能な実装様式を参照して、第４の態様の第３３の可能な実装様式では、デフォルト構成情報は、サービスタイプ、サービスのサービス品質ＱｏＳ、またはベアラタイプに関連付けられる。
【０１６６】
第４の態様の第３３の可能な実装様式を参照して、第４の態様の第３４の可能な実装様式では、方法は、
第１の基地局により送信された第２の基地局リスト更新メッセージを受信し、第２の基地局リスト更新メッセージに従って第２の基地局リスト情報を更新し、更新された第２の基地局リスト情報を取得するステップをさらに含む。
【０１６７】
第４の態様の第３４の可能な実装様式を参照して、第４の態様の第３５の可能な実装様式では、端末によって、第２の基地局リスト情報およびデフォルト構成情報に従って、端末のコンテキスト情報を有する第２の基地局を介してデータ伝送を行うステップは、
端末によって、更新された第２の基地局リストおよびデフォルト構成情報に従って、端末のコンテキスト情報を有する第２の基地局を介して初期データ伝送を行うステップと、
第２の基地局により送信された再構成メッセージを受信し、再構成メッセージに従って、端末に対応するデフォルト構成情報を修正し、修正された構成情報を使用することによって、端末のコンテキスト情報を有する第２の基地局とデータ伝送を行うステップと
を含む。
【０１６８】
第４の態様を参照して、第４の態様の第３６の可能な実装様式では、方法は、
第１の基地局により送信された測定構成情報を受信し、測定構成情報に従って、各基地局に対応する周波数レイヤの測定構成を完了するステップをさらに含み、基地局は、第１の基地局および第２の基地局を含み、第２の基地局は、マスタの第２の基地局および二次的な第２の基地局を含む。
【０１６９】
第４の態様の第３６の可能な実装様式を参照して、第４の態様の第３７の可能な実装様式では、測定構成情報は、
第１の基地局のみに対応する周波数レイヤを測定すること、または
第１の基地局およびマスタの第２の基地局のみに対応する周波数レイヤを測定すること、または
第１の基地局、マスタの第２の基地局、および二次的な第２の基地局のすべてに対応する周波数レイヤを測定すること
を含む。
【０１７０】
第４の態様の第３７の可能な実装様式を参照して、第４の態様の第３８の可能な実装様式では、測定構成情報は、
第１の基地局のみに対応する周波数レイヤを測定するための第１の閾値を決定すること、または
第１の基地局およびマスタの第２の基地局のみに対応する周波数レイヤを測定するための第２の閾値を決定すること、または
第１の基地局、マスタの第２の基地局、および二次的な第２の基地局のすべてに対応する周波数レイヤを測定するための第３の閾値を決定すること
をさらに含む。
【０１７１】
第４の態様の第３８の可能な実装様式を参照して、第４の態様の第３９の可能な実装様式では、端末の現在のサービスのＱｏＳが第１の閾値よりも低い場合、測定構成情報に従って、各基地局に対応する周波数レイヤの測定構成を完了するステップは、測定構成情報に従って、第１の基地局のみに対応する周波数レイヤを測定し、測定結果を取得するステップを含み、または
端末の現在のサービスのＱｏＳが第１の閾値よりも高いが第２の閾値よりも低い場合、測定構成情報に従って、各基地局に対応する周波数レイヤの測定構成を完了するステップは、測定構成情報に従って、第１の基地局に対応する周波数レイヤ、およびマスタの第２の基地局に対応する周波数レイヤを測定し、測定結果を取得するステップを含み、または
端末の現在のサービスのＱｏＳが第２の閾値または第３の閾値よりも高い場合、測定構成情報に従って、各基地局に対応する周波数レイヤの測定構成を完了するステップは、測定構成情報に従って、第１の基地局、マスタの第２の基地局、および二次的な第２の基地局に対応する周波数レイヤを測定し、測定結果を取得するステップを含む。
【０１７２】
第４の態様の第３６乃至第３９の可能な実装様式のいずれか１つを参照して、第４の態様の第４０の可能な実装様式では、方法は、
測定報告を行うかどうかに関する第１の基地局により送信された命令メッセージを受信するステップと、
測定報告を行うかどうかに関する命令メッセージに従って、測定結果を第１の基地局に送信するかどうかを決定するステップと
をさらに含む。
【０１７３】
第４の態様の第４０の可能な実装様式を参照して、第４の態様の第４１の可能な実装様式では、測定報告を行うかどうかに関する命令メッセージは、
第１の基地局に対応する周波数レイヤの測定報告のための命令情報、マスタの第２の基地局に対応する周波数レイヤの測定報告のための命令情報、または二次的な第２の基地局に対応する周波数レイヤの測定報告のための命令情報のうちの少なくとも１つを含む。
【０１７４】
第４の態様を参照して、第４の態様の第４２の可能な実装様式では、方法は、
第１の基地局により送信された測定構成パラメータ情報を受信し、測定構成パラメータ情報に従って、各基地局に対応する周波数レイヤの測定管理を完了するステップをさらに含み、基地局は、第１の基地局および第２の基地局を含み、第２の基地局は、マスタの第２の基地局および二次的な第２の基地局を含み、
測定構成パラメータ情報は、第１の基地局に対応する周波数レイヤの測定構成パラメータ、マスタの第２の基地局に対応する周波数レイヤの測定構成パラメータ、または二次的な第２の基地局に対応する周波数レイヤの測定構成パラメータのうちの少なくとも１つを含む。
【０１７５】
第４の態様の第４２の可能な実装様式を参照して、第４の態様の第４３の可能な実装様式では、端末の現在のサービスのＱｏＳが第１の閾値よりも低い場合、測定構成パラメータ情報に従って、各基地局に対応する周波数レイヤの測定管理を完了するステップは、第１の基地局に対応する周波数レイヤの測定構成パラメータに従って、第１の基地局の周波数レイヤを測定し、第１の測定結果を取得するステップを含み、または
端末の現在のサービスのＱｏＳが第１の閾値よりも高いが第２の閾値よりも低い場合、測定構成パラメータ情報に従って、各基地局に対応する周波数レイヤの測定管理を完了するステップは、第１の基地局に対応する周波数レイヤの測定構成パラメータに従って、第１の基地局の周波数レイヤを測定し、第１の測定結果を取得し、同時に、マスタの第２の基地局に対応する周波数レイヤの測定構成パラメータに従って、マスタの第２の基地局の周波数レイヤを測定し、第２の測定結果を取得するステップを含み、または
端末の現在のサービスのＱｏＳが第２の閾値よりも高い場合、測定構成パラメータ情報に従って、各基地局に対応する周波数レイヤの測定管理を完了するステップは、二次的な第２の基地局に対応する周波数レイヤの測定構成パラメータに従って、二次的な第２の基地局の周波数レイヤを測定し、第３の測定結果を取得するステップを含む。
【０１７６】
第４の態様の第４３の可能な実装様式を参照して、第４の態様の第４４の可能な実装様式では、第１の基地局に対応する周波数レイヤの測定構成パラメータに従って、第１の基地局の周波数レイヤを測定するステップは、
第１の基地局に対応する周波数レイヤの測定構成パラメータに従って、第１の基地局、および／または第１の基地局に隣接する第１の基地局を測定するステップを特に含む。
【０１７７】
第４の態様の第４３の可能な実装様式を参照して、第４の態様の第４５の可能な実装様式では、マスタの第２の基地局に対応する周波数レイヤの測定構成パラメータに従って、マスタの第２の基地局の周波数レイヤを測定するステップは、
マスタの第２の基地局に対応する周波数レイヤの測定構成パラメータに従って、マスタの第２の基地局、および／またはマスタの第２の基地局に隣接するマスタの第２の基地局を測定するステップを特に含む。
【０１７８】
第４の態様の第４３の可能な実装様式を参照して、第４の態様の第４６の可能な実装様式では、二次的な第２の基地局に対応する周波数レイヤの測定構成パラメータに従って、二次的な第２の基地局の周波数レイヤを測定するステップは、
二次的な第２の基地局に対応する周波数レイヤの測定構成パラメータに従って、二次的な第２の基地局、および／または二次的な第２の基地局に隣接する二次的な第２の基地局を測定するステップを特に含む。
【０１７９】
第４の態様の第４３の可能な実装様式を参照して、第４の態様の第４７の可能な実装様式では、方法は、
取得された第１の測定結果を第１の基地局に送信するステップと、
第３の測定結果を第１の基地局に送信するのをスキップするステップと
をさらに含む。
【０１８０】
第４の態様の第４６または第４７の可能な実装様式を参照して、第４の態様の第４８の可能な実装様式では、方法は、
取得された第２の測定結果を予め設定された条件と比較し、予め設定された条件が満たされる場合、第２の測定結果を第１の基地局に送信するステップをさらに含む。
【０１８１】
第４の態様を参照して、第４の態様の第４９の可能な実装様式では、方法は、
現在サービングしている第１の基地局により送信されたハンドオーバコマンドメッセージを受信するステップであって、ハンドオーバコマンドメッセージは、ターゲットとする第１の基地局により制御され端末のコンテキスト情報を有する各第２の基地局に関する情報を含み、現在サービングしている第１の基地局は、端末とのデータ伝送を現在行っている第１の基地局であり、ターゲットとする第１の基地局は、現在サービングしている第１の基地局から端末がハンドオーバされるターゲットとする第１の基地局である、ステップをさらに含む。
【０１８２】
第４の態様の第４９の可能な実装様式を参照して、第４の態様の第５０の可能な実装様式では、ハンドオーバコマンドメッセージは、ターゲットとする第１の基地局に対してランダムアクセスを行うことをスキップするように端末に命令する命令情報をさらに含み、
端末は、ターゲットとする第１の基地局に対してランダムアクセスを行うことをスキップするように命令する命令情報に従って、ターゲットとする第１の基地局に対してランダムアクセスを行わない。
【０１８３】
第４の態様の第４９の可能な実装様式を参照して、第４の態様の第５１の可能な実装様式では、方法は、
データ伝送を行うために、ハンドオーバコマンドメッセージに従って、端末のコンテキスト情報を有する少なくとも１つの第２の基地局を選択するステップをさらに含む。
【０１８４】
第４の態様の第４９の可能な実装様式を参照して、第４の態様の第５２の可能な実装様式では、ターゲットとする第１の基地局により制御され端末のコンテキスト情報を有する各第２の基地局は、ターゲットとする第１の基地局によって制御され、またはターゲットとする第１の基地局に接続される。
【０１８５】
第４の態様の第４９の可能な実装様式を参照して、第４の態様の第５３の可能な実装様式では、ターゲットとする第１の基地局により制御され端末のコンテキスト情報を有する各第２の基地局は、現在サービングしている第１の基地局とターゲットとする第１の基地局とによって共同で制御され、または現在サービングしている第１の基地局とターゲットとする第１の基地局との両方と接続関係を有する。
【０１８６】
第４の態様の第４９乃至第５３の可能な実装様式のいずれか１つを参照して、第４の態様の第５４の可能な実装様式では、現在サービングしている第１の基地局により送信されたハンドオーバコマンドメッセージを受信するステップの前に、方法は、
ネットワークにおける各第１の基地局を測定し、各第１の基地局の測定結果を取得するステップをさらに含み、第１の基地局は、現在サービングしている第１の基地局、および隣接する第１の基地局を含み、隣接する第１の基地局は、ターゲットとする第１の基地局を含む。
【０１８７】
第４の態様の第５４の可能な実装様式を参照して、第４の態様の第５５の可能な実装様式では、方法は、
現在サービングしている第１の基地局の測定結果、および隣接する第１の基地局の測定結果に従って、ターゲットとする第１の基地局を決定するステップと、
第１のハンドオーバ要求メッセージを現在サービングしている第１の基地局に送信するステップであって、第１のハンドオーバ要求メッセージは、ターゲットとする第１の基地局へハンドオーバされるように要求することに関する情報を含む、ステップと
をさらに含む。
【０１８８】
第４の態様の第５４の可能な実装様式を参照して、第４の態様の第５６の可能な実装様式では、方法は、隣接する第１の基地局の測定結果を現在サービングしている第１の基地局に送信し、それにより、現在サービングしている第１の基地局が、ターゲットとする第１の基地局へのハンドオーバを行うかどうかを決定する、ステップをさらに含む。
【０１８９】
第４の態様の第５１の可能な実装様式を参照して、第４の態様の第５７の可能な実装様式では、データ伝送を行うために、ハンドオーバコマンドメッセージに従って、端末のコンテキスト情報を有する少なくとも１つの第２の基地局を選択するステップは、
データ伝送を行うために、現在サービングしている第１の基地局の制御下でサービスを提供しコンテキスト情報を有する第２の基地局を、優先的に選択するステップであって、第２の基地局は、ターゲットとする第１の基地局によって制御される、ステップを含む。
【０１９０】
第４の態様の第４９の可能な実装様式を参照して、第４の態様の第５８の可能な実装様式では、ハンドオーバコマンドメッセージは、
少なくとも１つの現在サービングしている第２の基地局とのデータ伝送を行い続けるように端末に命令する命令情報をさらに含み、現在サービングしている第２の基地局は、ハンドオーバコマンドが受信される前に端末に対してデータ伝送を提供する第２の基地局であり、
端末は、ハンドオーバコマンドメッセージに従って、ターゲットとする第１の基地局へのハンドオーバを行い、同時に、少なくとも１つの現在サービングしている第２の基地局を介してデータ伝送を行い続ける。
【０１９１】
第１の態様の第５８の可能な実装様式を参照して、第１の態様の第５９の可能な実装様式では、方法は、
ハンドオーバ完了標識を、現在サービングしている第１の基地局により制御される第２の基地局を介して、現在サービングしている第１の基地局に送信するステップをさらに含む。
【０１９２】
第４の態様を参照して、第４の態様の第６０の可能な実装様式では、方法は、
ネットワークにおける各第１の基地局を測定し、各第１の基地局の測定結果を取得するステップであって、第１の基地局は、現在サービングしている第１の基地局、および隣接する第１の基地局を含む、ステップと、
測定結果に従って、ターゲットとする第１の基地局を決定するステップであって、ターゲットとする第１の基地局は、現在サービングしている第１の基地局から端末がハンドオーバされるターゲットとする第１の基地局である、ステップと、
ハンドオーバ要求メッセージをターゲットとする第１の基地局に送信するステップであって、ハンドオーバ要求メッセージは、現在サービングしている第１の基地局に関する情報、および第２の基地局候補に関する情報を含み、第２の基地局候補は、ターゲットとする第１の基地局によって制御されまたはターゲットとする第１の基地局に接続され、端末に対するサービスを提供できる、第２の基地局である、ステップと
をさらに含む。
【０１９３】
第４の態様の第６０の可能な実装様式を参照して、第４の態様の第６１の可能な実装様式では、方法は、
ターゲットとする第１の基地局からハンドオーバ要求確認応答メッセージを受信するステップであって、ハンドオーバ要求確認応答メッセージは、ターゲットとする第１の基地局によって制御されまたはターゲットとする第１の基地局に接続され、端末のコンテキスト情報を有する第２の基地局のリストを含む、ステップと、
データ伝送を行うために、ハンドオーバ要求確認応答メッセージに従って、端末のコンテキスト情報を有する少なくとも１つの第２の基地局を選択するステップと
をさらに含む。
【０１９４】
第４の態様の第６１の可能な実装様式を参照して、第４の態様の第６２の可能な実装様式では、データ伝送を行うために、ハンドオーバ要求確認応答メッセージに従って、端末のコンテキスト情報を有する少なくとも１つの第２の基地局を選択するステップの後、方法は、
ハンドオーバ完了標識メッセージを現在サービングしている第１の基地局に送信するステップ、または
ハンドオーバ完了標識メッセージをターゲットとする第１の基地局を介して現在サービングしている第１の基地局に送信するステップ
をさらに含む。
【０１９５】
第４の態様を参照して、第４の態様の第６３の可能な実装様式では、方法は、
ネットワークにおける各第１の基地局を測定し、各第１の基地局の測定結果を取得するステップであって、第１の基地局は、現在サービングしている第１の基地局、および隣接する第１の基地局を含む、ステップと、
測定結果に従って、ターゲットとする第１の基地局を決定するステップであって、ターゲットとする第１の基地局は、現在サービングしている第１の基地局から端末がハンドオーバされるターゲットとする第１の基地局である、ステップと、
ハンドオーバ要求メッセージを現在サービングしている第１の基地局に送信するステップであって、ハンドオーバ要求メッセージは、ターゲットとする第１の基地局へハンドオーバされるように要求することに関する情報を含む、ステップと、
現在サービングしている第１の基地局により送信されたハンドオーバコマンドメッセージを受信するステップと
をさらに含む。
【０１９６】
第４の態様の第６３の可能な実装様式を参照して、第４の態様の第６４の可能な実装様式では、ハンドオーバコマンドメッセージは、ターゲットとする第１の基地局へのハンドオーバを行うように端末に命令する命令情報と、少なくとも１つの現在サービングしている第２の基地局とのデータ伝送を行い続けるように端末に命令する命令情報とを含み、現在サービングしている第２の基地局は、ハンドオーバコマンドメッセージが受信される前に端末に対してデータ伝送を提供する第２の基地局であり、
端末は、ハンドオーバコマンドメッセージに従って、ターゲットとする第１の基地局へのハンドオーバを行い、同時に、少なくとも１つの現在サービングしている第２の基地局を介してデータ伝送を行い続ける。
【０１９７】
第４の態様の第６４の可能な実装様式を参照して、第４の態様の第６５の可能な実装様式では、ハンドオーバコマンドメッセージは、ベアラ再構成情報をさらに含み、
端末は、ベアラ再構成情報に従って、現在サービングしている第１の基地局と端末との間のデータ伝送サービスを現在サービングしている第２の基地局へ切り替える。
【０１９８】
第４の態様を参照して、第４の態様の第６６の可能な実装様式では、端末によって、コンテキスト情報を有する第２の基地局のリスト情報に従って、第１の基地局および／または第２の基地局を介してデータ伝送を行うステップの前に、方法は、
端末によって、第１の基地局との第１のセキュリティメカニズムをセットアップし、第２の基地局との第２のセキュリティメカニズムをセットアップするステップをさらに含む。
【０１９９】
第４の態様の第６６の可能な実装様式を参照して、第４の態様の第６７の可能な実装様式では、第２の基地局との第２のセキュリティメカニズムをセットアップするステップは、
第１の基地局により送信された第２の基地局リスト情報およびセキュリティアルゴリズム情報を受信するステップであって、第２の基地局リスト情報は、コンテキスト情報を有する各第２の基地局に関する情報を含み、セキュリティアルゴリズム情報は、第２の基地局リストに含まれる各第２の基地局に対応するセキュリティアルゴリズム情報を含む、ステップと、
第２の基地局リストから少なくとも１つの第２の基地局を選択し、少なくとも１つの第２の基地局に対応するセキュリティインデックス、およびセキュリティアルゴリズム情報に従って、各第２の基地局に対応する暗号化キーおよび／または完全性保護キーを取得するステップと
を含み、第２の基地局は、セキュリティインデックスに１対１で対応する。
【０２００】
第４の態様の第６７の可能な実装様式を参照して、第４の態様の第６８の可能な実装様式では、少なくとも１つの第２の基地局に対応するセキュリティインデックス、およびセキュリティアルゴリズム情報に従って、各第２の基地局に対応する暗号化キーおよび／または完全性保護キーを取得するステップは、
少なくとも１つの第２の基地局に対応するセキュリティインデックスに従って、少なくとも１つのセキュリティインデックスに対応するセキュリティキーを取得し、セキュリティキーに従う計算によって、対応するルートキーを取得するステップと、
ルートキーを使用することによって、第２の基地局に対応する中間キーを取得するステップと、
中間キー、および第２の基地局に対応するセキュリティアルゴリズム情報に従って、第２の基地局に対応する暗号化キーおよび／または完全性保護キーを取得するステップと
を含む。
【０２０１】
第４の態様の第６８の可能な実装様式を参照して、第４の態様の第６９の可能な実装様式では、第１の基地局および／または第２の基地局を介してデータ伝送を行うステップは、
第１のセキュリティメカニズムに基づいて第１の基地局を介してデータ伝送を行うステップ、および／または第２のセキュリティメカニズムに基づいて第２の基地局を介してデータ伝送を行うステップを含む。
【０２０２】
第４の態様の第６６の可能な実装様式を参照して、第４の態様の第７０の可能な実装様式では、第１のセキュリティメカニズムおよび第２のセキュリティメカニズムは互いに関連付けられ、
少なくとも１つの第２の基地局に対応するセキュリティインデックス、およびセキュリティアルゴリズム情報に従って、各第２の基地局に対応する暗号化キーおよび／または完全性保護キーを取得するステップは、
少なくとも１つの第２の基地局に対応するセキュリティインデックスに従って、少なくとも１つのセキュリティインデックスに対応するセキュリティキーおよび動的カウントを取得し、セキュリティキーに従う計算によって、対応するルートキーを取得するステップと、
ルートキーを使用することによって、第２の基地局に対応する中間キーを取得するステップと、
中間キーおよび動的カウントに従って、関連付けられた中間キーを取得するステップと、
関連付けられた中間キー、および第２の基地局に対応するセキュリティアルゴリズム情報に従って、第２の基地局に対応する暗号化キーおよび／または完全性保護キーを取得するステップと
を含む。
【０２０３】
第５の態様によれば、本発明の実施形態は、ワイヤレス通信方法であって、
第１の基地局によって、端末への接続をセットアップし、常時接続モードに留まるステップであって、常時接続モードは、端末への接続を常に維持する、ステップと、
第１の基地局によって、第１の専用シグナリングを端末に送信するステップであって、第１の専用シグナリングは、第２の基地局リスト情報を含み、第２の基地局リスト情報は、端末のコンテキスト情報を有する各第２の基地局に関する情報を含む、ステップと、
第１の基地局によって、端末とのデータ伝送を行うステップと
を含むワイヤレス通信方法を提供する。
【０２０４】
第５の態様を参照して、第５の態様の第１の可能な実装様式では、第１の基地局によって、端末への接続をセットアップし、常時接続モードに留まるステップは、
第１の基地局によって、予め設定された時間内に第１の基地局への接続を常に維持するステップを含む。
【０２０５】
第５の態様、または第５の態様の第１の可能な実装様式を参照して、第５の態様の第２の可能な実装様式では、第１の基地局によって、端末とのデータ伝送を行うステップは、
第１の基地局によって、制御シグナリングのみを端末に伝送するステップ、または
第１の基地局によって、ダウンリンクデータのみを端末に伝送するステップ、または
第１の基地局によって、ダウンリンク制御シグナリングのみを端末に伝送するステップ
を特に含む。
【０２０６】
第５の態様を参照して、第５の態様の第３の可能な実装様式では、第１の基地局によって、端末への接続をセットアップし、常時接続モードに留まるステップの前に、方法は、
専用メッセージを端末に送信するステップであって、専用メッセージは、常時接続モードで動作するかどうかを端末に命令する命令情報を搬送する、ステップ、または
端末により送信された第１の標識メッセージであって端末が常時接続モードで動作することを要求するかどうかに関する標識情報を搬送する第１の標識メッセージを受信し、第１の標識メッセージに従って、常時接続モードで動作するように端末を構成するかどうかを決定するステップ、または
端末により送信されたランダムアクセスプリアンブルを受信した後、ランダムアクセス応答メッセージを端末に送信するステップであって、ランダムアクセス応答メッセージは、常時接続モードで動作するかどうかを端末に命令する命令情報を搬送し、それにより、端末が、ランダムアクセス応答メッセージに従って、常時接続モードで動作するかどうかを決定する、ステップ、または
端末により送信された接続セットアップ要求メッセージを受信した後、接続セットアップ応答メッセージを端末に送信するステップであって、接続セットアップ応答メッセージは、常時接続モードで動作するかどうかを端末に命令する命令情報を搬送する、ステップ、または
端末により送信された接続セットアップ要求メッセージを受信した後、専用メッセージを端末に送信するステップであって、専用メッセージは、常時接続モードで動作するかどうかを端末に命令する命令情報を搬送する、ステップ
をさらに含む。
【０２０７】
第５の態様の第３の可能な実装様式を参照して、第５の態様の第４の可能な実装様式では、第１の標識メッセージは、
ランダムアクセスメッセージ３または接続セットアップ要求メッセージを含む。
【０２０８】
第５の態様、または第５の態様の第１乃至第４の可能な実装様式のいずれか１つを参照して、第５の態様の第５の可能な実装様式では、第１の基地局によって、端末への接続をセットアップし、常時接続モードに留まるステップは、
端末により送信されたサービス要求メッセージが受信されない場合、端末との接続された状態を維持し、常時接続モードに留まるステップ、または
端末により送信されたサービス要求メッセージであって、対応するベアラをセットアップするように要求することに関する情報を含むサービス要求メッセージが受信された場合、データ伝送を行うために、サービス要求メッセージに従って、端末のためにベアラをセットアップするステップ
を含む。
【０２０９】
第５の態様の第５の可能な実装様式を参照して、第５の態様の第６の可能な実装様式では、端末により送信されたサービス要求メッセージが受信されないとき、方法は、
端末のための間欠受信周期を構成し、それにより、端末が、間欠受信周期のアクティブ時間内に、第１の基地局により送信されたスケジューリング情報を受信する、ステップをさらに含む。
【０２１０】
第５の態様の第６の可能な実装様式を参照して、第５の態様の第７の可能な実装様式では、方法は、
スケジューリング情報を端末に送信するステップであって、スケジューリング情報は、第２の専用シグナリングを受信するように端末に命令するために使用される、ステップと、
第２の専用シグナリングを端末に送信するステップであって、第２の専用シグナリングは、通知メッセージを含み、通知メッセージは、データ伝送のためにベアラがセットアップされる必要があることを、端末に通知する情報を含む、ステップと
をさらに含む。
【０２１１】
第５の態様の第７の可能な実装様式を参照して、第５の態様の第８の可能な実装様式では、第２の専用シグナリングは、命令情報をさらに含み、
命令情報は、第２の命令情報または第３の命令情報を含み、第２の命令情報は、データ伝送を行うために少なくとも１つの第２の基地局を選択するように端末に命令する命令情報であり、第３の命令情報は、第１の基地局のみを介してデータ伝送を行うように端末に命令する命令情報である。
【０２１２】
第５の態様の第５の可能な実装様式を参照して、第５の態様の第９の可能な実装様式では、端末により送信されたサービス要求メッセージが受信された場合、方法は、
端末により送信されたサービス要求メッセージが受信された場合、スケジューリング情報を端末に送信するステップであって、スケジューリング情報は、第２の専用シグナリングを受信するように端末に命令するために使用される、ステップと、
第２の専用シグナリングを端末に送信するステップであって、第２の専用シグナリングは、通知メッセージを含み、通知メッセージは、データ伝送のためにベアラがセットアップされる必要があることを、端末に通知する情報を含む、ステップと、ベアラを使用することによって端末とのデータ伝送を行うステップと
をさらに含む。
【０２１３】
第５の態様の第９の可能な実装様式を参照して、第５の態様の第１０の可能な実装様式では、方法は、
命令メッセージを端末に送信するステップであって、命令メッセージは、第２の命令情報または第３の命令情報を含み、第２の命令情報は、データ伝送を行うために少なくとも１つの第２の基地局を選択するように命令する命令情報であり、第３の命令情報は、第１の基地局のみを介してデータ伝送を行うように命令する命令情報である、ステップをさらに含む。
【０２１４】
第５の態様の第８または第１０の可能な実装様式を参照して、第５の態様の第１１の可能な実装様式では、方法は、
端末により送信された選択された少なくとも１つの第２の基地局に関する情報を受信するステップであって、選択された少なくとも１つの第２の基地局に関する情報は、第２の命令情報に従って端末により選択された少なくとも１つの第２の基地局の各第２の基地局に関する情報である、ステップをさらに含む。
【０２１５】
第５の態様の第１１の可能な実装様式を参照して、第５の態様の第１２の可能な実装様式では、方法は、
選択された少なくとも１つの第２の基地局に関する情報における各第２の基地局が端末のコンテキスト情報を有するかどうかを決定するステップと、
端末のコンテキスト情報を有しない第２の基地局が存在する場合、端末のコンテキスト情報を、端末のコンテキスト情報を有しない第２の基地局に送信するステップと
をさらに含む。
【０２１６】
第５の態様の第９乃至第１２の可能な実装様式のいずれか１つを参照して、第５の態様の第１３の可能な実装様式では、方法は、
第１の基地局によって、一意のプリアンブルまたは一意のプリアンブルとランダムアクセスチャネルリソースとの組合せを端末に割り当て、それにより、端末が、一意のプリアンブルまたは一意のプリアンブルとランダムアクセスチャネルリソースとの組合せを使用することによって、データ伝送を行うために、第２の基地局により割り当てられたリソースを取得するステップをさらに含む。
【０２１７】
第５の態様を参照して、第５の態様の第１４の可能な実装様式では、方法は、
第１の基地局が端末とのデータ伝送を行うのを停止した後、第１の基地局によって、端末への接続をセットアップするための構成情報を保存するステップをさらに含む。
【０２１８】
第５の態様を参照して、第５の態様の第１５の可能な実装様式では、方法は、
第２の基地局リスト更新メッセージを生成し、第２の基地局リスト更新メッセージを端末に送信するステップであって、第２の基地局リスト更新メッセージは、更新された第２の基地局リスト情報を含み、それにより、端末が、第２の基地局リスト更新メッセージに従って第２の基地局リスト情報を更新する、ステップをさらに含む。
【０２１９】
第５の態様の第１５の可能な実装様式を参照して、第５の態様の第１６の可能な実装様式では、第２の基地局リスト更新メッセージを生成するステップは、
端末の位置情報、各第２の基地局の位置情報、または端末により報告された測定報告のうちの１つまたは複数に従って、第２の基地局リスト更新メッセージを生成するステップを含む。
【０２２０】
第５の態様を参照して、第５の態様の第１７の可能な実装様式では、方法は、
端末により送信された隣接基地局測定報告を受信するステップであって、隣接基地局測定報告は隣接基地局に関する情報を含み、隣接基地局に関する情報は第２の基地局リスト情報に含まれない、ステップ、または
端末により送信された第２の基地局リスト更新要求メッセージを受信するステップであって、第２の基地局リスト更新要求メッセージは隣接基地局に関する情報を含み、隣接基地局に関する情報は第２の基地局リスト情報に含まれない、ステップ、または
隣接基地局が第２の基地局リストに含まれないという端末の報告を受信するステップ
をさらに含む。
【０２２１】
第５の態様の第１７の可能な実装様式を参照して、第５の態様の第１８の可能な実装様式では、方法は、
隣接基地局が端末のコンテキスト情報を有しない場合、端末のコンテキスト情報を隣接基地局に送信し、第２の基地局リスト更新メッセージを端末に送信するステップであって、第２の基地局リスト更新メッセージは、隣接基地局に関する情報を含む、ステップをさらに含む。
【０２２２】
第５の態様の第１７の可能な実装様式を参照して、第５の態様の第１９の可能な実装様式では、第２の基地局測定報告は、隣接基地局が端末のコンテキスト情報を有しないことを示す情報をさらに含み、
方法は、端末のコンテキスト情報を隣接基地局に送信し、応答メッセージを端末に送信するステップであって、応答メッセージは、隣接基地局測定報告に従って第１の基地局によって生成され、それにより、端末が、応答メッセージに従って、隣接基地局が端末のコンテキスト情報を取得していることを認識する、ステップをさらに含む。
【０２２３】
第５の態様を参照して、第５の態様の第２０の可能な実装様式では、方法は、
デフォルト構成情報を端末および各第２の基地局に別個に送信するステップであって、デフォルト構成情報は、サービスタイプ、サービスのサービス品質ＱｏＳ、またはベアラタイプに関連付けられ、デフォルト構成情報は、端末が各第２の基地局と初期データ伝送を行うときに使用される構成情報である、ステップをさらに含む。
【０２２４】
第５の態様の第２０の可能な実装様式を参照して、第５の態様の第２１の可能な実装様式では、方法は、
第２の基地局リスト更新メッセージを端末に送信し、それにより、端末が、第２の基地局リスト更新メッセージに従って第２の基地局リスト情報を更新し、更新された第２の基地局リスト情報およびデフォルト構成情報を使用することによって、端末のコンテキスト情報を有する第２の基地局を介して初期データ伝送を行う、ステップをさらに含む。
【０２２５】
第５の態様を参照して、第５の態様の第２２の可能な実装様式では、方法は、
測定構成情報を端末に送信するステップであって、測定構成情報は、各基地局に対応する周波数レイヤの測定構成情報を含み、基地局は、第１の基地局または第２の基地局のうちの少なくとも１つを含み、第２の基地局は、マスタの第２の基地局および二次的な第２の基地局を含む、ステップをさらに含む。
【０２２６】
第５の態様の第２２の可能な実装様式を参照して、第５の態様の第２３の可能な実装様式では、測定構成情報は、
第１の基地局のみに対応する周波数レイヤを測定すること、または
第１の基地局およびマスタの第２の基地局のみに対応する周波数レイヤを測定すること、または
第１の基地局、マスタの第２の基地局、および二次的な第２の基地局のすべてに対応する周波数レイヤを測定すること
を含む。
【０２２７】
第５の態様の第２３の可能な実装様式を参照して、第５の態様の第２４の可能な実装様式では、測定構成情報は、
第１の基地局のみに対応する周波数レイヤを測定するための第１の閾値、または
第１の基地局およびマスタの第２の基地局のみに対応する周波数レイヤを測定するための第２の閾値、または
第１の基地局、マスタの第２の基地局、および二次的な第２の基地局のすべてに対応する周波数レイヤを測定するための第３の閾値
をさらに含む。
【０２２８】
第５の態様の第２４の可能な実装様式を参照して、第５の態様の第２５の可能な実装様式では、方法は、
測定報告を行うかどうかに関する命令メッセージを端末に送信するステップをさらに含む。
【０２２９】
第５の態様の第２５の可能な実装様式を参照して、第５の態様の第２６の可能な実装様式では、測定報告を行うかどうかに関する命令メッセージは、
第１の基地局に対応する周波数レイヤの測定報告のための命令情報、マスタの第２の基地局に対応する周波数レイヤの測定報告のための命令情報、または二次的な第２の基地局に対応する周波数レイヤの測定報告のための命令情報のうちの少なくとも１つを含む。
【０２３０】
第５の態様を参照して、第５の態様の第２７の可能な実装様式では、方法は、
測定構成パラメータ情報を端末に送信するステップであって、測定構成パラメータ情報は、第１の基地局に対応する周波数レイヤの測定構成パラメータ、マスタの第２の基地局に対応する周波数レイヤの測定構成パラメータ、または二次的な第２の基地局に対応する周波数レイヤの測定構成パラメータのうちの少なくとも１つを含む、ステップをさらに含む。
【０２３１】
第５の態様の第２７の可能な実装様式を参照して、第５の態様の第２８の可能な実装様式では、方法は、
端末により送信された測定結果を受信するステップであって、測定結果は、第１の測定結果および第２の測定結果を含み、第１の測定結果は、端末によって、第１の基地局に対応する周波数レイヤの測定構成パラメータに従って測定を行うことによって取得され、第２の測定結果は、端末によって、マスタの第２の基地局に対応する周波数レイヤの測定構成パラメータに従ってマスタの第２の基地局を測定することによって取得される、ステップをさらに含む。
【０２３２】
第５の態様を参照して、第５の態様の第２９の可能な実装様式では、方法は、
第１の基地局によって、端末との第１のセキュリティメカニズムをセットアップし、端末との第２のセキュリティメカニズムを第２の基地局がセットアップするのを助けるステップをさらに含む。
【０２３３】
第５の態様の第２９の可能な実装様式を参照して、第５の態様の第３０の可能な実装様式では、端末との第２のセキュリティメカニズムを第２の基地局がセットアップするのを助けるステップは、
少なくとも１つの第２の基地局に対応するセキュリティインデックスに従って、少なくとも１つのセキュリティインデックスに対応するセキュリティキーを取得し、セキュリティキーに従う計算によって、対応するルートキーを取得するステップと、
ルートキーを使用することによって、第２の基地局に対応する中間キーを取得するステップと、
第２の基地局に対応する中間キーを第２の基地局に送信するステップと
を含み、セキュリティインデックスは、第２の基地局に１対１で対応する。
【０２３４】
第５の態様の第３０の可能な実装様式を参照して、第５の態様の第３１の可能な実装様式では、方法は、
第２の基地局により送信され第２の基地局に対応するセキュリティアルゴリズム情報を受信するステップをさらに含む。
【０２３５】
第５の態様の第２９の可能な実装様式を参照して、第５の態様の第３１の可能な実装様式では、第１のセキュリティメカニズムおよび第２のセキュリティメカニズムは互いに関連付けられ、端末との第２のセキュリティメカニズムを第２の基地局がセットアップするのを助けるステップは、
少なくとも１つの第２の基地局に対応するセキュリティインデックスに従って、少なくとも１つのセキュリティインデックスに対応するセキュリティキーを取得し、セキュリティキーに従う計算によって、対応するルートキーを取得するステップと、
ルートキー、および第２の基地局に対応する一意のカウントを使用することによって、第２の基地局に対応する中間キーを取得するステップと、
第２の基地局に対応する中間キーを第２の基地局に送信するステップと
を含み、セキュリティインデックスは、第２の基地局に１対１で対応する。
【０２３６】
第５の態様の第３２の可能な実装様式を参照して、第５の態様の第３３の可能な実装様式では、方法は、
第２の基地局により送信され第２の基地局に対応するセキュリティアルゴリズム情報および動的カウントを受信するステップをさらに含む。
【０２３７】
第６の態様によれば、本発明の実施形態は、ワイヤレス通信方法であって、
現在サービングしている第１の基地局によって、端末への接続をセットアップし、常時接続モードに留まるステップであって、常時接続モードは、端末への接続を常に維持する、ステップと、
現在サービングしている第１の基地局によって、第１の専用シグナリングを端末に送信するステップであって、第１の専用シグナリングは、第２の基地局リスト情報を含み、第２の基地局リスト情報は、端末のコンテキスト情報を有する各第２の基地局に関する情報を含む、ステップと、
現在サービングしている第１の基地局によって、端末とのデータ伝送を行うステップと
を含むワイヤレス通信方法を提供する。
【０２３８】
第６の態様を参照して、第６の態様の第１の可能な実装様式では、方法は、
現在サービングしている第１の基地局によって、ハンドオーバコマンドメッセージを端末に送信するステップであって、ハンドオーバコマンドメッセージは、ターゲットとする第１の基地局により制御され端末のコンテキスト情報を有する各第２の基地局に関する情報を含み、ターゲットとする第１の基地局は、現在サービングしている第１の基地局から端末がハンドオーバされるターゲットとする第１の基地局である、ステップをさらに含む。
【０２３９】
第６の態様の第１の可能な実装様式を参照して、第６の態様の第２の可能な実装様式では、ハンドオーバコマンドメッセージは、ターゲットとする第１の基地局に対してランダムアクセスを行うことをスキップするように端末に命令する命令情報をさらに含み、それにより、端末が、命令情報に従って、ターゲットとする第１の基地局に対してランダムアクセスを行わない。
【０２４０】
第６の態様の第１の可能な実装様式を参照して、第６の態様の第３の可能な実装様式では、現在サービングしている第１の基地局によって、ハンドオーバコマンドメッセージを端末に送信するステップの前に、方法は、
端末により送信された各隣接する第１の基地局の測定結果を受信するステップであって、各隣接する第１の基地局の測定結果は、端末によって、現在サービングしている第１の基地局に隣接する各基地局を測定することによって取得される、ステップと、
各隣接する第１の基地局の測定結果に従って、ターゲットとする第１の基地局を決定するステップと
をさらに含む。
【０２４１】
第６の態様の第１の可能な実装様式を参照して、第６の態様の第４の可能な実装様式では、現在サービングしている第１の基地局によって、ハンドオーバコマンドメッセージを端末に送信するステップの前に、方法は、
端末により送信された第１のハンドオーバ要求メッセージを受信するステップであって、第１のハンドオーバ要求メッセージは、ターゲットとする第１の基地局に関する情報を含む、ステップをさらに含む。
【０２４２】
第６の態様の第１の可能な実装様式を参照して、第６の態様の第５の可能な実装様式では、方法は、
第２のハンドオーバ要求メッセージをターゲットとする第１の基地局に送信するステップであって、第２のハンドオーバ要求メッセージは、端末のコンテキスト情報、および端末のコンテキスト情報を現在有する各第２の基地局に関する情報を含む、ステップをさらに含む。
【０２４３】
第６の態様の第５の可能な実装様式を参照して、第６の態様の第６の可能な実装様式では、方法は、
ハンドオーバ命令を、端末に対するサービスを現在提供している第２の基地局に送信し、それにより、端末に対するサービスを現在提供している第２の基地局が、ハンドオーバ命令に従ってデータ伝送を行う、ステップをさらに含む。
【０２４４】
第６の態様の第６の可能な実装様式を参照して、第６の態様の第７の可能な実装では、方法は、端末に対するサービスを現在提供している第２の基地局が、現在サービングしている第１の基地局によって制御され端末のコンテキスト情報を有する第２の基地局、または現在サービングしている第１の基地局に接続され端末のコンテキスト情報を有する第２の基地局であることをさらに含む。
【０２４５】
第６の態様の第６の可能な実装様式を参照して、第６の態様の第８の可能な実装では、ハンドオーバ命令を、端末に対するサービスを現在提供している第２の基地局に送信し、それにより、端末に対するサービスを現在提供している第２の基地局が、ハンドオーバ命令に従ってデータ伝送を行う、ステップは、ハンドオーバ命令を、端末に対するサービスを現在提供している第２の基地局に送信するステップであって、ハンドオーバ命令は、ターゲットとする第１の基地局に関する情報を含み、それにより、端末に対するサービスを現在提供している第２の基地局が、ハンドオーバ命令に従って、ターゲットとする第１の基地局の制御下で端末とデータ伝送が行われることが可能であるかどうかを決定する、ステップを含む。
【０２４６】
第６の態様の第６の可能な実装様式を参照して、第６の態様の第９の可能な実装では、ハンドオーバ命令を、端末に対するサービスを現在提供している第２の基地局に送信し、それにより、端末に対するサービスを現在提供している第２の基地局が、ハンドオーバ命令に従ってデータ伝送を行う、ステップは、ハンドオーバ命令を、端末に対するサービスを現在提供している第２の基地局に送信するステップであって、ハンドオーバ命令は、端末とのデータ伝送を行うのを停止するように命令する情報を含み、それにより、端末に対するサービスを現在提供している第２の基地局が、ハンドオーバ命令に従って、端末とのデータ伝送を行うのを停止する、ステップを含む。
【０２４７】
第６の態様の第６の可能な実装様式を参照して、第６の態様の第１０の可能な実装では、ハンドオーバ命令を、端末に対するサービスを現在提供している第２の基地局に送信し、それにより、端末に対するサービスを現在提供している第２の基地局が、ハンドオーバ命令に従ってデータ伝送を行う、ステップは、ハンドオーバ命令を、端末に対するサービスを現在提供している第２の基地局に送信するステップであって、ハンドオーバ命令は、端末とのデータ伝送を行うことを継続するように命令する情報を含み、それにより、端末に対するサービスを現在提供している第２の基地局が、ハンドオーバ命令に従って、端末とのデータ伝送を行うことを継続する、ステップを含む。
【０２４８】
第６の態様の第１の可能な実装様式を参照して、第６の態様の第１１の可能な実装では、ハンドオーバコマンドメッセージは、第２の基地局命令情報をさらに含み、第２の基地局命令情報は、少なくとも１つの現在サービングしている第２の基地局とのデータ伝送を行い続けるように端末に命令する命令情報である。
【０２４９】
第６の態様を参照して、第６の態様の第１２の可能な実装様式では、方法は、
第２の基地局制御ネゴシエーションメッセージを、ターゲットとする第１の基地局に送信するステップであって、第２の基地局制御ネゴシエーションメッセージは、共同制御条件を満たす第２の基地局に関する情報を含む、ステップと、
ターゲットとする第１の基地局により送信された第２の基地局ネゴシエーション応答メッセージを受信するステップであって、第２の基地局ネゴシエーション応答メッセージは、第２の基地局制御ネゴシエーションメッセージに従って生成された応答メッセージであり、応答メッセージは、隣接する第１の基地局によって決定され共同で制御されることが可能な第２の基地局に関する情報、または第２の基地局制御ネゴシエーションメッセージに含まれ共同で制御されることが可能な第２の基地局に関する情報の確認応答を含む、ステップと
をさらに含む。
【０２５０】
第６の態様の第１２の可能な実装様式を参照して、第６の態様の第１３の可能な実装様式では、第２の基地局制御ネゴシエーションメッセージを、ターゲットとする第１の基地局に送信するステップの前に、方法は、ネットワークにおける各第２の基地局の位置情報、ならびに現在サービングしている第１の基地局およびターゲットとする第１の基地局の位置情報に従って、共同制御条件を満たす第２の基地局を取得するステップであって、共同制御条件を満たす第２の基地局は、現在サービングしている第１の基地局およびターゲットとする第１の基地局によって共同で制御される第２の基地局である、ステップをさらに含む。
【０２５１】
第６の態様の第１２または第１３の可能な実装様式を参照して、第６の態様の第１４の可能な実装様式では、方法は、
現在サービングしている第１の基地局が、端末により送信された第１のハンドオーバ要求メッセージを受信した後、第２の基地局ネゴシエーション応答メッセージに従って、第２のハンドオーバ要求メッセージをターゲットとする第１の基地局に送信するステップであって、第２のハンドオーバ要求メッセージは、端末のコンテキスト情報と、共同制御条件を満たす第２の基地局に関する情報とを含む、ステップをさらに含む。
【０２５２】
第７の態様によれば、本発明の実施形態は、ワイヤレス通信システムであって、端末、第１の基地局、および第２の基地局を備え、端末は、第１の基地局への接続をセットアップし、常時接続モードに留まり、常時接続モードは、第１の基地局への接続を常に維持し、
端末は、第１の基地局および／または第２の基地局を介してデータ伝送を行い、
第１の基地局は、
サービスセットアップメッセージのスケジューリングおよび伝送、または
パブリックセキュリティメッセージの生成、スケジューリング、および伝送、または
ベアラセットアップ、修正、および解放の管理、または
アクセス層セキュリティ制御、または
ブロードキャストサービススケジューリングおよび伝送
のうちのいずれか１つまたはそれらの組合せのために使用される、
ワイヤレス通信システムを提供する。
【０２５３】
第７の態様を参照して、第７の態様の第１の可能な実装様式では、端末は、第１の態様、または第１の態様の第１乃至第７０の可能な実装様式のいずれか１つによる端末を含む。
【０２５４】
第７の態様を参照して、第７の態様の第２の可能な実装様式では、第１の基地局は、第２の態様、または第２の態様の第１乃至第３３の可能な実装様式のいずれか１つによる第１の基地局を含む。
【０２５５】
第７の態様を参照して、第７の態様の第３の可能な実装様式では、システムは、モビリティ管理エンティティをさらに備え、モビリティ管理エンティティは、第１の基地局に接続され、通信システムとロングタームエボリューション通信システムとの間のハンドオーバ時のモビリティ管理エンティティの選択のために構成され、または
通信システムと２Ｇ通信システムもしくは３Ｇ通信システムとの間のハンドオーバ時にサービングＧＰＲＳサポートノードを選択するように構成される。
【０２５６】
第８の態様によれば、本発明の実施形態は、ワイヤレス通信システムであって、端末、第１の基地局、および第２の基地局を備え、端末は、第１の基地局への接続をセットアップし、常時接続モードに留まり、常時接続モードは、第１の基地局への接続を常に維持し、
端末は、第１の基地局および／または第２の基地局を介してデータ伝送を行い、
第１の基地局は、
サービスセットアップメッセージのスケジューリングおよび伝送、または
パブリックセキュリティメッセージの生成、スケジューリング、および伝送、または
ベアラセットアップ、修正、および解放の管理、または
アクセス層セキュリティ制御、または
ブロードキャストサービススケジューリングおよび伝送、または
通信システムとロングタームエボリューション通信システムとの間のハンドオーバ時のモビリティ管理エンティティの選択、または
通信システムと２Ｇ通信システムもしくは３Ｇ通信システムとの間のハンドオーバ時のサービングＧＰＲＳサポートノードの選択
のうちのいずれか１つまたはそれらの組合せのために使用される、
ワイヤレス通信システムを提供する。
【０２５７】
第８の態様を参照して、第８の態様の第１の可能な実装様式では、端末は、第１の態様、または第１の態様の第１乃至第７０の可能な実装様式のいずれか１つによる端末を含む。
【０２５８】
第８の態様を参照して、第８の態様の第２の可能な実装様式では、第１の基地局は、第２の態様、または第２の態様の第１乃至第３３の可能な実装様式のいずれか１つによる第１の基地局を含む。
【０２５９】
本発明の実施形態は、ワイヤレス通信方法、ワイヤレス通信装置、およびワイヤレス通信システムを提供する。端末は、第１の基地局への接続をセットアップし、常時接続モードに留まり、それにより、第１の基地局が、予め設定された時間範囲内に常に端末のコンテキスト情報を有し、端末とのダウンリンク同期を維持する。したがって、端末が高密度ネットワーク内を移動するとき、第１の基地局のハンドオーバが減少されることができる。さらに、端末が高密度ネットワーク内を移動するとき、頻繁なシグナリング相互作用が減少され、ネットワーク全体におけるページング負荷が減少され、サービスセットアップおよび伝送におけるエンドツーエンド遅延が減少される。
【図面の簡単な説明】
【０２６０】
本発明の実施形態における技術的解決法をより明確に説明するために、以下は、実施形態または先行技術を説明するのに必要とされる添付図面を手短に説明する。以下の説明における添付図面が、本発明のいくつかの実施形態を示し、当業者が、創意工夫なしで、これらの添付図面から、その他の図面をさらに引き出し得ることが明白である。
【図１】本発明による、ワイヤレス通信システムの実施形態１の概略構造図である。
【図２】本発明による、ワイヤレス通信システムの実施形態２の概略構造図である。
【図３】Ａ−ｅＮＢとＭＭＥとの間のプロトコルスタックアーキテクチャ１の概略図である。
【図４】Ａ−ｅＮＢとＭＭＥとの間のプロトコルスタックアーキテクチャ２の概略図である。
【図５】本発明による、端末の実施形態１の概略構造図である。
【図６】本発明による、基地局の実施形態１の概略構造図である。
【図７】本発明の実施形態１のシグナリングの流れ図である。
【図８】本発明の実施形態２のシグナリングの流れ図である。
【図９】本発明の実施形態３のシグナリングの流れ図である。
【図１０】本発明の実施形態４のシグナリングの流れ図である。
【図１１】本発明の実施形態５のシグナリングの流れ図である。
【図１２】本発明の実施形態６のシグナリングの流れ図である。
【図１３】本発明の実施形態７のシグナリングの流れ図である。
【図１４Ａ】本発明の実施形態８のシグナリングの流れ図である。
【図１４Ｂ】本発明の実施形態８のシグナリングの流れ図である。
【図１５】本発明の実施形態９のシグナリングの流れ図である。
【図１６】本発明の実施形態１０のシグナリングの流れ図である。
【図１７】本発明の実施形態１１のシグナリングの流れ図である。
【図１８】本発明による、ワイヤレス通信方法の実施形態１の流れ図である。
【図１９】本発明による、ワイヤレス通信方法の実施形態２の流れ図である。
【発明を実施するための形態】
【０２６１】
本発明の目的、技術的解決法、および利点をより明確にするために、以下では、本発明の実施形態における添付図面を参照して、本発明の実施形態における技術的解決法を、明確に説明する。説明される実施形態は、本発明の実施形態のいくつかでありすべてではない。創意工夫なしに、本発明の実施形態に基づき、当業者によって得られるその他のすべての実施形態は、本発明の保護範囲内にあるものとする。
【０２６２】
本発明の実施形態の本旨は、ユーザ機器（Ｕｓｅｒ  Ｅｑｕｉｐｍｅｎｔ、略してＵＥ）が、ネットワークに入った後、常に接続状態にあること、すなわち、ＵＥが常時接続モードに留まることである。３ＧＰＰにおいて、接続状態とは、接続状態またはアクティブ状態である。本明細書において、「常時」は、相対的な意味での永続を表し、絶対的な意味での永続ではなく、すなわち、ある時間範囲において常に接続状態にあることに、留意されるべきである。たとえば、時間範囲は、ＵＥの現在の電源オンから電源オフまたは次の電源オンまでの時間であり得る。この時間範囲において、ＵＥは、接続状態にあり、すなわち、本発明の実施形態における「常時」は、絶対的な意味での永続ではない。したがって、本発明の実施形態における常に接続状態であることに対して、時間範囲は、数分、数十分、または数時間などの色々な時間長であり得ることが理解できる。これは、本発明のこの実施形態に限定されない。ＵＥが常時接続モードに留まることは、ＵＥが、ある時間範囲においてアイドル状態に入らないことを意味する。３ＧＰＰにおいて、アイドル状態とは、アイドル状態である。すなわち、ＵＥは、その時間範囲において、もうアイドル状態に入ることはない。
【０２６３】
ＵＥが常時接続モードに留まるかどうかは、ＵＥ自体によって決定されても、またはネットワーク側によって相応に制御されてもよい。言い換えれば、ＵＥが、永久にアイドル状態に入らないかどうか、またはある長い時間、アイドル状態に入らないかどうかは、ＵＥ自体によって決定されても、またはネットワーク側によって相応に制御されてもよい。
【０２６４】
本発明の実施形態の以下の説明において、別段の定めがない限り、「常時接続モード」とは、ある時間範囲において常に接続状態にあることを意味する、または、ＵＥがある時間範囲においてアイドル状態に入らないことを意味する。
【０２６５】
ＵＥが常時接続モードに留まることをサポートし、確実にするために、スーパー基地局が、既存のネットワークに追加して配備される必要がある。スーパー基地局は、低周波数リソース、たとえば、モバイル通信における使用のためのＵＨＦスペクトルで割り当てられた周波数リソース、または低周波数のその他のスペクトルリソースを使用する。低周波数リソースは、強い透過性と広カバレッジの特徴を有する。スーパー基地局に配備された低周波数スペクトルのカバレッジ半径は、数十キロメートルまたはその他のそれより大きな半径範囲であり得る。スーパー基地局は、アンカー基地局（Ａｎｃｈｏｒ  ｅＵＴＲＡＮ  ＮｏｄｅＢ、略してＡ−ｅＮＢ）として定義され、または、エンジン基地局と呼ばれ得る。Ａ−ｅＮＢのカバレッジ内に、小さなカバレッジを有するいくつかの基地局（ｅＵＴＲＡＮ  ＮｏｄｅＢ、略してｅＮＢ）が存在し得る。具体的には、ｅＮＢが、主基地局（Ｍａｃｒｏ  ｅＮＢ、略してＭｅＮＢ）と二次基地局（スモールｅＮＢ、略してＳ−ｅＮＢ）とにさらに分類され得る。ＵＥが、Ａ−ｅＮＢのカバレッジ内で移動する場合、ＵＥは、データ伝送を行うために、優れた信号品質のｅＮＢをランダムに選択し得、Ａ−ｅＮＢは、主に、ダウンリンク制御シグナリング伝送およびいくつかのダウンリンク特有のサービス、たとえば、マルチメディア放送および同報サービス（Ｍｕｌｔｉｍｅｄｉａ  Ｂｒｏａｄｃａｓｔ  Ｍｕｌｔｉｃａｓｔ  Ｓｅｒｖｉｃｅ、略してＭＢＭＳ）をＵＢに提供するのに責任を負う。
【０２６６】
スーパー基地局の導入と、スーパー基地局へのＵＨＦスペクトルリソースまたは低周波数帯域のその他のスペクトルリソースの配備に従って、ＵＥは、長時間スーパー基地局と接続された状態を維持し得るように、大部分の時間、スーパー基地局のカバレッジ内にあり得る。本明細書において、いわゆる接続状態を維持するということは、スーパー基地局がＵＥのコンテキスト情報を有し、また、スーパー基地局が、ＵＥがスーパー基地局のカバレッジの範囲内にあることを明確に知っていることを特に意味する。一般に、ＵＥは、少なくとも、スーパー基地局とのダウンリンク同期を維持する。しかしながら、ＵＥはまた、スーパー基地局とのアップリンクおよび／またはダウンリンクタイミング同期を維持し得ないが、必要な場合、要求に応じて同期を行う。
【０２６７】
本発明の実施形態において、ＵＥが常時接続モードに留まり、大きなカバレッジ半径のカバレッジを有し得るネットワークは、常時接続ネットワーク（Ａｌｗａｙｓ  Ｃｏｎｎｅｃｔｅｄ  Ｎｅｔｗｏｒｋ、略してＡＣＮ）、または常時接続システム（Ａｌｗａｙｓ  Ｃｏｎｎｅｃｔｅｄ  Ｓｙｓｔｅｍ、略してＡＣＳ）、または常時アクティブネットワーク（Ａｌｗａｙｓ  Ａｃｔｉｖｅ  Ｎｅｔｗｏｒｋ、略してＡＡＮ）、または常時アクティブシステム（Ａｌｗａｙｓ  Ａｃｔｉｖｅ  Ｓｙｓｔｅｍ、略してＡＡＳ）、または常時接続状態ネットワーク（Ａｌｗａｙｓ  Ｃｏｎｎｅｃｔｅｄ−Ｓｔａｔｅ  Ｎｅｔｗｏｒｋ、略してＡＣＳＮ）、または常時接続状態システム（Ａｌｗａｙｓ  Ｃｏｎｎｅｃｔｅｄ  Ｓｔａｔｅ  Ｓｙｓｔｅｍ、略してＡＣＳＳ）、または常時アクティブ状態ネットワーク（Ａｌｗａｙｓ  Ａｃｔｉｖｅ  Ｓｔａｔｅ  Ｎｅｔｗｏｒｋ、略してＡＡＳＮ）、または常時アクティブ状態システム（Ａｌｗａｙｓ  Ａｃｔｉｖｅ  Ｓｔａｔｅ  Ｓｙｓｔｅｍ、略してＡＡＳＳ）と呼ばれる。
【０２６８】
さらに、常時接続モードに留まることは、常時オンとも呼ばれ得る。したがって、本発明の実施形態に提供されるネットワークは、相応に、常時オンネットワーク（Ａｌｗａｙｓ  Ｏｎ  Ｎｅｔｗｏｒｋ、略してＡＯＮ）または常時オンシステム（Ａｌｗａｙｓ  Ｏｎ  Ｓｙｓｔｅｍ、略してＡＯＳ）とも呼ばれ得る。
【０２６９】
さらに、ＵＥの観点から、頻繁なシグナリング相互作用を避け、遅延を低減するために、本発明の各実施形態は、ＵＥ中心の方法を提供する。特定の実施ソリューションに対して、後続の実施形態に言及が行われ得る。したがって、本発明の実施形態によって提供される方法およびネットワークアーキテクチャは、ＵＥ中心ネットワーク、すなわち、ＵＥ中心ネットワーク（略してＵＣＮ）またはＵＥ中心システム（略してＵＣＳ）とも名付けられ得る。
【０２７０】
説明を簡単にするために、以下の実施形態におけるネットワークは、ＡＯＮと呼ばれる。
【０２７１】
図１は、本発明による、ワイヤレス通信システムの実施形態１の概略構造図である。Ａ−ｅＮＢが現在のＬＴＥネットワークに導入されたネットワークアーキテクチャが、図１に示され得る。ＡＯＮネットワークは、ＵＥ、ｅＮＢ、Ａ−ｅＮＢ、進化型モビリティ管理エンティティ（ｅＵＴＲＡＮ  Ｍｏｂｉｌｉｔｙ  Ｍａｎａｇｅｍｅｎｔ  Ｅｎｔｉｔｙ、略してＥ−ＭＭＥ）、およびサービングゲートウェイ（Ｓｅｒｖｉｎｇ  Ｇａｔｅｗａｙ、略してＳ−ＧＷ）を含む。ＵＥは、ＡＯＮ／Ａ−ｅＮＢを使用することにより、ネットワークにアクセスする。Ａ−ｅＮＢは、Ｓ−Ｃインターフェイスを使用することにより、Ｅ−ＭＭＥに接続される。Ａ−ｅＮＢは、Ｓ−Ｘインターフェイスを使用することにより、Ｓ−ＧＷに接続される。Ｅ−ＭＭＥは、Ｓ−Ｙインターフェイスを使用することにより、Ｓ−ＧＷに接続される。本明細書において、Ｓ−ＧＷは、独立したデバイスエンティティであり得、または、Ａ−ｅＮＢと一体化されて、パブリックエンティティになり得る。ｅＮＢの機能は、現在のＬＴＥネットワーク内のｅＮＢの機能との整合性を保つ。
【０２７２】
図１に示されたネットワークアーキテクチャに基づき、Ａ−ｅＮＢが、
（１）無線リソース管理、
（２）ユーザプレーンデータＩＰヘッダ圧縮および暗号化、
（３）Ｅ−ＭＭＢの選択、
（４）Ｓ−ＧＷへのユーザプレーンデータのルーティング、
（５）ブロードキャストサービススケジューリングおよび伝送、ならびに、
（６）モビリティ測定構成および測定報告構成、
の機能を含み得ることに留意されるべきである。
【０２７３】
任意選択で、Ａ−ｅＮＢは、
（７）サービスセットアップメッセージのスケジューリングおよび伝送（機能は、ＬＴＥネットワークにおけるページングメッセージの機能、すなわち、サービスがセットアップされることが必要な場合に通知をＵＥに送信する機能と同様である）、
（８）パブリックセキュリティメッセージの生成、スケジューリング、および伝送、
（９）ＥＰＳベアラのセットアップ、修正、および解放の管理
（１０）アクセス層セキュリティ制御、または、
（１１）ブロードキャストサービススケジューリングおよび伝送、
の機能、またはそれらの組合せのうちのいずれか１つも含み得る。
【０２７４】
図１に示されたネットワークアーキテクチャに基づき、Ｅ−ＭＭＥの機能は、
（１）非アクセス層シグナリングの伝送およびセキュリティ、
（２）パケットデータネットワークゲートウェイ（Ｐａｋｅｔ  Ｄａｔａ  Ｎｅｔｗｏｒｋ  Ｇａｔｅｗａｙ、略してＰＤＮ  ＧＷ）およびＳ−ＧＷの選択、
（３）ローミング制御、および
（４）認証制御
の機能を含み得る。
【０２７５】
任意選択で、Ｅ−ＭＭＥは、
（５）ＡＯＮとＬＴＥとの間のハンドオーバ中のＭＭＥの選択、または
（６）ＡＯＮと２Ｇまたは３Ｇシステムとの間のハンドオーバ中のサービングＧＰＲＳサポートノード（Ｓｅｒｖｉｎｇ  ＧＰＲＳ  ＳＵＰＰＯＲＴ  ＮＯＤＥ、略してＳＧＳＮ）の選択
の機能またはそれらの組合せのうちのいずれか１つも含み得る。
【０２７６】
図２は、本発明による、ワイヤレス通信システムの実施形態２の概略構造図である。さらに、Ａ−ｅＮＢが現在のＬＴＥネットワークに導入されたネットワークアーキテクチャが、図２に示され得る。図１とは異なり、図２に示されたネットワークアーキテクチャ内のＡＯＮネットワークは、ＵＥ、ｅＮＢ、Ａ−ｅＮＢ、およびＳ−ＧＷを含む。ＵＥは、ＡＯＮ／Ａ−ｅＮＢを使用することにより、ネットワークにアクセスし、Ａ−ｅＮＢは、Ｓ−Ｘインターフェイスを使用することにより、Ｓ−ＧＷに接続される。本明細書において、Ｓ−ＧＷは、独立したデバイスエンティティであってもよく、または、Ａ−ｅＮＢと一体化されて、パブリックエンティティになってもよい。ｅＮＢの機能は、現在のＬＴＥネットワーク内のｅＮＢの機能との整合性を保つ。
【０２７７】
図２に示されたネットワークアーキテクチャに基づき、Ａ−ｅＮＢは、
（１）無線リソース管理、および
（２）ユーザプレーンデータＩＰヘッダの圧縮および暗号化
の機能を含み得る。
【０２７８】
図２に示されたネットワークアーキテクチャに基づき、Ｅ−ＭＭＥの機能は、
（１）Ｓ−ＧＷへのユーザプレーンデータのルーティング、
（２）ブロードキャストサービススケジューリングおよび伝送、ならびに、
（３）モビリティ測定構成および測定報告構成
の機能を含み得る。
【０２７９】
任意選択で、Ｅ−ＭＭＥは、
（４）サービスセットアップメッセージのスケジューリングおよび伝送（本明細書において、サービスセットアップメッセージの機能は、ＬＴＥネットワークにおけるページングメッセージの機能、すなわち、サービスがセットアップされることが必要な場合に、通知をＵＥに送信する機能と同様である）、
（５）パブリックセキュリティメッセージの生成、スケジューリング、および伝送、
（６）ＥＰＳベアラのセットアップ、修正、および解放の管理
（７）非セキュリティ層シグナリングの伝送およびセキュリティ、
（８）アクセス層セキュリティ制御、
（９）ＰＤＮ  ＧＷおよびＳ−ＧＷの選択、
（１０）ローミング制御、
（１１）認証制御、
（１２）ブロードキャストサービススケジューリングおよび伝送、
（１３）ＡＯＮとＬＴＥとの間のハンドオーバ中のＭＭＥの選択、または
（１４）ＡＯＮと２Ｇまたは３Ｇシステムとの間のハンドオーバ中のＳＧＳＮの選択、
の機能またはそれらの組合せのうちのいずれか１つも含み得る。
【０２８０】
図３は、Ａ−ｅＮＢとＭＭＥとの間のプロトコルスタックアーキテクチャ１の概略図である。図４は、Ａ−ｅＮＢとＭＭＥとの間のプロトコルスタックアーキテクチャ２の概略図である。図１に示されたネットワークアーキテクチャに基づき、ＵＥ、Ａ−ｅＮＢ、およびＭＭＥ間のプロトコルスタックアーキテクチャは、図３に示されるように設計され得る。しかしながら、図２に示されたネットワークアーキテクチャに基づき、ＵＥとＡ−ｅＮＢとの間のプロトコルスタックアーキテクチャは、図４に示されるように設計され得る。図４に示されるように、元のＮＡＳレイヤの機能はＲＲＣレイヤにおいて実施され得、したがって、遅延がさらに低減され得る。
【０２８１】
以下の実施形態において、ＡＯＮネットワーク内のＵＥの動作プロセスに従って、手順全体が提供される。
【０２８２】
以下の実施形態において、ｅＮＢは、同等の実施用のセルと同等に置き換えられることもある。一般に、ｅＮＢは、基地局に相当し、基地局は、１つまたは複数のセルを制御し得る。たとえば、「ＵＥのコンテキスト情報を有する１つまたは複数のｅＮＢ」の説明も、置き換えられ、ＵＥのコンテキスト情報を有する１つまたは複数のセルとして表され得る。説明を簡単にするために、以下の実施形態において別段の定めがない限り、ｅＮＢが説明用に使用されている場所では、ｅＮＢが、説明用のセルと置き換えられた後、各実施形態が、正常に実施され得る。
【０２８３】
図５は、本発明による、端末の実施形態１の概略構造図である。図５に示されるように、この実施形態における端末は、処理モジュール１１、受信モジュール１２、および送信モジュール１３を含み得る。処理モジュール１１は、第１の基地局への接続をセットアップするように構成され、常時接続モードに留まり、この常時接続モードは、第１の基地局への接続を常に保つものである。受信モジュール１２は、第１の基地局により送信された第１の専用シグナリングを受信するように構成され、第１の専用シグナリングは、第２の基地局リスト情報を含み、第２の基地局リスト情報は、端末のコンテキスト情報を有する各第２の基地局に関する情報を含む。送信モジュール１３は、第２の基地局リスト情報に従って、第１の基地局および／または第２の基地局を介してデータ伝送を行うように構成される。
【０２８４】
具体的には、常時接続モードに関する意味および説明のために、以下の意味および説明に言及が行われ得る。端末が第１の基地局への接続をセットアップし、常時接続モードに留まることは、第１の基地局が端末のコンテキスト情報を有し、また、端末が第１の基地局のカバレッジ内にあることを第１の基地局が間違いなく知っていることを意味する、ということが理解され得る。以下の意味および説明において、第１の基地局は、具体的にはＡ−ｅＮＢであり得る。端末の受信モジュール１２は、第１の基地局により送信された第１の専用シグナリングを受信し、第１の専用シグナリングは、第２の基地局リスト情報を含み、第２の基地局リスト情報は、端末のコンテキスト情報を有する各第２の基地局に関する情報を含む。すなわち、端末は、各基地局が端末のコンテキスト情報を有していることを、第１の基地局から認識し得る。第１の基地局のカバレッジ内に、小さなカバレッジのいくつかの基地局（ｅＮＢ）が存在し得、小さなカバレッジの基地局は、第２の基地局であり得る。端末は、第２の基地局リスト情報に従って、第１の基地局、または第２の基地局、または第１の基地局および第２の基地局を介してデータ伝送を行う。
【０２８５】
本発明のこの実施形態において、第１の基地局が、常に、端末のコンテキスト情報を有し、端末とのダウンリンク同期を保つように、端末は、第１の基地局への接続をセットアップし、常時接続モードに留まる。したがって、端末が高密度ネットワーク内で移動する場合、第１の基地局のハンドオーバが低減されることができる。さらに、端末が高密度ネットワーク内で移動する場合、周波数シグナリング相互作用が低減され、ネットワーク全体におけるページング読み込みが低減される。その上、端末は、第１の基地局により送信された第２の基地局リスト情報を受信し、第２の基地局リスト情報は、端末のコンテキスト情報を有する各第２の基地局に関する情報を含む。端末は、第２の基地局リスト情報に従って、第１の基地局および／または第２の基地局を介してデータ伝送を行い得る。したがって、先行技術と比較すると、サービスのセットアップおよび伝送におけるエンドツーエンド遅延が、効果的に低減されることができる。
【０２８６】
さらに、図５に示された端末の構造に基づき、処理モジュール１１が、第１の基地局への接続をセットアップし、常時接続モードに留まるように構成されることは、処理モジュールが、予め設定された時間内で第１の基地局への接続を常に維持するように構成されることを特に含む。
【０２８７】
予め設定された時間は、少なくとも、サービス伝送の時間よりも長い時間、たとえば、呼び出しの時間よりも長い時間であり得る。あるいは、予め設定された時間内で第１の基地局への接続を常に維持することは、すべてのサービス伝送の完了後に従来のアイドルモード（アイドルモード）に入らず、第１の基地局への接続を依然として維持することを意味するか、または、行われる実際のデータ伝送がない場合に第１の基地局への接続を依然として維持するか、もしくは、デフォルトベアラのみがセットアップされ、実際のデータ伝送がない場合に第１の基地局への接続を依然として維持することを意味し得る。予め設定された時間は、数分、数十分、または数時間などの色々な時間長であり得る。これは、本発明のこの実施形態に限定されない。
【０２８８】
さらに、端末の送信モジュール１３が第１の基地局を介してデータ伝送を行うように構成されることは、送信モジュールが、第１の基地局を介する制御シグナリング伝送のみを行うように構成されること、または送信モジュールが、第１の基地局を介するダウンリンクデータ伝送のみを行うように構成されること、または送信モジュールが、第１の基地局を介するダウンリンク制御シグナリング伝送のみを行うように構成されること、を含み得る。
【０２８９】
任意選択で、処理モジュール１１が、第１の基地局への接続をセットアップし、常時接続モードに留まるように構成される前に、処理モジュール１１は、アクセス周波数情報を取得し、アクセス周波数情報に対応する接続モードが常時接続モードであるかどうかを決定するようにさらに構成され得る。
【０２９０】
処理モジュール１１が、アクセス周波数情報を取得し、アクセス周波数情報に対応する接続モードが常時接続モードであるかどうかを決定するように構成されることは、処理モジュール１１が、第１の基地局により送信されたシステム情報を受信し、システム情報から、アクセス周波数情報に対応する接続モードが常時接続モードであるかどうかを取得するように構成されること、または、処理モジュール１１が、予め設定された構成情報から、アクセス周波数情報に対応する接続モードが常時接続モードであるかどうかを取得するように構成されること、で特にあり得る。
【０２９１】
処理モジュール１１は、アクセス周波数情報に対応する接続モードが常時接続モードである場合、アクセスを行うために、アクセス周波数情報に対応する第１の基地局を選択するようにさらに構成される。
【０２９２】
受信モジュール１２は、第１の基地局により送信されたスケジューリング情報を受信するようにさらに構成される。
【０２９３】
任意選択で、処理モジュール１１が第１の基地局への接続をセットアップするように構成されることは、処理モジュールが、第１の標識メッセージを第１の基地局に送信することであって、第１の標識メッセージは、常時接続モードで動作することを受け入れるように要求するかどうかに関する標識情報を搬送する、送信することと、第１の標識メッセージに応じて、第１の基地局により送信された接続構成情報を受信することであって、接続構成情報は、端末を常時接続モードで動作するように構成するかどうかを含む、受信することと、を行うように構成されること、で特にあり得る。
【０２９４】
第１の標識メッセージは、ランダムアクセスメッセージ３または接続セットアップ要求メッセージであり得る。
【０２９５】
任意選択で、処理モジュール１１が、第１の基地局への接続をセットアップし、常時接続モードに留まるように構成されることは、処理モジュールが、何らかのサービス要件が現在存在するかどうかを決定し、サービス要件が現在存在しない場合、第１の基地局との接続された状態を維持し、常時接続モードに留まり、または、サービス要件が現在存在する場合、対応するベアラをセットアップするように第１の基地局に要求し、ベアラを使用することによって、データ伝送を行うように構成されること、で特にあり得る。
【０２９６】
処理モジュール１１が、サービス要件が現在存在しない場合、第１の基地局との接続された状態を維持するように構成されることは、処理モジュール１１が、サービス要件が現在存在しない場合、第１の基地局により送信されたスケジューリング情報を受信し続けるように構成されることを特に含む。
【０２９７】
受信モジュール１２は、第１の基地局により構成された間欠受信周期を受信するようにさらに構成され、処理モジュール１１が、第１の基地局により送信されたスケジューリング情報を受信し続けるように構成されることは、受信モジュールが、間欠受信周期のアクティブ時間内に、第１の基地局により送信されたスケジューリング情報を受信するように構成されることを特に含み得る。
【０２９８】
受信モジュール１２がスケジューリング情報を受信した後、受信モジュール１２は、スケジューリング情報の命令に従って、第１の基地局により送信された第２の専用シグナリングを受信するようにさらに構成され、第２の専用シグナリングは、通知情報を含み、通知情報は、データ伝送のためにベアラがセットアップされる必要があることを、端末に通知するために使用される。
【０２９９】
第２の専用シグナリングは、命令情報をさらに含み、命令情報は、第２の命令情報または第３の命令情報を含み、第２の命令情報は、データ伝送を行うために少なくとも１つの第２の基地局を選択するよう命令する命令情報であり、第３の命令情報は、第１の基地局のみを介してデータ伝送を行うように命令する命令情報であり、受信モジュールは、第１の基地局により送信された第２の命令情報または第３の命令情報を受信するようにさらに構成される。
【０３００】
処理モジュール１１が、サービス要件が現在存在する場合、対応するベアラをセットアップするように第１の基地局に要求し、ベアラを使用することによってデータ伝送を行うように構成されることは、具体的には、サービス要件が現在存在する場合、処理モジュールが、対応するベアラをセットアップするように第１の基地局に要求することと、第１の基地局により送信された第２の専用シグナリングを受信することであって、第２の専用シグナリングは、通知情報を含み、通知情報は、データ伝送のためにベアラがセットアップされることが必要であることを端末に通知するために使用される、受信することと、ベアラを使用することによってデータ伝送を行うことと、を行うように構成される、ことであり得る。
【０３０１】
受信モジュール１２は、第１の基地局により送信された命令メッセージを受信するようにさらに構成され、命令メッセージは、第２の命令情報または第３の命令情報を含み、第２の命令情報は、データ伝送を行うために少なくとも１つの第２の基地局を選択するように命令する命令情報であり、第３の命令情報は、第１の基地局のみを介してデータ伝送を行うように命令する命令情報である。
【０３０２】
さらに、受信モジュール１２は、第１の基地局により送信された第２の命令情報が受信された場合、第２の命令情報に従って、データ伝送を行うために少なくとも１つの第２の基地局を選択するようにさらに構成される。それに応じて、送信モジュール１３は、選択された少なくとも１つの第２の基地局に関する情報を、第１の基地局に送信するようにさらに構成される。
【０３０３】
端末の受信モジュール１２が、受信された第２の命令情報に従って、少なくとも１つの第２の基地局を選択し、第２の命令情報が、第２の専用シグナリングにおいて搬送され得るか、または別個のメッセージであり得る、上記の説明とは異なり、端末は、第２の専用シグナリングにおいて、通知情報をさらに受信し得る。このように、端末は、データ伝送を行うために、少なくとも１つの第２の基地局を選択し、選択された少なくとも１つの第２の基地局に関する情報を第１の基地局に送信するか、または、第１の基地局のみを介してデータ伝送を行うことを決定し得る。
【０３０４】
送信モジュール１３は、少なくとも１つの第２の基地局の各第２の基地局が端末のコンテキスト情報を有する場合、スケジューリング要求メッセージを各第２の基地局に送信し、スケジューリング要求メッセージを使用することによって、データ伝送を行うために、各第２の基地局によって割り当てられたリソースを取得し、または、少なくとも１つの第２の基地局の各第２の基地局が端末のコンテキスト情報を有する場合、各第２の基地局に対してランダムアクセスを行い、データ伝送を行うために、各第２の基地局によって割り当てられたリソースを取得するように、さらに構成される。
【０３０５】
送信モジュールが、各第２の基地局に対してランダムアクセスを行い、データ伝送を行うために、各第２の基地局によって割り当てられたリソースを取得するように構成されることは、送信モジュールが、第１の基地局により割り当てられた一意の識別情報を使用することによって、各第２の基地局に対してランダムアクセスを行い、データ伝送を行うために、一意の識別子情報に従って、各第２の基地局によって割り当てられたリソースを取得するように構成され、一意の識別子情報は、端末に対応し、一意の識別子情報は、一意のプリアンブル、または一意のプリアンブルとランダムアクセスリソースの組合せである、ことであり得る。
【０３０６】
送信モジュール１３は、少なくとも１つの第２の基地局の各第２の基地局が端末のコンテキスト情報を有しない場合、各第２の基地局に対してランダムアクセスを行い、ランダムアクセスプロセスにおいて、端末のコンテキスト情報と、端末が接続をセットアップした先の第１の基地局に関する情報とを、各第２の基地局に送信するようにさらに構成される。
【０３０７】
任意選択で、処理モジュール１１は、第１の基地局および／または第２の基地局を介してデータ伝送を行うのを停止した後、常時接続モードで動作することを継続し、第１の基地局への接続をセットアップするための専用構成情報を保存するようにさらに構成される。
【０３０８】
任意選択で、処理モジュール１１は、アップリンク同期タイマを保持するのを停止し、または、アップリンク同期タイマが満了した後に、アップリンク同期タイマを保持するのを停止するようにさらに構成される。
【０３０９】
この実施形態における上記のステップは、端末によって初期アクセスを行うための方法のプロセスである。端末が初期アクセスを行った後、端末は、端末のコンテキスト情報を有する第２の基地局の初期リスト情報を取得し、その後、端末は、端末が、データ伝送を行うために第２の基地局を素早く使用することができるように、現在、端末にサービスを提供している第２の基地局において、また、追ってその他の第２の基地局において、端末のコンテキスト情報を管理することが必要である。したがって、この実施形態における受信モジュール１２は、第１の基地局により送信された第２の基地局リスト更新メッセージを受信し、第２の基地局リスト更新メッセージに従って、第２の基地局リスト情報を更新し、更新された第２の基地局リスト情報を取得するようにさらに構成される。
【０３１０】
任意選択で、受信モジュール１２が、第１の基地局により送信された記第２の基地局リスト更新メッセージを受信するように構成される前に、送信モジュール１３は、第２の基地局リスト更新要求メッセージを第１の基地局に送信するようにさらに構成される。
【０３１１】
第２の基地局リスト更新メッセージは、端末の位置情報および各第２の基地局の位置情報に従って、第１の基地局によって生成される。
【０３１２】
任意選択で、処理モジュール１１は、ネットワークにおける各隣接基地局を測定し、信号品質が第１の閾値よりも高い隣接基地局が存在する場合、更新された第２の基地局リスト情報が隣接基地局に関する情報を含むかどうかを決定するようにさらに構成される。
【０３１３】
処理モジュールは、更新された第２の基地局リスト情報が隣接基地局に関する情報を含まない場合、隣接基地局測定報告を第１の基地局に送信するようにさらに構成され、隣接基地局測定報告は、隣接基地局に関する情報を含む、または、更新された第２の基地局リスト情報が隣接基地局に関する情報を含まない場合、第２の基地局リスト更新要求メッセージを第１の基地局に送信するようにさらに構成され、第２の基地局リスト更新要求メッセージは、隣接基地局に関する情報を含む、または、更新された第２の基地局リスト情報が隣接基地局に関する情報を含まない場合、隣接基地局が更新された第２の基地局リストに含まれないことを、第１の基地局に報告するようにさらに構成される。
【０３１４】
任意選択で、基地局測定報告は、隣接基地局が端末のコンテキスト情報を有しないという標識をさらに含み、第１の基地局が、端末のコンテキスト情報を隣接基地局に送信するようにする。
【０３１５】
受信モジュール１２は、第１の基地局により送信された応答メッセージを受信することであって、応答メッセージは、隣接基地局測定報告に従って第１の基地局によって生成される、受信することと、応答メッセージに従って、隣接基地局が端末のコンテキスト情報を取得していることを認識することと、を行うようにさらに構成される。
【０３１６】
端末が基地局とデータ伝送を行う前に、関連の構成が、完了されることがさらに必要である。したがって、本発明のこの実施形態における端末の受信モジュール１２は、第１の基地局により送信されたデフォルト構成情報を受信するようにさらに構成され、デフォルト構成情報は、端末が各第２の基地局と初期データ伝送を行うときに使用される構成情報であり、送信モジュール１３が、第２の基地局リスト情報に従って、第１の基地局および／または第２の基地局を介してデータ伝送を行うように構成されることは、送信モジュールが、第２の基地局リスト情報およびデフォルト構成情報に従って、端末のコンテキスト情報を有する第２の基地局を介してデータ伝送を行うように構成されることを特に含む。
【０３１７】
任意選択で、デフォルト構成情報は、サービスタイプ、サービスのサービス品質ＱｏＳ、またはベアラタイプに関連付けられる。
【０３１８】
受信モジュール１２は、第１の基地局により送信された第２の基地局リスト更新メッセージを受信し、第２の基地局リスト更新メッセージに従って第２の基地局リスト情報を更新し、更新された第２の基地局リスト情報を取得するようにさらに構成される。送信モジュール１３が、第２の基地局リスト情報およびデフォルト構成情報に従って、端末のコンテキスト情報を有する第２の基地局を介してデータ伝送を行うように構成されることは、送信モジュールが、更新された第２の基地局リストおよびデフォルト構成情報に従って、端末のコンテキスト情報を有する第２の基地局を介して初期データ伝送を行い、第２の基地局により送信された再構成メッセージを受信し、再構成メッセージに従って、端末に対応するデフォルト構成情報を修正し、修正された構成情報を使用することによって、端末のコンテキスト情報を有する第２の基地局とデータ伝送を行うように構成されることであり得る。
【０３１９】
移動プロセスにおいて、端末は、選択され得る潜在的な第１の基地局または第２の基地局を決定するために、隣接する第１の基地局および隣接する第２の基地局を絶えず測定することが必要である。実際のネットワークでは、第２の基地局が、マスタの第２の基地局と二次的な第２の基地局とに分類され得、マスタの第２の基地局のカバレッジは大きく、二次的な第２の基地局のカバレッジは小さい。端末の測定効率を高め、端末の電力消費レベルを低減するために、この実施形態における端末の受信モジュール１２は、第１の基地局により送信された測定構成情報を受信し、測定構成情報に従って、各基地局に対応する周波数レイヤの測定構成を完了するようにさらに構成され、基地局は、第１の基地局および第２の基地局を含み、第２の基地局は、マスタの第２の基地局および二次的な第２の基地局を含む。
【０３２０】
測定構成情報は、第１の基地局のみに対応する周波数レイヤを測定すること、または第１の基地局およびマスタの第２の基地局のみに対応する周波数レイヤを測定すること、または第１の基地局、マスタの第２の基地局、および二次的な第２の基地局のすべてに対応する周波数レイヤを測定すること、を含む。
【０３２１】
測定構成情報は、第１の基地局のみに対応する周波数レイヤを測定するための第１の閾値を決定すること、または第１の基地局およびマスタの第２の基地局のみに対応する周波数レイヤを測定するための第２の閾値を決定すること、または第１の基地局、マスタの第２の基地局、および二次的な第２の基地局のすべてに対応する周波数レイヤを測定するための第３の閾値を決定すること、をさらに含み得る。
【０３２２】
端末の現在のサービスのＱｏＳが第１の閾値よりも低い場合、受信モジュールが、測定構成情報に従って、各基地局に対応する周波数レイヤの測定構成を完了するように構成されることは、受信モジュールが、測定構成情報に従って、第１の基地局のみに対応する周波数レイヤを測定し、測定結果を取得するように構成されることを含み、または、端末の現在のサービスのＱｏＳが第１の閾値よりも高いが第２の閾値よりも低い場合、受信モジュール１２が、測定構成情報に従って、各基地局に対応する周波数レイヤの測定構成を完了するように構成されることは、受信モジュールが、測定構成情報に従って、第１の基地局に対応する周波数レイヤ、およびマスタの第２の基地局に対応する周波数レイヤを測定し、測定結果を取得するように構成されることを含み、または、端末の現在のサービスのＱｏＳが第２の閾値または第３の閾値よりも高い場合、受信モジュール１２が、測定構成情報に従って、各基地局に対応する周波数レイヤの測定構成を完了するように構成されることは、受信モジュールが、測定構成情報に従って、第１の基地局、マスタの第２の基地局、および二次的な第２の基地局に対応する周波数レイヤを測定し、測定結果を取得するように構成されることを含む。
【０３２３】
受信モジュール１２は、測定報告を行うかどうかに関する第１の基地局により送信された命令メッセージを受信し、測定報告を行うかどうかに関する命令メッセージに従って、測定結果を第１の基地局に送信するかどうかを決定するようにさらに構成される。
【０３２４】
測定報告を行うかどうかに関する命令メッセージは、第１の基地局に対応する周波数レイヤの測定報告のための命令情報、マスタの第２の基地局に対応する周波数レイヤの測定報告のための命令情報、または二次的な第２の基地局に対応する周波数レイヤの測定報告のための命令情報のうちの少なくとも１つを含み得る。
【０３２５】
受信モジュール１２は、第１の基地局により送信された測定構成パラメータ情報を受信し、測定構成パラメータ情報に従って、各基地局に対応する周波数レイヤの測定管理を完了するようにさらに構成され、基地局は、第１の基地局および第２の基地局を含み、第２の基地局は、マスタの第２の基地局および二次的な第２の基地局を含み、測定構成パラメータ情報は、第１の基地局に対応する周波数レイヤの測定構成パラメータ、マスタの第２の基地局に対応する周波数レイヤの測定構成パラメータ、または二次的な第２の基地局に対応する周波数レイヤの測定構成パラメータのうちの少なくとも１つを含む。
【０３２６】
さらに、端末の現在のサービスのＱｏＳが第１の閾値よりも低い場合、受信モジュールが、測定構成パラメータ情報に従って、各基地局に対応する周波数レイヤの測定管理を完了するように構成されることは、受信モジュールが、第１の基地局に対応する周波数レイヤの測定構成パラメータに従って、第１の基地局の周波数レイヤを測定し、第１の測定結果を取得するように構成されることを含み、または、端末の現在のサービスのＱｏＳが第１の閾値よりも高いが第２の閾値よりも低い場合、受信モジュールが、測定構成パラメータ情報に従って、各基地局に対応する周波数レイヤの測定管理を完了するように構成されることは、受信モジュールが、第１の基地局に対応する周波数レイヤの測定構成パラメータに従って、第１の基地局の周波数レイヤを測定し、第１の測定結果を取得し、同時に、マスタの第２の基地局に対応する周波数レイヤの測定構成パラメータに従って、マスタの第２の基地局の周波数レイヤを測定し、第２の測定結果を取得するように構成されることを含み、または、端末の現在のサービスのＱｏＳが第２の閾値よりも高い場合、受信モジュールが、測定構成パラメータ情報に従って、各基地局に対応する周波数レイヤの測定管理を完了するように構成されることは、受信モジュールが、二次的な第２の基地局に対応する周波数レイヤの測定構成パラメータに従って、二次的な第２の基地局の周波数レイヤを測定し、第３の測定結果を取得するように構成されることを含む。
【０３２７】
受信モジュール１２が、第１の基地局に対応する周波数レイヤの測定構成パラメータに従って、第１の基地局の周波数レイヤを測定するように構成されることは、受信モジュールが、第１の基地局に対応する周波数レイヤの測定構成パラメータに従って、第１の基地局および／またはその第１の基地局に隣接する第１の基地局を測定するように構成されることを特に含む。
【０３２８】
受信モジュール１２が、マスタの第２の基地局に対応する周波数レイヤの測定構成パラメータに従って、マスタの第２の基地局の周波数レイヤを測定するように構成されることは、受信モジュールが、マスタの第２の基地局に対応する周波数レイヤの測定構成パラメータに従って、マスタの第２の基地局および／またはそのマスタの第２の基地局に隣接するマスタの第２の基地局を測定するように構成されることを特に含む。
【０３２９】
送信モジュール１３は、取得された第１の測定結果を第１の基地局に送信し、第３の測定結果を第１の基地局に送信するのをスキップするようにさらに構成される。
【０３３０】
送信モジュール１３は、取得された第２の測定結果を予め設定された条件と比較し、予め設定された条件が満たされる場合、第２の測定結果を第１の基地局に送信するようにさらに構成される。
【０３３１】
さらに、多数の第１の基地局がネットワークに存在する。端末の移動プロセスにおいて、一方では、端末は、第１の基地局を測定することが必要であり、他方では、端末はまた、端末がより適切な第１の基地局にハンドオーバされるように、測定結果に従ってハンドオーバされ得る。したがって、この実施形態は、第１の基地局間での端末のモビリティを管理することをさらに含む。具体的には、この実施形態における端末の受信モジュール１２は、現在サービングしている第１の基地局により送信されたハンドオーバコマンドメッセージを受信するようにさらに構成され、ハンドオーバコマンドメッセージは、ターゲットとする第１の基地局により制御され、端末のコンテキスト情報を有する各第２の基地局に関する情報を含み、現在サービングしている第１の基地局は、端末とのデータ伝送を現在行っている第１の基地局であり、ターゲットとする第１の基地局は、現在サービングしている第１の基地局から端末がハンドオーバされるターゲットとする第１の基地局である。
【０３３２】
ハンドオーバコマンドメッセージは、ターゲットとする第１の基地局に対してランダムアクセスを行うことをスキップするように、端末に命令する命令情報をさらに含み得、処理モジュールは、ターゲットとする第１の基地局に対してランダムアクセスを行うことをスキップするように命令する命令情報に従って、ターゲットとする第１の基地局に対してランダムアクセスを行わない。
【０３３３】
送信モジュール１３は、ハンドオーバコマンドメッセージに従って、端末のコンテキスト情報を有する少なくとも１つの第２の基地局を選択して、データ伝送を行うようにさらに構成される。
【０３３４】
ターゲットとする第１の基地局により制御され、端末のコンテキスト情報を有する各第２の基地局は、ターゲットとする第１の基地局によって制御され、またはターゲットとする第１の基地局に接続される。
【０３３５】
あるいは、ターゲットとする第１の基地局により制御され、端末のコンテキスト情報を有する各第２の基地局は、現在サービングしている第１の基地局とターゲットとする第１の基地局とによって共同で制御され、または現在サービングしている第１の基地局とターゲットとする第１の基地局との両方と接続関係を有する。
【０３３６】
受信モジュール１２が、現在サービングしている第１の基地局により送信されたハンドオーバコマンドメッセージを受信するように構成される前に、受信モジュール１２は、ネットワークにおける各第１の基地局を測定し、各第１の基地局の測定結果を取得するようにさらに構成され、第１の基地局は、現在サービングしている第１の基地局、および隣接する第１の基地局を含み、隣接する第１の基地局は、ターゲットとする第１の基地局を含む。
【０３３７】
受信モジュール１２は、現在サービングしている第１の基地局の測定結果、および隣接する第１の基地局の測定結果に従って、ターゲットとする第１の基地局を決定し、第１のハンドオーバ要求メッセージを現在サービングしている第１の基地局に送信するようにさらに構成され、第１のハンドオーバ要求メッセージは、ターゲットとする第１の基地局へハンドオーバされるように要求することに関する情報を含む。
【０３３８】
送信モジュール１３は、隣接する第１の基地局の測定結果を現在サービングしている第１の基地局に送信し、それにより、現在サービングしている第１の基地局が、ターゲットとする第１の基地局へのハンドオーバを行うかどうかを決定するようにさらに構成される。
【０３３９】
送信モジュール１３が、ハンドオーバコマンドメッセージに従って、端末のコンテキスト情報を有する少なくとも１つの第２の基地局を選択して、データ伝送を行うように構成されることは、送信モジュールが、ハンドオーバコマンドメッセージに従って、現在サービングしている第１の基地局の制御下でサービスを提供し、コンテキスト情報を有する第２の基地局を優先的に選択して、データ伝送を行うように構成され、第２の基地局が、ターゲットとする第１の基地局によって制御されることを含む。
【０３４０】
ハンドオーバコマンドメッセージは、少なくとも１つの現在サービングしている第２の基地局とのデータ伝送を行い続けるように端末に命令する命令情報をさらに含み、現在サービングしている第２の基地局は、ハンドオーバコマンドが受信される前に端末に対してデータ伝送を提供する第２の基地局であり、送信モジュール１３は、ハンドオーバコマンドメッセージに従って、ターゲットとする第１の基地局へのハンドオーバを行い、同時に、少なくとも１つの現在サービングしている第２の基地局を介してデータ伝送を行い続けるように構成される。
【０３４１】
送信モジュール１３は、ハンドオーバ完了標識を、現在サービングしている第１の基地局により制御される第２の基地局を介して、現在サービングしている第１の基地局に送信するようにさらに構成される。
【０３４２】
任意選択で、第１の基地局間での端末のモビリティを管理する別の考えられる実施方法では、この実施形態における端末の送信モジュール１３は、ネットワークにおける各第１の基地局を測定し、各第１の基地局の測定結果を取得することであって、第１の基地局は、現在サービングしている第１の基地局、および隣接する第１の基地局を含む、取得することと、測定結果に従って、ターゲットとする第１の基地局を決定することであって、ターゲットとする第１の基地局は、現在サービングしている第１の基地局から端末がハンドオーバされるターゲットとする第１の基地局である、決定することと、ハンドオーバ要求メッセージをターゲットとする第１の基地局に送信することであって、ハンドオーバ要求メッセージは、現在サービングしている第１の基地局に関する情報、および第２の基地局候補に関する情報を含み、第２の基地局候補は、ターゲットとする第１の基地局によって制御され、またはターゲットとする第１の基地局に接続され、端末に対してサービスを提供できる、第２の基地局である、送信することと、を行うようにさらに構成される。
【０３４３】
受信モジュール１２は、ターゲットとする第１の基地局からハンドオーバ要求確認応答メッセージを受信するようにさらに構成され、ハンドオーバ要求確認応答メッセージは、ターゲットとする第１の基地局によって制御され、またはターゲットとする第１の基地局に接続され、端末のコンテキスト情報を有する第２の基地局のリストを含み、送信モジュール１３は、ハンドオーバ要求確認応答メッセージに従って、端末のコンテキスト情報を有する少なくとも１つの第２の基地局を選択して、データ伝送を行うようにさらに構成される。
【０３４４】
ハンドオーバ要求確認応答メッセージに従って、端末のコンテキスト情報を有する少なくとも１つの第２の基地局を選択して、データ伝送を行うように構成された後に、送信モジュール１３は、ハンドオーバ完了標識メッセージを現在サービングしている第１の基地局に送信する、または、ハンドオーバ完了標識メッセージを、ターゲットとする第１の基地局を介して現在サービングしている第１の基地局に送信するようにさらに構成される。
【０３４５】
任意選択で、第１の基地局間での端末のモビリティを管理する、また別の考えられる実施方法では、この実施形態における端末の送信モジュール１３は、ネットワークにおける各第１の基地局を測定し、各第１の基地局の測定結果を取得することであって、第１の基地局は、現在サービングしている第１の基地局、および隣接する第１の基地局を含む、取得することと、測定結果に従って、ターゲットとする第１の基地局を決定することであって、ターゲットとする第１の基地局は、現在サービングしている第１の基地局から端末がハンドオーバされるターゲットとする第１の基地局である、決定することと、ハンドオーバ要求メッセージを現在サービングしている第１の基地局に送信することであって、ハンドオーバ要求メッセージは、ターゲットとする第１の基地局へハンドオーバされるように要求することに関する情報を含む、送信することと、現在サービングしている第１の基地局により送信されたハンドオーバコマンドメッセージを受信することと、を行うようにさらに構成される。
【０３４６】
ハンドオーバコマンドメッセージは、ターゲットとする第１の基地局へのハンドオーバを行うように端末に命令する命令情報と、少なくとも１つの現在サービングしている第２の基地局とのデータ伝送を行い続けるように端末に命令する命令情報とを含み、現在サービングしている第２の基地局は、ハンドオーバコマンドメッセージが受信される前に端末に対してデータ伝送を提供する第２の基地局であり、送信モジュール１３は、ハンドオーバコマンドメッセージに従って、ターゲットとする第１の基地局へのハンドオーバを行い、同時に、少なくとも１つの現在サービングしている第２の基地局を介してデータ伝送を行い続けるように構成される。
【０３４７】
ハンドオーバコマンドメッセージは、ベアラ再構成情報をさらに含み、送信モジュール１３は、ベアラ再構成情報に従って、現在サービングしている第１の基地局と端末との間のデータ伝送サービスを現在サービングしている第２の基地局へ切り替えるように構成される。
【０３４８】
端末と各基地局との間の通信中のデータセキュリティを確保するために、セキュリティキーを生成するための新しいメカニズムが、本発明のネットワークアーキテクチャに提供される必要がある。端末が、コンテキスト情報を有する第２の基地局のリスト情報に従って、第１の基地局および／または第２の基地局を介してデータ伝送を行う前に、この実施形態は、端末が、第１の基地局との第１のセキュリティメカニズムをセットアップし、第２の基地局との第２のセキュリティメカニズムをセットアップすることをさらに含み得る。
【０３４９】
具体的には、端末の送信モジュール１３が、第１の基地局との第１のセキュリティメカニズムをセットアップし、第２の基地局との第２のセキュリティメカニズムをセットアップするようにさらに構成される。
【０３５０】
送信モジュール１３が、第２の基地局との第２のセキュリティメカニズムをセットアップするように構成されることは、送信モジュールが、第１の基地局により送信された第２の基地局リスト情報およびセキュリティアルゴリズム情報を受信することであって、第２の基地局リスト情報は、コンテキスト情報を有する各第２の基地局に関する情報を含み、セキュリティアルゴリズム情報は、第２の基地局リストに含まれる各第２の基地局に対応するセキュリティアルゴリズム情報を含む、受信することと、第２の基地局リストから少なくとも１つの第２の基地局を選択し、少なくとも１つの第２の基地局に対応するセキュリティインデックス、およびセキュリティアルゴリズム情報に従って、各第２の基地局に対応する暗号化キーおよび／または完全性保護キーを取得することと、を行うように構成され、第２の基地局は、セキュリティインデックスに１対１で対応する、ことを含み得る。
【０３５１】
送信モジュールが、少なくとも１つの第２の基地局に対応するセキュリティインデックス、およびセキュリティアルゴリズム情報に従って、各第２の基地局に対応する暗号化キーおよび／または完全性保護キーを取得するように構成されることは、送信モジュールが、少なくとも１つの第２の基地局に対応するセキュリティインデックスに従って、少なくとも１つのセキュリティインデックスに対応するセキュリティキーを取得し、セキュリティキーに従う計算によって、対応するルートキーを取得し、ルートキーを使用することによって、第２の基地局に対応する中間キーを取得し、中間キー、および第２の基地局に対応するセキュリティアルゴリズム情報に従って、第２の基地局に対応する暗号化キーおよび／または完全性保護キーを取得するように構成されることを含む。
【０３５２】
送信モジュール１３が、第１の基地局および／または第２の基地局を介してデータ伝送を行うように構成されることは、送信モジュールが、第１のセキュリティメカニズムに基づいて、第１の基地局を介してデータ伝送を行う、かつ／または第２のセキュリティメカニズムに基づいて、第２の基地局を介してデータ伝送を行うように構成されることを含む。
【０３５３】
第１のセキュリティメカニズムおよび第２のセキュリティメカニズムは、互いに関連付けられ、送信モジュール１３が、少なくとも１つの第２の基地局に対応するセキュリティインデックスおよびセキュリティアルゴリズム情報に従って、各第２の基地局に対応する暗号化キーおよび／または完全性保護キーを取得するように構成されることは、送信モジュールが、少なくとも１つの第２の基地局に対応するセキュリティインデックスに従って、少なくとも１つのセキュリティインデックスに対応するセキュリティキーおよび動的カウントを取得し、セキュリティキーに従う計算によって、対応するルートキーを取得し、ルートキーを使用することによって、第２の基地局に対応する中間キーを取得し、中間キーおよび動的カウントに従って、関連付けられた中間キーを取得し、関連付けられた中間キー、および第２の基地局に対応するセキュリティアルゴリズム情報に従って、第２の基地局に対応する暗号化キーおよび／または完全性保護キーを取得するように構成されることを、含み得る。
【０３５４】
この実施形態における端末は、端末が高密度ネットワークにおいて移動するときの頻繁なシグナリング相互作用を効果的に低減し、ネットワーク全体におけるページング読み込みを取り除き、また、サービスのセットアップおよび伝送の際のエンドツーエンド遅延を低減することができる。
【０３５５】
図６は、本発明による基地局の実施形態１の概略構造図である。図６に示されるように、この実施形態の基地局は第１の基地局として使用され、処理モジュール２１および送信モジュール２２を含み得る。処理モジュール２１は、端末への接続をセットアップし、常時接続モードに留まるように構成されており、常時接続モードは、端末への接続を常に維持する。送信モジュール２２は、第１の専用シグナリングを端末に送信し、端末とのデータ伝送を行うように構成されており、第１の専用シグナリングは第２の基地局リスト情報を含み、第２の基地局リスト情報は、端末のコンテキスト情報を有する各第２の基地局に関する情報を含む。
【０３５６】
本発明のこの実施形態では、第１の基地局は、端末への接続をセットアップし、常時接続モードに留まり、端末のコンテキスト情報を常に有し、端末とのダウンリンク同期を維持する。したがって、端末が密なネットワークの中を移動するとき、第１の基地局のハンドオーバが低減されることができる。さらに、端末が密なネットワークの中を移動するとき、頻繁なシグナリング相互作用が低減され、ネットワーク全体のページング負荷が低減される。加えて、第１の基地局は第２の基地局リスト情報を端末に送信し、第２の基地局リスト情報は、端末のコンテキスト情報を有する各第２の基地局に関する情報を含む。端末は、第２の基地局リスト情報に従って、第１の基地局および／または第２の基地局を介してデータ伝送を行ってよい。したがって、従来技術と比較して、サービスセットアップおよび伝送におけるエンドツーエンド遅延が効果的に低減されることができる。
【０３５７】
さらに、図６に示される基地局の構造に基づいて、第１の基地局が端末への接続をセットアップし、常時接続モードに留まることは、第１の基地局が、予め設定された時間内は第１の基地局への接続を常に維持することを含む。
【０３５８】
送信モジュール２２が、端末とのデータ伝送を行うように構成されることは、送信モジュールが、制御シグナリングのみを端末に伝送するように構成されること、または、ダウンリンクデータのみを端末に伝送するように構成されること、または、ダウンリンク制御シグナリングのみを端末に伝送するように構成されることを特に含む。
【０３５９】
送信モジュールは、端末への接続をセットアップし、常時接続モードに留まるように構成される前に、端末に対して常時接続モードで動作するかどうかを命令する命令情報を搬送する専用メッセージを端末に送信する、または、端末により送信された、端末が常時接続モードで動作することを要求するかどうかに関する標識情報を搬送する第１の標識メッセージを受信し、第１の標識メッセージに従って、常時接続モードで動作するように端末を構成するかどうかを決定する、または、端末により送信されたランダムアクセスプリアンブルを受信した後、常時接続モードで動作するかどうかを端末に命令する命令情報を搬送するランダムアクセス応答メッセージを端末に送信し、それにより、端末が、ランダムアクセス応答メッセージに従って、常時接続モードで動作するかどうかを決定する、または、端末により送信された接続セットアップ要求メッセージを受信した後、常時接続モードで動作するかどうかを端末に命令する命令情報を搬送する接続セットアップ応答メッセージを端末に送信する、または、端末により送信された接続セットアップ要求メッセージを受信した後、常時接続モードで動作するかどうかを端末に命令する命令情報を搬送する専用メッセージを端末に送信するようにさらに構成される。
【０３６０】
第１の標識メッセージは、ランダムアクセスメッセージ３または接続セットアップ要求メッセージを含む。
【０３６１】
送信モジュール２２が、端末への接続をセットアップし、常時接続モードに留まるように構成されることは、端末により送信されたサービス要求メッセージが受信されない場合、送信モジュールが、端末に接続された状態を維持し、常時接続モードに留まるように構成されること、または、端末により送信された、対応するベアラをセットアップするように要求することに関する情報を含むサービス要求メッセージが受信された場合、送信モジュールが、データ伝送を行うように、サービス要求メッセージに従って、端末のためのベアラをセットアップするように構成されることを特に含み得る。
【０３６２】
端末により送信されたサービス要求メッセージが受信されない場合、送信モジュール２２は、端末に関する間欠受信周期を構成し、それにより、端末が、間欠受信周期のアクティブ時間内に、第１の基地局により送信されたスケジューリング情報を受信するようにさらに構成される。
【０３６３】
送信モジュール２２は、端末に対して第２の専用シグナリングを受信するように命令するために使用されるスケジューリング情報を端末に送信し、データ伝送のためにベアラがセットアップされる必要があることを端末に通知する情報を含む通知メッセージを含む第２の専用シグナリングを、端末に送信するようにさらに構成される。
【０３６４】
第２の専用シグナリングは、第２の命令情報または第３の命令情報を含む命令情報をさらに含み、第２の命令情報は、データ伝送を行うために少なくとも１つの第２の基地局を選択するように端末に命令する命令情報であり、第３の命令情報は、第１の基地局を介してのみデータ伝送を行うように端末に命令する命令情報である。
【０３６５】
端末により送信されたサービス要求メッセージが受信された場合、送信モジュールは、端末により送信されたサービス要求メッセージが受信されると、第２の専用シグナリングを受信するように端末に命令するのに使用されるスケジューリング情報を端末に送信し、データ伝送のためにベアラがセットアップされる必要があることを端末に通知する情報を含む通知メッセージを含む第２の専用シグナリングを端末に送信し、ベアラを使用することにより端末とのデータ伝送を行うようにさらに構成される。
【０３６６】
送信モジュール２２は、第２の命令情報または第３の命令情報を含む命令メッセージを端末に送信するようにさらに構成され、第２の命令情報は、データ伝送を行うために少なくとも１つの第２の基地局を選択するように命令する命令情報であり、第３の命令情報は、第１の基地局を介してのみデータ伝送を行うように命令する命令情報である。
【０３６７】
さらに、第１の基地局は、端末により送信された、選択された少なくとも１つの第２の基地局に関する情報を受信するように構成された受信モジュール２３をさらに含み得、選択された少なくとも１つの第２の基地局に関する情報は、端末により第２の命令情報に従って選択された、少なくとも１つの第２の基地局における各第２の基地局に関する情報である。
【０３６８】
送信モジュール２２は、選択された少なくとも１つの第２の基地局に関する情報における各第２の基地局が、端末のコンテキスト情報を有するかどうかを決定し、端末のコンテキスト情報を有しない第２の基地局が存在する場合、端末のコンテキスト情報を、端末のコンテキスト情報を有しない第２の基地局に送信するようにさらに構成される。
【０３６９】
送信モジュール２２は、一意のプリアンブルまたは一意のプリアンブルとランダムアクセスチャネルリソースの組合せを端末に割り当てるようにさらに構成され、それにより、端末は、伝送を行うように、一意のプリアンブルまたは一意のプリアンブルとランダムアクセスチャネルリソースの組合せを使用することにより、第２の基地局により割り当てられたリソースを取得する。
【０３７０】
処理モジュール２１は、第１の基地局が端末とのデータ伝送を行うことを停止した後、第１の基地局が、端末への接続をセットアップするための構成情報を保存するようにさらに構成される。
【０３７１】
送信モジュール２２は、更新された第２の基地局リスト情報を含む第２の基地局リスト更新メッセージを生成し、第２の基地局リスト更新メッセージを端末に送信するようにさらに構成され、それにより、端末は、第２の基地局リスト更新メッセージに従って第２の基地局リスト情報を更新する。
【０３７２】
送信モジュール２２が第２の基地局リスト更新メッセージを生成するように構成されることは、送信モジュールが、端末の位置情報、各第２の基地局の位置情報、または端末により報告された測定報告のうちの１つまたは複数に従って、第２の基地局リスト更新メッセージを生成するように構成されることを含む。
【０３７３】
さらに、基地局は、第２の基地局リスト情報には含まれていない隣接基地局に関する情報を含む、端末により送信された隣接基地局測定報告を受信する、または、第２の基地局リスト情報には含まれていない隣接基地局に関する情報を含む、端末により送信された第２の基地局リスト更新要求メッセージを受信する、または、第２の基地局リストには隣接基地局が含まれていないという端末の報告を受信する、ように構成された受信モジュール２３をさらに含む。
【０３７４】
送信モジュール２２は、隣接基地局が端末のコンテキスト情報を有しない場合、端末のコンテキスト情報を隣接基地局に送信し、隣接基地局に関する情報を含む第２の基地局リスト更新メッセージを端末に送信するようにさらに構成される。
【０３７５】
第２の基地局測定報告は、隣接基地局が端末のコンテキスト情報を有しないことを示す情報をさらに含み、送信モジュール２２は、端末のコンテキスト情報を隣接基地局に送信し、応答メッセージを端末に送信するようにさらに構成され、第１の基地局により、隣接基地局測定報告に従って応答メッセージが生成され、それにより、端末は、応答メッセージに従って、隣接基地局が端末のコンテキスト情報を取得したことを認識する。
【０３７６】
送信モジュール２２は、サービスタイプ、サービスのサービス品質ＱｏＳ、またはベアラタイプに関連した、端末が各第２の基地局と初期データ伝送を行うときに使用される構成情報であるデフォルト構成情報を、端末および各第２の基地局へ別個に送信するようにさらに構成される。
【０３７７】
送信モジュール２２は、第２の基地局リスト更新メッセージを端末に送信し（それにより、端末が、第２の基地局リスト更新メッセージに従って第２の基地局リスト情報を更新し）、更新された第２の基地局リスト情報およびデフォルト構成情報を使用することにより、端末のコンテキスト情報を有する第２の基地局を介して初期データ伝送を行うようにさらに構成される。
【０３７８】
送信モジュール２２は、各基地局に対応する周波数レイヤの測定構成情報を含む測定構成情報を端末に送信するようにさらに構成され、基地局は第１の基地局または第２の基地局のうちの少なくとも１つを含み、第２の基地局はマスタの第２の基地局および二次的な第２の基地局を含む。
【０３７９】
測定構成情報は、第１の基地局のみに対応する周波数レイヤを測定すること、または第１の基地局およびマスタの第２の基地局のみに対応する周波数レイヤを測定すること、または第１の基地局、マスタの第２の基地局、および二次的な第２の基地局のすべてに対応する周波数レイヤを測定することを含む。
【０３８０】
測定構成情報は、第１の基地局のみに対応する周波数レイヤを測定するための第１の閾値、または第１の基地局およびマスタの第２の基地局のみに対応する周波数レイヤを測定するための第２の閾値、または第１の基地局、マスタの第２の基地局、および二次的な第２の基地局のすべてに対応する周波数レイヤを測定するための第３の閾値をさらに含む。
【０３８１】
送信モジュール２２は、測定報告を行うかどうかに関する命令メッセージを端末に送信するようにさらに構成される。
【０３８２】
測定報告を行うかどうかに関する命令メッセージは、第１の基地局に対応する周波数レイヤの測定報告のための命令情報、マスタの第２の基地局に対応する周波数レイヤの測定報告のための命令情報、または二次的な第２の基地局に対応する周波数レイヤの測定報告のための命令情報のうちの少なくとも１つを含み得る。
【０３８３】
送信モジュール２２は、測定構成パラメータ情報を端末に送信するようにさらに構成され、測定構成パラメータ情報は、第１の基地局に対応する周波数レイヤの測定構成パラメータ、マスタの第２の基地局に対応する周波数レイヤの測定構成パラメータ、または二次的な第２の基地局に対応する周波数レイヤの測定構成パラメータのうちの少なくとも１つを含む。
【０３８４】
受信モジュール２３は、端末により送信された、第１の測定結果および第２の測定結果を含む測定結果を受信するようにさらに構成され、第１の測定結果は、端末により、第１の基地局に対応する周波数レイヤの測定構成パラメータに従って測定を行うことによって取得され、第２の測定結果は、端末により、マスタの第２の基地局に対応する周波数レイヤの測定構成パラメータに従ってマスタの第２の基地局を測定することによって取得される。
【０３８５】
送信モジュール２２は、端末との第１のセキュリティメカニズムをセットアップし、第２の基地局が端末との第２のセキュリティメカニズムをセットアップするのを支援するようにさらに構成される。
【０３８６】
送信モジュール２２が、第２の基地局が端末との第２のセキュリティメカニズムをセットアップするのを支援するように構成されることは、送信モジュールが、少なくとも１つの第２の基地局に対応するセキュリティインデックスに従って少なくとも１つのセキュリティインデックスに対応するセキュリティキーを取得し、セキュリティキーに従って計算することにより、対応するルートキーを取得し、ルートキーを使用することにより、第２の基地局に対応する中間キーを取得し、第２の基地局に対応する中間キーを第２の基地局に送信するように構成されることを含み、セキュリティインデックスは第２の基地局に１対１で対応する。
【０３８７】
基地局は、第２の基地局により送信された第２の基地局に対応するセキュリティアルゴリズム情報を受信するように構成された受信モジュール２３をさらに含む。
【０３８８】
第１のセキュリティメカニズムと第２のセキュリティメカニズムは互いに関連付けられ、送信モジュール２２が、第２の基地局が端末との第２のセキュリティメカニズムをセットアップするのを支援するように構成されることは、送信モジュールが、少なくとも１つの第２の基地局に対応するセキュリティインデックスに従って少なくとも１つのセキュリティインデックスに対応するセキュリティキーを取得し、セキュリティキーに従って計算することにより、対応するルートキーを取得し、第２の基地局に対応するルートキーおよび一意のカウントを使用することにより、第２の基地局に対応する中間キーを取得し、第２の基地局に対応する中間キーを第２の基地局に送信するように構成されることを含み得、セキュリティインデックスは第２の基地局に１対１で対応する。
【０３８９】
受信モジュール２３は、第２の基地局により送信された、第２の基地局に対応するセキュリティアルゴリズム情報および動的カウントを受信するようにさらに構成される。
【０３９０】
任意選択で、図６に示される基地局が現在サービングしている第１の基地局として使用される場合、送信モジュール２２はハンドオーバコマンドメッセージを端末に送信するようにさらに構成され得、ハンドオーバコマンドメッセージは、ターゲットとする第１の基地局により制御される、端末のコンテキスト情報を有する各第２の基地局に関する情報を含み、ターゲットとする第１の基地局は、現在サービングしている第１の基地局から端末がハンドオーバされる、ターゲットとする第１の基地局である。
【０３９１】
ハンドオーバコマンドメッセージは、ターゲットとする第１の基地局に対してランダムアクセスを行うことをスキップするように端末に命令する命令情報をさらに含み得、それにより、端末は、命令情報に従って、ターゲットとする第１の基地局に対してランダムアクセスを行わない。
【０３９２】
送信モジュール２２は、ハンドオーバコマンドメッセージを端末に送信するように構成される前に、端末により現在サービングしている第１の基地局に隣接する各基地局を測定することによって取得され、端末により送信されたそれぞれの隣接する第１の基地局の測定結果を受信し、それぞれの隣接する第１の基地局の測定結果に従って、ターゲットとする第１の基地局を決定するようにさらに構成される。
【０３９３】
送信モジュールは、ハンドオーバコマンドメッセージを端末に送信するように構成される前に、端末によって送信された、ターゲットとする第１の基地局に関する情報を含む第１のハンドオーバ要求メッセージを受信するようにさらに構成される。
【０３９４】
送信モジュール２２は、第２のハンドオーバ要求メッセージを、ターゲットとする第１の基地局に送信するようにさらに構成され、第２のハンドオーバ要求メッセージは、端末のコンテキスト情報と、端末のコンテキスト情報を現在有する各第２の基地局に関する情報とを含む。
【０３９５】
送信モジュールは、端末に現在サービスを提供している第２の基地局へハンドオーバ命令を送信するようにさらに構成され、それにより、端末に現在サービスを提供している第２の基地局は、ハンドオーバ命令に従ってデータ伝送を行う。
【０３９６】
端末に現在サービスを提供している第２の基地局は、現在サービングしている第１の基地局によって制御され端末のコンテキスト情報を有する第２の基地局、または現在サービングしている第１の基地局に接続され端末のコンテキスト情報を有する第２の基地局である。
【０３９７】
送信モジュール２２が、ハンドオーバ命令を、端末に現在サービスを提供している第２の基地局に送信するように構成され、それにより、端末に現在サービスを提供している第２の基地局がハンドオーバ命令に従ってデータ伝送を行うことは、送信モジュールが、ターゲットとする第１の基地局に関する情報を含むハンドオーバ命令を、端末に現在サービスを提供している第２の基地局に送信するように構成され、それにより、端末に現在サービスを提供している第２の基地局が、ハンドオーバ命令に従って、ターゲットとする第１の基地局の制御下で端末とのデータ伝送を行うことができるかどうかを決定することを含む。
【０３９８】
送信モジュール２２が、ハンドオーバ命令を、端末に現在サービスを提供している第２の基地局に送信するように構成され、それにより、端末に現在サービスを提供している第２の基地局がハンドオーバ命令に従ってデータ伝送を行うことは、送信モジュールが、端末とのデータ伝送を行うことを停止するように命令する情報を含むハンドオーバ命令を、端末に現在サービスを提供している第２の基地局に送信するように構成され、それにより、端末に現在サービスを提供している第２の基地局が、ハンドオーバ命令に従って、端末とのデータ伝送を行うことを停止することを含む。
【０３９９】
送信モジュール２２が、ハンドオーバ命令を、端末に現在サービスを提供している第２の基地局に送信するように構成され、それにより、端末に現在サービスを提供している第２の基地局がハンドオーバ命令に従ってデータ伝送を行うことは、送信モジュールが、端末とのデータ伝送を行うことを継続するように命令する情報を含むハンドオーバ命令を、端末に現在サービスを提供している第２の基地局に送信するように構成され、それにより、端末に現在サービスを提供している第２の基地局が、ハンドオーバ命令に従って、端末とのデータ伝送を行うことを継続することを含む。
【０４００】
ハンドオーバコマンドメッセージは第２の基地局命令情報をさらに含み、第２の基地局命令情報は、少なくとも１つの現在サービングしている第２の基地局とのデータ伝送を行うことを維持するように端末に命令する命令情報である。
【０４０１】
送信モジュール２２は、共同制御条件を満たす第２の基地局に関する情報を含む第２の基地局制御ネゴシエーションメッセージを、ターゲットとする第１の基地局に送信し、ターゲットとする第１の基地局により送信された第２の基地局ネゴシエーション応答メッセージを受信するようにさらに構成され、第２の基地局ネゴシエーション応答メッセージは、第２の基地局制御ネゴシエーションメッセージに従って生成された応答メッセージであって、第２の基地局に関する情報を含み、第２の基地局に関する情報は、隣接する第１の基地局により決定された、共同で制御できるもの、または第２の基地局制御ネゴシエーションメッセージに含まれる、第２の基地局に関する情報の確認応答であって、共同で制御できるものである。
【０４０２】
送信モジュール２２は、第２の基地局制御ネゴシエーションメッセージを、ターゲットとする第１の基地局に送信するように構成される前に、ネットワークにおける各第２の基地局の位置情報と、現在サービングしている第１の基地局およびターゲットとする第１の基地局の位置情報とに従って、共同制御条件を満たす第２の基地局を取得するようにさらに構成され、共同制御条件を満たす第２の基地局は、現在サービングしている第１の基地局およびターゲットとする第１の基地局によって共同で制御される第２の基地局である。
【０４０３】
送信モジュール２２は、現在サービングしている第１の基地局が、端末により送信された第１のハンドオーバ要求メッセージを受信した後、第２の基地局ネゴシエーション応答メッセージに従って、第２のハンドオーバ要求メッセージを、ターゲットとする第１の基地局に送信するようにさらに構成され、第２のハンドオーバ要求メッセージは、端末のコンテキスト情報と、共同制御条件を満たす第２の基地局に関する情報とを含む。
【０４０４】
この実施形態における第１の基地局は、端末が、密なネットワークの中を移動するとき、頻繁なシグナリング相互作用を効果的に低減し、ネットワーク全体におけるページング負荷を解消し、サービスセットアップおよび伝送におけるエンドツーエンド遅延を低減することができる。
【０４０５】
以下は、図５に示された端末と図６に示された基地局の間の相互作用プロセスを詳細に説明するために、いくつかの特別な実施形態を使用する。以下のいくつかの実施形態では、端末がＵＥで基地局がＡ−ｅＮＢである例が、説明のために特に使用される。
【０４０６】
図７は、本発明の実施形態１のシグナリング流れ図である。図７に示されるように、この実施形態は、主としてＵＥの初期アクセスにおける相互作用プロセスに関するものである。この実施形態の方法は以下のステップを含み得る。
【０４０７】
Ｓ２０１。ＵＥが最初にパワーオンされ、アクセスを行うためにＡ−ｅＮＢを選択する。
【０４０８】
具体的には、ＵＥは、最初にセルを検索し、アクセスを行うために、ＡＯＮネットワーク周波数レイヤにおいてＡ−ｅＮＢを優先的に選択してよい。具体的には、選択された周波数レイヤがＡＯＮ周波数レイヤであるかどうかは、ＵＥの中に予め設定されていてよく、または周波数レイヤがＡＯＮ周波数レイヤであるかどうかは、ＡｅＮＢにより送信されたシステム情報において示されてよく、端末が接続されているモードであってＡＯＮ周波数レイヤに対応するモードは、常時接続モード（ＡＯＮモード）である。
【０４０９】
Ｓ２０２。ＵＥは、ＡＯＮモードが動作のために選択されたことをＡ−ｅＮＢに報告する。
【０４１０】
具体的には、ＵＥは、Ａ−ｅＮＢを選択した後、Ａ−ｅＮＢに対してランダムアクセスを行い、ＡｅＮＢとのアップリンク同期およびダウンリンク同期を取得する。アクセスが成功した後、ＵＥのコンテキスト情報が生成され、Ａ−ｅＮＢに対する初期のセキュリティがアクティブ化される。
【０４１１】
ＵＥは、たとえばランダムアクセスメッセージ３といった、ＡｅＮＢにアクセスするための関連するメッセージにおいて、またはＡｅＮＢにアクセスした後に、ＡＯＮモードで動作することを受け入れるように要求するかどうかに関する標識情報を示してよい。あるいは、ＡｅＮＢにアクセスするための関連するメッセージにおいて、ＡｅＮＢは、ＵＥがＡＯＮモードで動作し得るかどうかに関する標識情報を示してよい。ＡＯＮモードは、ＵＥがＡｅＮＢとの接続された状態を常に維持することを意味する。接続された状態を常に維持することの意味については、前述の説明が参照され得る。具体的には、ＡＯＮモードで動作するかどうかは、以下の原則に準拠してよい。たとえばＶｏＩＰサービスといったＵＥの現在のサービスが、強いサービス連続性を必要とする場合、ＵＥは、従来のモードに従って動作してよい（たとえば、従来のモードに優先的に従って主基地局（Ｍａｃｒｏ  ｅＮＢ、略してＭｅＮＢ）に対して働きかける、または少なくとも１つのＭｅＮＢが、選択されたｅＮＢに存在する）。しかしながら、ＵＥのサービスが遅延の影響を受けない場合、またはＵＥのサービスがバーストサービスである場合、ＵＥはＡＯＮモードで動作されてよい。前述の原則に加えて、他の原則も踏襲され得ることに留意されたい。これは本明細書では限定されない。
【０４１２】
Ｓ２０３。Ａ−ｅＮＢが、ＡＯＮモードで動作するようにＵＥを構成する。
【０４１３】
ＵＥがＡ−ｅＮＢにアクセスし、Ａ−ｅＮＢがＵＥの構成を完了した後、ＵＥが現在サービスを開始する場合、ＵＥは、ＵＥのために対応するベアラをセットアップするようにＡ−ｅＮＢに要求し、データ伝送を行う。あるいは、ＵＥがサービス要件を当面有しない場合、ＵＥはＡ−ｅＮＢと接続している状態のみを維持してよいが、実際のサービスデータ伝送は行わない。
【０４１４】
ＵＥがデータサービス要件を当面有しない場合、ＵＥは、たとえばシステム情報またはスケジューリング情報といったいくつかの情報をＡ−ｅＮＢから受信するだけでよい。しかしながら、ＵＥは、スケジューリング情報を受信するために、Ａ−ｅＮＢからスケジューリング情報を取得するように、Ａ−ｅＮＢがスケジューリング情報を送信するいくつかの探索空間のみをリッスンしてよい。
【０４１５】
任意選択で、Ａ−ｅＮＢは、ＵＥのために長い間欠受信（Ｄｉｓｃｏｎｔｉｎｕｏｕｓ  Ｒｅｃｅｐｔｉｏｎ、略してＤＲＸ）周期を構成してもよい。ＵＥは、長いＤＲＸ周期のアクティブ時間内に、専用シグナリング、緊急通報、またはＡ−ｅＮＢの他のメッセージをリッスンする。
【０４１６】
Ｓ２０４。Ａ−ｅＮＢは、現在サービスを当面有していないＵＥに対する新しいサービスのセットアップが開始される必要があることを決定する。
【０４１７】
Ｓ２０５。Ａ−ｅＮＢは、専用シグナリングを使用することにより、ＵＥにサービスをセットアップするように通知する。
【０４１８】
具体的には、Ａ−ｅＮＢは、最初にＵＥに対してスケジューリング情報を送信する。ＵＥは、スケジューリング情報を取得した後、Ａ−ｅＮＢにより送信された、新しいベアラが新しいサービスデータを送受信するようにセットアップされる必要があることをＵＥに通知する専用シグナリングを、スケジューリング情報の命令に従って受信する。現在のＬＴＥシステムとは異なって、Ａ−ｅＮＢは、新しいサービスまたは新しいベアラをセットアップするようにＵＥに通知するとき、通知のためにブロードキャストメッセージを使用せず、たとえば新しいサービスまたはベアラをセットアップすることをＵＥに通知するのにページングメッセージを使用しない。
【０４１９】
Ｓ２０６。ＵＥは、セットアップされる必要のあるサービスに従って、データ伝送を行うために１つまたは複数のｅＮＢが選択される必要があることを決定する。
【０４２０】
具体的には、ＵＥは、Ａ−ｅＮＢにより送信された新しいサービスをセットアップするための専用シグナリングを受信した後、サービスの特徴に従って、必要なのは、１つまたは複数のｅＮＢを選択することか、それともＡ−ｅＮＢを介してのみデータ伝送を行うことかを決定してよい。あるいは、ＵＥは、Ａ−ｅＮＢにより送信された新しいサービスをセットアップするための専用シグナリングまたは専用シグナリングを含む他の命令情報を受信した後、専用シグナリングの命令に従って、必要なのは、１つまたは複数のｅＮＢを選択することか、それともＡ−ｅＮＢを介してのみデータ伝送を行うことかを決定してよい。
【０４２１】
Ａ−ｅＮＢによってＵＥに送信された前述の専用シグナリングにおいて、Ａ−ｅＮＢは、ＵＥのサービスの特徴に基づいて、ＵＥが必要とするのは、１つまたは複数のｅＮＢを選択することか、それともＡ−ｅＮＢを介してのみデータ伝送を行うことかを決定して、専用のシグナリングにおいて、ＵＥがデータ伝送を行うために１つまたは複数のｅＮＢを選択する必要があるかどうかを示してよいことに留意されたい。あるいは、Ａ−ｅＮＢは、前述の命令情報を通知するために他の個別の専用シグナリングを使用してよい。これは本明細書では限定されない。
【０４２２】
Ｓ２０７。ＵＥは、選択された１つまたは複数のｅＮＢをＡ−ｅＮＢに報告する。
【０４２３】
具体的には、ＵＥは、データ伝送を行うために１つまたは複数のｅＮＢが選択される必要があると決定したとき、選択された１つまたは複数のｅＮＢに関する情報をＡ−ｅＮＢに通知し、それにより、Ａ−ｅＮＢは、ＵＥによって報告された選択に基づき、選択されたｅＮＢを介してデータを配信する。
【０４２４】
Ｓ２０８。Ａ−ｅＮＢは、各ｅＮＢがＵＥのコンテキスト情報を有するかどうかを決定する。
【０４２５】
具体的には、Ａ−ｅＮＢは、ＵＥにより送信された、選択されたｅＮＢに関する情報を受信した後、各ｅＮＢがＵＥのコンテキスト情報を有するかどうかを決定する。
【０４２６】
ＵＥのコンテキスト情報は、アクセスネットワークにおけるＵＥの識別子情報、ＵＥの能力情報、構成情報、および他の情報などの連続した情報を含む。
【０４２７】
Ｓ２０９。Ａ−ｅＮＢは、ｅＮＢにＵＥのコンテキスト情報を送信する。
【０４２８】
具体的には、Ａ−ｅＮＢは、ＵＥにより送信された、選択されたｅＮＢに関する情報における１つまたは複数のｅＮＢがＵＥのコンテキスト情報を有しないと決定した場合、ｅＮＢにＵＥのコンテキスト情報を送信する。任意選択で、Ａ−ｅＮＢは、ＵＥによって選択されたｅＮＢに、ＵＥのためにデータ通信サービスを提供するように、すなわちデータスケジューリングおよび伝送を行うように、通知してもよい。
【０４２９】
ＵＥが１つまたは複数のｅＮＢを選択した後、１つまたは複数のｅＮＢにおけるｅＮＢがＵＥのコンテキスト情報を有すると決定された場合、ＵＥは、ＵＥのコンテキスト情報を有するｅＮＢへスケジューリング要求メッセージを送信してよく、または、ＵＥにサービスを提供するように、すなわちデータスケジューリングおよび伝送を行うように、ｅＮＢに命令するために、ｅＮＢに対してランダムアクセスプロセスを行ってよい。
【０４３０】
具体的には、たとえばバーストデータのデータ量が少ない場合、ＵＥは、選択されたｅＮＢへのランダムアクセスプロセスを直接開始し、次いで、ランダムアクセスプロセスにおけるランダムアクセス応答メッセージ内で提供されたアップリンク送信リソースを使用することにより、データ伝送を行ってよい。遅延を低減してアクセスを加速するために、ランダムアクセスリソースの一意の割当てが導入され得る。すなわち、Ａ−ｅＮＢは、動作のためにＡＯＮモードを選択しているＵＥに対してリソースを要求するために、一意のプリアンブルまたは一意のプリアンブルとランダムアクセスチャネルリソースの組合せを割り当てる。ＵＥは、ＵＥがアクセスする必要のある任意のｅＮＢとのデータ伝送を行うとき、割り当てられた一意のランダムアクセスリソースを使用することにより、リソースを要求する。次いで、ｅＮＢは、一意のランダムアクセスリソースに従って、リソースを要求しているＵＥを決定し、データ伝送のために、ＵＥに対してアップリンクリソースを割り当てる。
【０４３１】
Ａ−ｅＮＢは、ｅＮＢにＵＥコンテキストを提供してよい。加えて、その代わりに、１つまたは複数のｅＮＢがＵＥのコンテキスト情報を有しないと決定された場合、ＵＥは、ｅＮＢに対してランダムアクセスを行い、次いで、ランダムアクセスプロセスにおける関連付けられたメッセージ内のＵＥのコンテキスト情報をｅＮＢに送信し（破線で示されたステップ）、ＵＥに接続されたＡ−ｅＮＢに関する情報を示してよい。したがって、ｅＮＢは、データ通信サービスをＵＥに提供することができ、Ａ−ｅＮＢからＵＥのデータを取得すること、またはＵＥのアップリンクデータをＡ−ｅＮＢに送信することができる。ｅＮＢは、ＵＥのコンテキスト情報を受信した後、ＵＥコンテキストの取得が完了したことを示すメッセージをＡ−ｅＮＢに送信してよい。
【０４３２】
ＵＥは、選択された１つまたは複数のｅＮＢにアクセスした後、サービスデータを送受信するためにｅＮＢを使用することを開始してよい。
【０４３３】
ＵＥは、ダウンリンクデータを受信するために、選択されたｅＮＢからダウンリンクデータを受信し、様々なｅＮＢからのデータをＵＥ側でソートする。次いで、ＵＥは、ダウンリンクデータ受信状態に関するレイヤ２（Ｌ２）状況報告をＡ−ｅＮＢにフィードバックし、それにより、Ａ−ｅＮＢは、Ｌ２状況報告に従って、うまく伝送されていないデータを完全に再送信することができる。しかしながら、レイヤ１（Ｌ１）状況報告は、対応する受信ｅＮＢにフィードバックされる。
【０４３４】
アップリンクデータについては、ＵＥは、選択されたｅＮＢに関連付けられたアップリンクデータパケットを送信する。ＵＥのデータを受信するあらゆるｅＮＢが、ソート処理のために、ＵＥのすべてのデータをＡ−ｅＮＢに転送し、Ａ−ｅＮＢは、データを、たとえばＳ−ＧＷ、ＰＤＮ−ＧＷといったコアネットワークデバイスに送信する。
【０４３５】
さらに、ＵＥがサービスデータ伝送を停止した後、または現在のサービスを解放した後、ＵＥがＡＯＮモードで動作するように以前に決定されている場合、ＵＥは、ＵＥとＡ−ｅＮＢの間のすべての構成情報を保存することを継続することに留意されたい。任意選択で、ＵＥは、アップリンクタイミングを保持するのを停止してよく、またはアップリンクタイミングを保持するためのＴＡＴタイマが満了した後、アップリンク同期を保持するのを停止してよく、または、アップリンク信号（たとえばＳＲＳ信号）を間欠的に送信することにより、アップリンクタイミング同期を保持してよい。
【０４３６】
図８は、本発明の実施形態２のシグナリング流れ図である。図８に示されるように、この実施形態は、主としてＵＥのコンテキスト情報の管理における相互作用プロセスに関するものである。この実施形態の方法は以下のステップを含み得る。
【０４３７】
Ｓ３０１。Ａ−ｅＮＢは、第２の基地局リスト更新メッセージをＵＥに送信する。
【０４３８】
具体的には、ＵＥが、Ａ−ｅＮＢおよび現在サービスを提供するｅＮＢとのデータ伝送を行うプロセスでは、ＵＥが移動するとき、Ａ−ｅＮＢは、ＵＥのコンテキスト情報を有するｅＮＢに関する情報を更新する必要がある。具体的には、Ａ−ｅＮＢは、ＵＥの支援を伴って、ＵＥのコンテキスト情報を有する第２の基地局のリスト（ｅＮＢリスト）を更新するプロセスを完了してよく、または、Ａ−ｅＮＢ自体が、ＵＥの移動を追跡し、ＵＥのコンテキスト情報を取得する必要があるｅＮＢを決定し、ＵＥのコンテキスト情報を有するｅＮＢのリストを更新する。たとえば、Ａ−ｅＮＢは、ＵＥのコンテキスト情報を有するｅＮＢのリストを更新するかどうかを、ＵＥの位置情報に基づいて決定してよい。
【０４３９】
Ａ−ｅＮＢは、ＵＥのコンテキスト情報を有するｅＮＢのリストを更新する必要があるとき、ＵＥに対して、ＵＥのコンテキスト情報を有するｅＮＢの更新されたリストを通知するように、専用シグナリングを送信する。
【０４４０】
Ｓ３０２。ＵＥは、リスト内のｅＮＢの測定および他のｅＮＢの測定を継続する。
【０４４１】
具体的には、ＵＥは、ＵＥのコンテキスト情報を有するｅＮＢの更新されたリストを取得した後、リスト内のｅＮＢおよび他のｅＮＢを測定することを継続する。
【０４４２】
Ｓ３０３。ＵＥは報告メッセージをＡ−ｅＮＢに送信する。
【０４４３】
具体的には、ＵＥは、１つまたは複数の測定されたｅＮＢの信号品質が閾値よりも高いこと、たとえば通信要件を満たす条件よりも高いことを見いだしたとき、それらのｅＮＢがリストになければ、それらのｅＮＢが可能性としてサービスを提供する見込みはあるがＵＥのコンテキスト情報を有しないことをＡ−ｅＮＢに通知するように、Ａ−ｅＮＢに対してそれらのｅＮＢに関する情報を報告してよい。具体的には、ＵＥは、ｅＮＢがＵＥのコンテキストを有しないことを明確に示してよく、またはｅＮＢがＵＥに対してサービスを提供できることを示すだけでもよいが、ＵＥのコンテキストを有しないのはどのｅＮＢかを決定するのはＡ−ｅＮＢ自体である。
【０４４４】
Ｓ３０４。Ａ−ｅＮＢは、ＵＥのコンテキスト情報をｅＮＢに送信する。
【０４４５】
具体的には、Ａ−ｅＮＢは、ＵＥにより送信された報告メッセージを受信した後、可能性としてＵＥに対してサービスを提供することができるがＵＥのコンテキスト情報を有しないｅＮＢに関する情報を認識し、次いで、ＵＥのコンテキスト情報をｅＮＢに送信する。Ａ−ｅＮＢは、ｅＮＢにＵＥのコンテキスト情報を送信した後、ＵＥのコンテキスト情報を有するｅＮＢのリスト更新情報をＵＥに送信してよい。任意選択のやり方で、ＵＥにより送信された、ＵＥのコンテキスト情報を有しないｅＮＢを報告する標識メッセージに対して、ｅＮＢがＵＥのコンテキスト情報を首尾よく取得したことをＵＥに示すために、対応するＵＥ報告の応答または確認応答情報がＵＥに送信されてよい（図の破線によって示されている）。
【０４４６】
図９は、本発明の実施形態３のシグナリング流れ図である。この実施形態は、主として、ＵＥの構成情報を管理する際の相互作用プロセスに関するものである。この実施形態のアプリケーションシナリオは、具体的には、ＵＥは、１つまたは複数のｅＮＢを選択した後、最初にランダムアクセスを行ってよく、次いで、ｅＮＢがＬ１、Ｌ２、およびＬ３の各レイヤのパラメータと、ＵＥに対して関連付けられたベアラおよびセルの構成情報とを構成した後に、対応する構成を使用することによって、ｅＮＢとの実際のデータ伝送を行う、というものである。しかしながら、ＵＥが、同期するためにｅＮＢにアクセスするためのランダムアクセスを行わなくてもよい場合もある。たとえば、ｅＮＢのカバレッジが小さいとき、ＵＥは、アップリンクタイミングアドバンス０を直接使用してアップリンクデータ伝送を行ってよい。この場合、この実施形態の方法は、ＵＥの高速データ伝送プロセスをサポートするように、関連付けられた構成を行うのに使用され得る。図９に示されるように、この実施形態の方法は以下のステップを含み得る。
【０４４７】
Ｓ４０１。Ａ−ｅＮＢは、デフォルト構成情報を、ＵＥのコンテキスト情報を有するｅＮＢおよびＵＥへ同時に送信する。
【０４４８】
具体的には、Ａ−ｅＮＢは、専用シグナリングを使用することにより、ＵＥのコンテキスト情報を有するｅＮＢに対してデフォルト構成情報を送信してよく、デフォルト構成情報は、ＵＥがｅＮＢとの初期データ伝送を行うとき使用され得る構成情報を参照し、Ｌ１、Ｌ２、およびＬ３の構成パラメータならびに他の構成パラメータを含む。別のサービス、別のＱｏＳレベル、または別のベアラについては、Ａ−ｅＮＢは別のデフォルト構成情報を提供し得る。すなわち、提供されるデフォルト構成情報は、ＱｏＳに関連付けられ得るものである。
【０４４９】
Ａ−ｅＮＢは、ＵＥのコンテキスト情報を提供するとき、デフォルト構成情報をｅＮＢに提供してよい。あるいは、ｅＮＢに対してデフォルト構成情報を提供するために個別のシグナリングが使用されてよい。
【０４５０】
加えて、ＵＥがＡ−ｅＮＢに最初にアクセスした後、Ａ−ｅＮＢは、ＵＥが他のｅＮＢとの通信を行うとき使用され得るデフォルト構成情報をＵＥに提供してよい。
【０４５１】
Ｓ４０２。ＵＥは、最初にｅＮＢを選択してアクセスした後、デフォルト構成情報を使用して、選択されたｅＮＢとのデータ伝送を行う。
【０４５２】
Ｓ４０３。ｅＮＢは、再構成メッセージをＵＥに送信し、デフォルト構成情報を更新する。
【０４５３】
具体的には、ＵＥが選択されたｅＮＢとのデータ伝送を行うためにデフォルト構成情報を使用した後、ｅＮＢは、対応する構成情報を修正するように、ＵＥのために特定の構成パラメータをさらに修正し、ＵＥに再構成メッセージを送信してよい。ＵＥは、再構成メッセージを受信した後に再構成を完了し、データ伝送を行うために新しい構成パラメータを使用する。
【０４５４】
図１０は、本発明の実施形態４のシグナリング流れ図である。この実施形態は、主として、ＵＥの構成情報を管理する際の相互作用プロセスに関するものである。この実施形態のアプリケーションシナリオは、具体的には、ＵＥが移動するプロセスにおいて、ＵＥは、移動するプロセスにおいて可能性として選択され得るｅＮＢまたはＡ−ｅＮＢを決定するように、隣接Ａ−ｅＮＢおよび隣接ｅＮＢを連続的に測定する必要がある、といったものである。実際のネットワークでは、ｅＮＢは、マスタの第２の基地局（ｍａｃｒｏ  ｅＮＢ、略してＭｅＮＢ）と二次的な第２の基地局（ｓｍａｌｌ  ｅＮＢ、略してＳｅＮＢ）にさらに分類され得、ＭｅＮＢは大きいカバレッジを有し、ＳｅＮＢは小さいカバレッジを有する。ＵＥの測定効率を改善してＵＥの電力消費レベルを低減するために、ＡＯＮネットワークにおける測定は、３つのレイヤを別個に測定するように分割されてよい。具体的には、Ａ−ｅＮＢに対応する周波数レイヤが測定され、ＭｅＮＢに対応する周波数レイヤが測定され、ＳｅＮＢに対応する周波数レイヤが測定される。この実施形態では、Ａ−ｅＮＢは、条件に従って、前述の周波数レイヤおよび測定報告に対して測定を行うかどうかを決定する。図１０に示されるように、この実施形態の方法は以下のステップを含み得る。
【０４５５】
Ｓ５０１。Ａ−ｅＮＢは、測定構成情報をＵＥに送信する。
【０４５６】
測定構成情報は、Ａ−ｅＮＢのみに対応する周波数レイヤを測定すること、または、Ａ−ｅＮＢとＭｅＮＢのみに対応する周波数レイヤを測定すること、またはＡ−ｅＮＢ、ＭｅＮＢ、およびＳｅＮＢのすべてに対応する周波数レイヤを測定すること、を特に含む。
【０４５７】
任意選択で、測定構成情報は、Ａ−ｅＮＢのみに対応する周波数レイヤを測定するための第１の閾値を決定すること、またはＡ−ｅＮＢとＭｅＮＢのみに対応する周波数レイヤを測定するための第２の閾値を決定すること、またはＡ−ｅＮＢ、ＭｅＮＢ、およびＳｅＮＢのすべてに対応する周波数レイヤを測定するための第３の閾値を決定すること、をさらに含み得る。
【０４５８】
Ｓ５０２。ＵＥは、測定構成情報に従って、各基地局に対応する周波数レイヤに関する測定を完了する。
【０４５９】
具体的には、測定構成情報が、Ａ−ｅＮＢのみに対応する周波数レイヤを測定すること、またはＡ−ｅＮＢとＭｅＮＢのみに対応する周波数レイヤを測定すること、またはＡ−ｅＮＢ、ＭｅＮＢ、およびＳｅＮＢのすべてに対応する周波数レイヤを測定することを含む場合、ＵＥは、測定構成情報に従って、Ａ−ｅＮＢのみに対応する周波数レイヤを測定するかどうか、またはＡ−ｅＮＢとＭｅＮＢのみに対応する周波数レイヤを測定するかどうか、またはＡ−ｅＮＢ、ＭｅＮＢ、およびＳｅＮＢのすべてに対応する周波数レイヤを測定するかどうか、を決定してよい。
【０４６０】
測定構成情報が、Ａ−ｅＮＢのみに対応する周波数レイヤを測定するための第１の閾値を決定すること、またはＡ−ｅＮＢとＭｅＮＢのみに対応する周波数レイヤを測定するための第２の閾値を決定すること、またはＡ−ｅＮＢ、ＭｅＮＢ、およびＳｅＮＢのすべてに対応する周波数レイヤを測定するための第３の閾値を決定することを含む場合、対応して、Ａ−ｅＮＢは、端末の現在のサービスのＱｏＳ要件と測定構成情報における閾値の間の大小関係に従って測定し、周波数レイヤは各基地局に対応する。具体的には、端末の現在のサービスのＱｏＳが第１の閾値よりも低ければ、Ａ−ｅＮＢは、測定構成情報に従って、Ａ−ｅＮＢのみに対応する周波数レイヤを測定して測定結果を取得し、端末の現在のサービスのＱｏＳが、第１の閾値よりは高いが第２の閾値よりも低ければ、Ａ−ｅＮＢは、測定構成情報に従って、Ａ−ｅＮＢに対応する周波数レイヤおよびＭｅＮＢに対応する周波数レイヤを測定して測定結果を取得し、または、端末の現在のサービスのＱｏＳが第３の閾値よりも高ければ、Ａ−ｅＮＢは、測定構成情報に従って、Ａ−ｅＮＢ、ＭｅＮＢ、およびＳｅＮＢに対応する周波数レイヤを測定して測定結果を取得する。
【０４６１】
Ｓ５０３。Ａ−ｅＮＢは、測定報告を行うかどうかに関する命令メッセージをＵＥに送信する。
【０４６２】
具体的には、Ａ−ｅＮＢによってＵＥに送信される、測定報告に関する構成パラメータは、測定報告を行うかどうか、または測定報告に関する閾値、または他のトリガ条件、または他のパラメータなどのパラメータのうちの１つまたは複数を含み得る。たとえば、測定報告に関する構成パラメータは、測定報告を行うかどうかに関する命令情報を含む。
【０４６３】
測定報告を行うかどうかに関する命令メッセージは、Ａ−ｅＮＢに対応する周波数レイヤの測定報告のための命令情報、ＭｅＮＢに対応する周波数レイヤの測定報告のための命令情報、またはＳｅＮＢに対応する周波数レイヤの測定報告のための命令情報のうちの少なくとも１つを特に含み得る。
【０４６４】
Ｓ５０４。ＵＥは、測定報告を行うかどうかに関する命令メッセージに従って、測定結果をＡ−ｅＮＢに送信する。
【０４６５】
具体的には、命令メッセージが、Ａ−ｅＮＢに対応する周波数レイヤの測定報告のための命令メッセージであれば、ＵＥは、Ａ−ｅＮＢに対応する周波数レイヤを測定した測定結果をＡ−ｅＮＢに送信し、命令メッセージが、ＭｅＮＢに対応する周波数レイヤの測定報告のための命令情報であれば、ＵＥは、ＭｅＮＢに対応する周波数レイヤを測定した測定結果をＡ−ｅＮＢに送信し、命令メッセージが、ＳｅＮＢに対応する周波数レイヤを測定するための命令情報であれば、ＵＥは、ＳｅＮＢに対応する周波数レイヤを測定した測定結果をＡ−ｅＮＢに送信し、命令メッセージが、Ａ−ｅＮＢに対応する周波数レイヤの測定報告およびＭｅＮＢに対応する周波数レイヤの測定報告のための命令情報であれば、ＵＥは、Ａ−ｅＮＢに対応する周波数レイヤを測定した測定結果およびＭｅＮＢに対応する周波数レイヤを測定した測定結果をＡ−ｅＮＢに送信し、命令メッセージが、Ａ−ｅＮＢに対応する周波数レイヤの測定報告、ＭｅＮＢに対応する周波数レイヤの測定報告、およびＳｅＮＢに対応する周波数レイヤの測定報告のための命令情報であれば、ＵＥは、Ａ−ｅＮＢに対応する周波数レイヤを測定した測定結果、ＭｅＮＢに対応する周波数レイヤを測定した測定結果、およびＳｅＮＢに対応する周波数レイヤを測定した測定結果をＡ−ｅＮＢに送信する。
【０４６６】
図１１は、本発明の実施形態５のシグナリング流れ図である。この実施形態は、ＵＥの測定構成情報を管理する際の相互作用プロセスの、別の可能な実装形態のやり方である。この実施形態と図１０に示された実施形態の間の相違は、ＵＥ自体が、条件に従って、前述の周波数レイヤに関する測定および測定報告を行うかどうかを決定することにある。図１１に示されるように、この実施形態の方法は以下のステップを含み得る。
【０４６７】
Ｓ６０１。Ａ−ｅＮＢは測定構成情報をＵＥに送信する。
【０４６８】
具体的には、ＵＥがＡ−ｅＮＢにアクセスした後、Ａ−ｅＮＢは、ＵＥのために各レイヤの測定パラメータを構成してよく、すなわち、ＵＥのために、Ａ−ｅＮＢの周波数レイヤの測定構成パラメータ、ＭｅＮＢの周波数レイヤの測定構成パラメータ、およびＳｅＮＢの周波数レイヤの測定構成パラメータを別個に構成してよい。特定の測定構成パラメータは、ターゲットとする測定周波数と、測定周期と、たとえば基準信号の受信された電力（Ｒｅｆｅｒｅｎｃｅ  Ｓｉｇｎａｌ  Ｒｅｃｅｉｖｅｄ  Ｐｏｗｅｒ、略してＲＳＲＰ）、基準信号の受信された品質（Ｒｅｆｅｒｅｎｃｅ  Ｓｉｇｎａｌ  Ｒｅｃｅｉｖｅｄ  Ｑｕａｌｉｔｙ、略してＲＳＲＱ）、および受信された信号強度標識（Ｒｅｃｅｉｖｅｄ  Ｓｉｇｎａｌ  Ｓｔｒｅｎｇｔｈ  Ｉｎｄｉｃａｔｏｒ、略してＲＳＳＩ）といった測定量とを含み得る。
【０４６９】
Ｓ６０２。ＵＥは、サービスに従って、各基地局に対応する周波数レイヤを測定すると決定する。
【０４７０】
具体的には、ＵＥがアクティブサービスを有しないとき、またはサービスのＱｏＳ要件が範囲よりも低いとき、ＵＥはＡ−ｅＮＢのみの周波数レイヤを測定することを選択し、ＵＥのサービストラフィックが範囲を超えるとき、またはサービスのＱｏＳ要件が範囲よりも高いとき、ＵＥはＡ−ｅＮＢの周波数レイヤおよびＭｅＮＢの周波数レイヤを測定し、ＵＥのサービストラフィックが閾値を超えるとき、またはサービスのＱｏＳ要件が閾値よりも高いとき、または必要とされるデータレートが閾値よりも高いとき、ＵＥはＳｅＮＢの周波数レイヤを測定し始める。
【０４７１】
Ｓ６０３。ＵＥは測定結果をＡｅＮＢに送信する。
【０４７２】
具体的には、ＵＥは、ＡｅＮＢの周波数レイヤの測定結果は必ず報告される、ＭｅＮＢの周波数レイヤの測定結果は条件付きで報告される、すなわち、予め設定された条件が満たされたときのみ報告される、ＳｅＮＢの周波数レイヤの測定結果は報告されない、すなわち、ＵＥはＳｅＮＢの測定結果を報告せず、それ自体で、測定結果に従って、データ伝送を行うように選択され得るＳｅＮＢを決定する、といった原則に基づいて、対応する測定結果を報告するかどうかを決定する。
【０４７３】
別の可能な実装形態のやり方では、Ａ−ｅＮＢの周波数レイヤ、ＭｅＮＢの周波数レイヤ、およびＳｅＮＢの周波数レイヤの測定構成は、同時に生じなくてもよく、すなわち、Ａ−ｅＮＢは、ＵＥのために構成のうちの１つまたは複数のみを構成してもよいことに留意されたい。構成されていない周波数レイヤについては、ＵＥは測定を行わなくてよい。たとえば、ＭｅＮＢの周波数レイヤの測定パラメータが構成されていなければ、ＵＥはＭｅＮＢの周波数レイヤを測定しなくてよい。
【０４７４】
図１２は、本発明の実施形態６のシグナリング流れ図である。この実施形態のアプリケーションシナリオは、具体的には、ＵＥの移動するプロセスにおいて、一方では、ＵＥはＡ−ｅＮＢを測定する必要があり、他方では、ＵＥは、より適切なターゲットとするＡ−ｅＮＢが選択されるように、測定結果に従って時間内にハンドオーバされてもよい、といったものである。この実施形態では、ネットワークによって制御されたハンドオーバを原則として使用し、特定のプロセスは以下の通りである。
【０４７５】
Ｓ７０１。ＵＥは、測定報告、またはターゲットとするＡ−ｅＮＢへハンドオーバされることを要求するための要求メッセージを、現在サービングしているＡ−ｅＮＢに送信する。
【０４７６】
現在サービングしているＡ−ｅＮＢ（Ｓｅｒｖｉｎｇ  ＡｅＮＢ、略してＳ−ＡｅＮＢ）のためにＵＥによってＳ−ＡｅＮＢに送信される測定報告は、ターゲットとするＡ−ｅＮＢ（Ｔａｒｇｅｔ  ＡｅＮＢ、略してＴ−ＡｅＮＢ）を含む隣接Ａ−ｅＮＢの測定結果を含む。
【０４７７】
任意選択で、ＵＥは、測定されたＴ−ＡｅＮＢのカバレッジ内で優れた信号品質を伴う１つまたは複数のｅＮＢに関する情報を、測定報告または要求メッセージにさらに追加してよい。
【０４７８】
Ｓ７０２。Ｓ−ＡｅＮＢは、ハンドオーバ要求メッセージをＴ−ＡｅＮＢに送信する。
【０４７９】
具体的には、Ｓ−ＡｅＮＢは、ＵＥにより送信された測定報告またはハンドオーバ要求を受信した後に、ＵＥがＴ−ＡｅＮＢへハンドオーバされてよいことを決定する。この場合、Ｓ−ＡｅＮＢがハンドオーバ要求メッセージをＴ−ＡｅＮＢに送信し、ハンドオーバ要求メッセージは、ＵＥのコンテキスト情報と、現在ＵＥのコンテキスト情報を有するｅＮＢに関する情報とを含む。任意選択で、Ｓ−ＡｅＮＢは、ターゲットとするＴ−ＡｅＮＢのカバレッジ内で優れた信号品質を伴う１つまたは複数のｅＮＢに関する情報を、ハンドオーバ要求メッセージに追加してよい。
【０４８０】
Ｓ７０３。Ｔ−ＡｅＮＢは、ハンドオーバ要求応答メッセージをＳ−ＡｅＮＢに送信する。
【０４８１】
具体的には、Ｔ−ＡｅＮＢは、承認制御を行って、ＵＥがハンドオーバを行うのを可能にするかどうかを決定する。ＵＥが、ハンドオーバを行うことを許可された場合、Ｔ−ＡｅＮＢはハンドオーバ要求応答メッセージをＳ−ＡｅＮＢに送信し、ハンドオーバ要求応答メッセージは、Ｌ１、Ｌ２、およびＬ３の構成パラメータなどのＵＥのために構成された情報を含む。加えて、Ｔ−ＡｅＮＢは、１つまたは複数のｅＮＢに関する情報と、Ｔ−ＡｅＮＢのカバレッジ内にあってＵＥのコンテキスト情報を有するｅＮＢに関する情報とを、ＵＥのコンテキスト情報を有するハンドオーバ要求応答メッセージにさらに追加してよい。あるいは、Ｔ−ＡｅＮＢは、Ｔ−ＡｅＮＢのカバレッジ内にあってＵＥのコンテキスト情報を有するｅＮＢに関する情報を送信するために、他の個別の専用メッセージを使用してよい。
【０４８２】
Ｓ７０４。Ｓ−ＡｅＮＢは、ハンドオーバコマンドメッセージをＵＥに送信する。
【０４８３】
具体的には、Ｓ−ＡｅＮＢは、Ｔ−ＡｅＮＢによってフィードバックされたハンドオーバ要求応答メッセージを受信した後、ハンドオーバコマンドメッセージをＵＥに送信し、ハンドオーバコマンドメッセージが、Ｔ−ＡｅＮＢへのハンドオーバを行うようにＵＥに命令する。ハンドオーバコマンドメッセージは、Ｔ−ＡｅＮＢのカバレッジ内にあってＵＥのコンテキスト情報を有するｅＮＢに関する情報を含み得る。
【０４８４】
Ｓ７０５。Ｓ−ＡｅＮＢは、ハンドオーバ命令メッセージを、ＵＥに現在サービングするｅＮＢに提供する。
【０４８５】
加えて、Ｓ−ＡｅＮＢは、Ｔ−ＡｅＮＢによってフィードバックされたハンドオーバ要求応答メッセージを受信した後、ハンドオーバ命令メッセージを、ＵＥに現在サービングするｅＮＢに提供してもよく、ハンドオーバ命令メッセージは、Ｔ−ＡｅＮＢに関する情報、またはＵＥのためにサービスを提供するのを停止するかどうか、もしくはＴ−ＡｅＮＢの制御下でＵＥのためにサービスを提供するかどうかをｅＮＢに命令する命令情報を、含み得る。ｅＮＢは、命令情報に従って、ＵＥがデータ伝送を行うためにリソースをスケジューリングすることを継続するかどうかを決定し、または、含まれている、Ｔ−ＡｅＮＢに関する情報に従って、Ｔ−ＡｅＮＢの制御下でＵＥのためにサービスを提供する必要があるかどうかを決定し、または、Ｔ−ＡｅＮＢの制御下でＵＥのためにサービスを提供するかどうかをｅＮＢに命令する命令情報に従って、Ｔ−ＡｅＮＢの制御下でＵＥにサービスが提供される必要があるかどうかを決定し、ｙｅｓの場合は、ＵＥがデータ伝送を行うためのリソースを、スケジューリングすることを継続し、ｎｏの場合は、ＵＥのためにリソースをスケジューリングするのを停止する。
【０４８６】
Ｓ７０６。ＵＥは、Ｔ−ＡｅＮＢのカバレッジ内にあってＵＥのコンテキスト情報を有する１つまたは複数のｅＮＢを選択し、データ伝送を行う。
【０４８７】
ＵＥは、ハンドオーバコマンドメッセージを受信した後、データ伝送を行うように、Ｔ−ＡｅＮＢのカバレッジ内にあってＵＥのコンテキスト情報を有する１つまたは複数のｅＮＢを選択し、１つまたは複数のｅＮＢは、Ｓ−ＡｅＮＢのカバレッジ内にある、以前にＵＥに対してサービスを提供したｅＮＢでよく、ＵＥは、以前にＳ−ＡｅＮＢの制御下でＵＥに対してサービスを提供したｅＮＢを優先的に選択してよい。同時に、ＵＥは、Ｔ−ＡｅＮＢに対するランダムアクセスプロセスを開始してＴ−ＡｅＮＢにアクセスする必要もある。
【０４８８】
Ｓ７０７。ＵＥは、ハンドオーバ完了標識メッセージをＴ−ＡｅＮＢに送信する。
【０４８９】
具体的には、ＵＥは、Ｔ−ＡｅＮＢに対するランダムアクセスを首尾よく行った後に、ＵＥがハンドオーバを首尾よく完了したことを示すように、ハンドオーバ完了標識メッセージをＴ−ＡｅＮＢに送信する。
【０４９０】
Ｓ７０８。Ｔ−ＡｅＮＢは、ハンドオーバ完了標識メッセージをＳ−ＡｅＮＢに送信する。
【０４９１】
Ｔ−ＡｅＮＢは、ＵＥにより送信されたハンドオーバ完了標識メッセージを受信した後、ＵＥがハンドオーバを首尾よく完了したことをＳ−ＡｅＮＢに通知するように、ハンドオーバ完了標識メッセージをＳ−ＡｅＮＢに送信する。
【０４９２】
あるいは、ＵＥは、Ｔ−ＡｅＮＢに対するランダムアクセスを首尾よく行った後、現在サービングしている各Ｓ−ＡｅＮＢにおけるＳ−ＡｅＮＢに接続されたｅＮＢを介して、ハンドオーバ完了標識メッセージをフィードバックしてよく（図では破線で示されている）、次いで、ｅＮＢは、ハンドオーバ完了標識メッセージをＳ−ＡｅＮＢに送信し、ＵＥが首尾よくハンドオーバを完了したことをＳ−ＡｅＮＢに通知する。
【０４９３】
Ｓ７０９。Ｓ−ＡｅＮＢは、ＵＥのコンテキスト情報とＵＥのコンテキスト情報を有するｅＮＢに関する情報を解放する。
【０４９４】
具体的には、Ｓ−ＡｅＮＢは、ハンドオーバ完了標識を受信した後にＵＥのコンテキスト情報を解放してよく、または最初にタイマを起動して、タイマが満了した後にＵＥのコンテキストを解放してよい。本明細書において、ＵＥのコンテキストを解放するのを遅らせるためにタイマを導入する目的は、ＵＥがＳ−ＡｅＮＢに戻ること、またはそのうちＳ−ＡｅＮＢに復帰することを防止するためである。
【０４９５】
図１３は、本発明の実施形態７のシグナリング流れ図である。この実施形態の適用シナリオは、図１２に示された実施形態の適用シナリオと同一である。この実施形態では、ＵＥ自体により制御されるハンドオーバを原則として使用し、ハンドオーバプロセスでは、ＵＥは行われているアクティブサービスを有する。この実施形態の方法は、以下のステップを特に含む。
【０４９６】
Ｓ８０１。ＵＥ自体がハンドオーバを行うと決定する。
【０４９７】
具体的には、ＵＥが、隣接Ａ−ｅＮＢを測定し、ＵＥがハンドオーバされ得るＴ−ＡｅＮＢを、測定結果に基づいて選択する。適切なＴ−ＡｅＮＢが選択された後、ＵＥ自体がハンドオーバを行うと決定し、Ｔ−ＡｅＮＢに対してランダムアクセスを行う。
【０４９８】
Ｓ８０２。ＵＥは、ハンドオーバ要求メッセージをＴ−ＡｅＮＢに送信する。
【０４９９】
ＵＥは、Ｔ−ＡｅＮＢにアクセスすることを要求するように、ハンドオーバ要求をＴ−ＡｅＮＢに報告し、ハンドオーバ要求メッセージは、ＵＥの現在のＳ−ＡｅＮＢに関する情報および／またはＴ−ＡｅＮＢのカバレッジ内にある、ＵＥのためのサービスすなわちｅＮＢ候補に関する情報を、可能性として提供し得るｅＮＢに関する情報を含む。
【０５００】
Ｓ８０３。Ｔ−ＡｅＮＢは、ハンドオーバ命令メッセージをＳ−ＡｅＮＢに送信する。
【０５０１】
Ｔ−ＡｅＮＢが、ＵＥからのハンドオーバ要求メッセージを受信した後、ＵＥがＴ−ＡｅＮＢへハンドオーバされることになると示すハンドオーバ命令メッセージをＳ−ＡｅＮＢに送信する、または、ＵＥが、首尾よくＴ−ＡｅＮＢにアクセスした後、ＵＥがＴ−ＡｅＮＢへハンドオーバされることになると示すハンドオーバ命令メッセージをＳ−ＡｅＮＢに送信する（破線で示されている）。
【０５０２】
Ｓ８０４。Ｔ−ＡｅＮＢは、ＵＥのコンテキスト情報をｅＮＢに送信し、ハンドオーバ要求確認応答メッセージをＵＥに送信する。
【０５０３】
具体的には、Ｔ−ＡｅＮＢは、ＵＥにより送信されたハンドオーバ要求メッセージを受信した後、ＵＥのコンテキスト情報を提供される必要があるｅＮＢを決定し、ＵＥのコンテキスト情報をｅＮＢに伝送し、ＵＥがハンドオーバできることを通知するように、ハンドオーバ要求確認応答メッセージをＵＥに送信する。ハンドオーバ要求確認応答メッセージはＴ−ＡｅＮＢを含む。
【０５０４】
Ｓ８０５。Ｓ−ＡｅＮＢは、ハンドオーバ命令メッセージを、ＵＥに現在サービングするｅＮＢに提供する。
【０５０５】
Ｓ−ＡｅＮＢは、ハンドオーバ命令情報を受信した後、ハンドオーバ命令メッセージを、ＵＥに現在サービングするｅＮＢに提供し、ハンドオーバ命令メッセージは、Ｔ−ＡｅＮＢに関する情報、またはＵＥのためにサービスを提供するのを停止するかどうか、もしくはＴ−ＡｅＮＢの制御下でＵＥのためにサービスを提供するかどうかをｅＮＢに命令する命令情報を含み得る。
【０５０６】
Ｓ８０６。ｅＮＢは、命令情報に従って、データをＵＥに送信することを継続するかどうかを決定する。
【０５０７】
具体的には、ｅＮＢは、命令情報に従って、ＵＥがデータ伝送を行うためのリソースをスケジューリングすることを継続するかどうかを決定し、または、Ｔ−ＡｅＮＢに関する含まれた情報に従って、Ｔ−ＡｅＮＢの制御下でＵＥのためにサービスを提供する必要があるかどうかを決定し、または、Ｔ−ＡｅＮＢの制御下でＵＥのためにサービスを提供するかどうかをｅＮＢに命令する命令情報に従って、Ｔ−ＡｅＮＢの制御下でＵＥにサービスが提供される必要があるかどうかを決定し、ｙｅｓの場合は、ＵＥがデータ伝送を行うためのリソースをスケジューリングすることを継続し、ｎｏの場合は、ＵＥのためにリソースをスケジューリングするのを停止する。
【０５０８】
Ｓ８０７。ＵＥは、ハンドオーバ完了標識メッセージをＳ−ＡｅＮＢに送信する。
【０５０９】
ＵＥが、ハンドオーバ完了標識メッセージをＳ−ＡｅＮＢに送信する、またはＴ−ＡｅＮＢが、ＵＥのスケジューリングされたアップリンクデータを受信した後、もしくはＵＥにより送信されたハンドオーバ完了標識を受信した後に、ハンドオーバ完了標識メッセージをＳ−ＡｅＮＢに送信する。
【０５１０】
Ｓ８０８。ＵＥは、データ伝送を行うように、Ｔ−ＡｅＮＢのカバレッジ内にあってＵＥのコンテキスト情報を有する１つまたは複数のｅＮＢを選択する。
【０５１１】
ＵＥは、ハンドオーバ要求確認応答メッセージを受信した後、データ伝送を行うように、Ｔ−ＡｅＮＢのカバレッジ内にあってＵＥのコンテキスト情報を有する１つまたは複数のｅＮＢを選択し、１つまたは複数のｅＮＢは、Ｓ−ＡｅＮＢのカバレッジ内にある、以前にＵＥに対してサービスを提供したｅＮＢでよく、ＵＥは、以前にＳ−ＡｅＮＢの制御下でＵＥに対してサービスを提供したｅＮＢを優先的に選択してよい。
【０５１２】
Ｓ８０９。Ｓ−ＡｅＮＢは、ＵＥのコンテキスト情報、およびＵＥのコンテキスト情報を有するｅＮＢに関する情報を解放する。
【０５１３】
Ｓ−ＡｅＮＢは、ハンドオーバ完了標識を受信した後にＵＥのコンテキスト情報を解放してよく、または最初にタイマを起動して、タイマが満了した後にＵＥのコンテキストを解放してよい。本明細書において、ＵＥのコンテキストを解放するのを遅らせるためにタイマを導入する目的は、ＵＥがＳ−ＡｅＮＢに戻ること、またはそのうちＳ−ＡｅＮＢに復帰することを防止するためである。
【０５１４】
図１４Ａおよび図１４Ｂは本発明の実施形態８のシグナリング流れ図である。この実施形態の適用シナリオは、図１２に示された実施形態の適用シナリオと同一である。この実施形態では、Ｓ−ＡｅＮＢと隣接Ａ−ｅＮＢは、ネゴシエーションを通じて、共同で制御されるｅＮＢを決定する。この実施形態の方法は、以下のステップを特に含む。
【０５１５】
Ｓ９０１。Ｓ−ＡｅＮＢは、ｅＮＢ制御ネゴシエーションメッセージをＴ−ＡｅＮＢに送信する。
【０５１６】
Ｓ−ＡｅＮＢと隣接ＡｅＮＢ（Ｔ−ＡｅＮＢはＳ−ＡｅＮＢに隣接するＡｅＮＢである）は、ネゴシエーションを行い、共同で制御できるｅＮＢを決定する。具体的には、Ｓ−ＡｅＮＢは、共同で制御できる可能性のあるｅＮＢに関する情報を示すｅＮＢ制御ネゴシエーションメッセージを、隣接Ａ−ｅＮＢに送信する。Ｓ−ＡｅＮＢは、ｅＮＢの位置情報および隣接ＡｅＮＢの位置情報、ならびにｅＮＢとＳ−ＡｅＮＢおよび隣接ＡｅＮＢとの間の接続関係に従って、共同で制御できる可能性のあるｅＮＢを選択し、決定してよい。
【０５１７】
Ｓ９０２。Ｔ−ＡｅＮＢは、ｅＮＢ制御ネゴシエーション応答メッセージをＳ−ＡｅＮＢに送信する。
【０５１８】
具体的には、隣接Ａ−ｅＮＢは、ｅＮＢ制御ネゴシエーションメッセージを受信した後、共同で制御できるｅＮＢを承認し、ｅＮＢ制御ネゴシエーション応答メッセージをＳ−ＡｅＮＢに送信し、この応答メッセージは、隣接Ａ−ｅＮＢにより決定された共同で制御できるｅＮＢに関する情報、またはｅＮＢ制御ネゴシエーションメッセージに含まれた共同で制御できるｅＮＢに関する情報の確認応答を含む。
【０５１９】
前述のステップ１およびステップ２において共同で制御されるｅＮＢを決定するための方法に加えて、ＯＡＭ構成方法（前述の図には示されていない）を使用することによる決定も行われてよく、すなわち、Ｓ−ＡｅＮＢと隣接Ａ−ｅＮＢの両方が、ＯＡＭから、Ｓ−ＡｅＮＢおよび隣接Ａ−ｅＮＢにより共同で制御できるｅＮＢに関する情報を受信する。具体的には、共同で制御できる可能性のあるｅＮＢは、ｅＮＢの位置情報および各Ａ−ｅＮＢの位置情報、ならびにｅＮＢとＡ−ｅＮＢの間の接続関係に従って選択され、かつ決定されてよい。
【０５２０】
Ｓ９０３。ＵＥは、測定報告またはＴ−ＡｅＮＢへハンドオーバされることを要求する要求メッセージをＳ−ＡｅＮＢに送信する。
【０５２１】
具体的には、ＵＥは、隣接Ａ−ｅＮＢの測定結果を含む測定報告をＳ−ＡｅＮＢに送信する、または、Ｔ−ＡｅＮＢへハンドオーバされることを要求するための要求メッセージを、サービングしているＡｅＮＢに送信する。任意選択で、ＵＥは、測定報告または要求メッセージに対して、測定されたＴ−ＡｅＮＢのカバレッジ内で優れた信号品質を伴う１つまたは複数のｅＮＢに関する情報を追加してよい。
【０５２２】
Ｓ９０４。Ｓ−ＡｅＮＢは、ハンドオーバ要求メッセージをＴ−ＡｅＮＢに送信する。
【０５２３】
Ｓ−ＡｅＮＢは、ＵＥから測定報告またはハンドオーバ要求を受信した後、ＵＥがＴ−ＡｅＮＢへハンドオーバされてよいことを決定し、Ｓ−ＡｅＮＢとＴ−ＡｅＮＢにより共同で制御される、ＵＥのためにサービスを提供することを継続することができるｅＮＢを、ハンドオーバプロセスにおいて選択する。次いで、Ｓ−ＡｅＮＢがハンドオーバ要求メッセージをＴ−ＡｅＮＢに送信し、ハンドオーバ要求メッセージは、ＵＥのコンテキスト情報と、ＵＥのためにサービスを提供することができる選択されたｅＮＢに関する情報とを含む。
【０５２４】
Ｓ９０５。Ｔ−ＡｅＮＢは、ハンドオーバ要求応答メッセージをＳ−ＡｅＮＢに送信する。
【０５２５】
Ｔ−ＡｅＮＢは、承認制御を行って、ＵＥがハンドオーバを行うのを可能にするかどうかを決定する。ＵＥがハンドオーバを行うことを許可された場合、Ｔ−ＡｅＮＢはＳ−ＡｅＮＢにハンドオーバ要求応答メッセージを送信し、ハンドオーバ要求応答メッセージは、Ｌ１、Ｌ２、およびＬ３の構成パラメータなどのＵＥのために構成された情報を含む。Ｔ−ＡｅＮＢは、ＵＥのためにサービスを提供することを継続することができるｅＮＢに関する情報に加えて、ＵＥのコンテキスト情報を有する他の選択されたｅＮＢに関する情報を、ハンドオーバ要求メッセージにさらに追加し得る。
【０５２６】
Ｓ９０６。Ｓ−ＡｅＮＢは、ハンドオーバを決定し、伝送のためにＳ−ＡｅＮＢにより搬送されるサービスをｅＮＢに切り替える。
【０５２７】
Ｓ９０７。Ｓ−ＡｅＮＢはハンドオーバコマンドメッセージをＵＥに送信し、ハンドオーバ命令メッセージを、ＵＥのためにもはやサービスを提供する必要がないｅＮＢに送信する。
【０５２８】
Ｓ−ＡｅＮＢは、Ｔ−ＡｅＮＢによりフィードバックされたハンドオーバ要求応答メッセージを受信した後、ハンドオーバコマンドメッセージをＵＥに送信し、ハンドオーバコマンドメッセージは、Ｔ−ＡｅＮＢへのハンドオーバを行うようにＵＥに命令し、また、ハンドオーバプロセスにおいて１つまたは複数の現在のｅＮＢとのデータ伝送を維持するようにＵＥに命令する。あるいは、Ｓ−ＡｅＮＢは、ハンドオーバプロセスにおいて１つまたは複数の現在のｅＮＢとのデータ伝送を維持するようにＵＥに命令する、たとえば再構成メッセージといった他の専用メッセージを使用してよい。加えて、Ｓ−ＡｅＮＢは、ＳｅＮＢへの伝送のために現在Ｓ−ＡｅＮＢにより搬送されているサービスを再構成してもよい。
【０５２９】
Ｓ−ＡｅＮＢは、Ｔ−ＡｅＮＢによりフィードバックされたハンドオーバ要求応答メッセージを受信した後に前述の動作を行うことに加えて、伝送のために現在Ｓ−ＡｅＮＢによりＳｅＮＢに搬送されているサービスを再構成するように、ハンドオーバを決定することから、Ｔ−ＡｅＮＢによりフィードバックされたハンドオーバ要求応答メッセージを受信することの間の、任意のときに、ベアラ再構成メッセージをＵＥに送信してよい。
【０５３０】
加えて、ハンドオーバコマンドメッセージは、Ｔ−ＡｅＮＢのカバレッジ内にあってＵＥのコンテキスト情報を有するｅＮＢに関する情報を含み得る。
【０５３１】
加えて、Ｓ−ＡｅＮＢは、Ｔ−ＡｅＮＢによりフィードバックされたハンドオーバ要求応答メッセージを受信した後、ハンドオーバ命令メッセージを、ＵＥのためにもはやサービスを提供する必要がないｅＮＢに送信することも決定してよく、ハンドオーバ命令メッセージは、ＵＥのためにサービスを提供することを停止するようにｅＮＢに命令する。
【０５３２】
Ｓ９０８。ＵＥは、Ｔ−ＡｅＮＢに対してランダムアクセスプロセスを開始し、Ｔ−ＡｅＮＢにアクセスする。
【０５３３】
ＵＥは、ハンドオーバコマンドメッセージを受信した後、ハンドオーバコマンドの命令に従って、データ伝送を維持する他の示された１つまたは複数のｅＮＢとのデータ伝送を行うことを維持することを継続する。ハンドオーバコマンドが、Ｓ−ＡｅＮＢにより搬送されたデータをｅＮＢに切り替えることを命令する場合、ＵＥは、元はＳ−ＡｅＮＢを介して伝送されたサービスデータを、前述のｅＮＢを介して伝送する。ＵＥは、ハンドオーバコマンドにおいて示された、データ伝送を維持している１つまたは複数のｅＮＢに加えて、Ｔ−ＡｅＮＢのカバレッジ内にあってＵＥのコンテキスト情報を有する１つまたは複数のｅＮＢを、データ伝送を行うように選択することをさらに継続してよい。
【０５３４】
あるいは、ＵＥは、ハンドオーバコマンドを受信する前に、Ｓ−ＡｅＮＢにより送信されたベアラ再構成メッセージを受信した場合には、伝送のためにベアラ再構成メッセージで規定されたＳｅＮＢにＳ−ＡｅＮＢを介して現在伝送されるサービスデータを再構成する。
【０５３５】
ＵＥは、Ｔ−ＡｅＮＢに対するランダムアクセスプロセスを開始し、Ｔ−ＡｅＮＢにアクセスする。
【０５３６】
Ｓ９０９。ＵＥは、ハンドオーバ完了標識メッセージをＴ−ＡｅＮＢに送信する。
【０５３７】
Ｓ９１０。Ｔ−ＡｅＮＢは、ハンドオーバ完了標識メッセージをＳ−ＡｅＮＢに送信する。
【０５３８】
Ｓ９１１。Ｓ−ＡｅＮＢは、ＵＥのコンテキスト情報と、ＵＥのコンテキスト情報を有するｅＮＢに関する情報とを解放する。
【０５３９】
Ｓ９０９〜Ｓ９１１の特定の実装形態プロセスは、図１１に示された実施形態のＳ７０７〜Ｓ７０９の特定の実装形態プロセスと同一であり、ここで再び説明されることはない。
【０５４０】
図１５は、本発明の実施形態９のシグナリング流れ図である。この実施形態の適用シナリオは、図１２に示された実施形態の適用シナリオと同一である。この実施形態では、ＵＥのハンドオーバプロセスにはアクティブサービスがないと想定し、この実施形態の方法は以下のステップを特に含む。
【０５４１】
Ｓ１００１。ＵＥは、測定報告またはＴ−ＡｅＮＢへハンドオーバされることを要求する要求メッセージをＳ−ＡｅＮＢに送信する。
【０５４２】
具体的には、ＵＥは、隣接Ａ−ｅＮＢの測定結果を含む測定報告またはＴ−ＡｅＮＢへハンドオーバされることを要求するための要求メッセージを、Ｓ−ＡｅＮＢに送信する。任意選択で、ＵＥは、測定報告または要求メッセージに対して、測定されたターゲットとするＴ−ＡｅＮＢのカバレッジ内で優れた信号品質を伴う１つまたは複数のｅＮＢに関する情報をさらに追加してよい。
【０５４３】
Ｓ１００２。Ｓ−ＡｅＮＢは、ハンドオーバ要求メッセージをＴ−ＡｅＮＢに送信する。
【０５４４】
Ｓ−ＡｅＮＢは、ＵＥによりされた測定報告またはハンドオーバ要求を受信した後に、ＵＥがＴ−ＡｅＮＢへハンドオーバされてよいことを決定する。この場合、Ｓ−ＡｅＮＢはハンドオーバ要求メッセージをＴ−ＡｅＮＢに送信し、ハンドオーバ要求メッセージは、ＵＥがアクティブサービスを現在有しないことを示す情報を含む。加えて、ハンドオーバ要求メッセージは、ＵＥのコンテキスト情報と、ＵＥのコンテキスト情報を現在有するｅＮＢに関する情報とをさらに含み得る。
【０５４５】
Ｓ１００３。Ｔ−ＡｅＮＢは、ハンドオーバ要求応答メッセージをＳ−ＡｅＮＢに送信する。
【０５４６】
Ｔ−ＡｅＮＢは、承認制御を行って、ＵＥがハンドオーバを行うのを可能にするかどうかを決定する。ＵＥがハンドオーバを行うことを許可された場合、Ｔ−ＡｅＮＢはＳ−ＡｅＮＢにハンドオーバ要求応答メッセージを送信し、ハンドオーバ要求応答メッセージは、ＵＥのために構成されてＡ−ｅＮＢに関連付けられた構成パラメータを含む。Ｔ−ＡｅＮＢは、ハンドオーバ要求メッセージに含まれる１つまたは複数のｅＮＢに対して、ＵＥのコンテキスト情報をさらに提供し得る。加えて、ハンドオーバ要求応答メッセージはｅＮＢに関する情報を含み、これらのｅＮＢは、Ｔ−ＡｅＮＢのカバレッジ内にあり、ＵＥのコンテキスト情報とｅＮＢに関連付けられたデフォルト構成パラメータ情報とを有する。
【０５４７】
Ｓ１００４。Ｓ−ＡｅＮＢは、ハンドオーバコマンドメッセージをＵＥに送信する。
【０５４８】
Ｓ−ＡｅＮＢは、Ｔ−ＡｅＮＢによってフィードバックされたハンドオーバ要求応答メッセージを受信した後、ハンドオーバコマンドメッセージをＵＥに送信し、ハンドオーバコマンドは、Ｔ−ＡｅＮＢへのハンドオーバを行うようにＵＥに命令する。ハンドオーバコマンドメッセージは、Ｔ−ＡｅＮＢのカバレッジ内にあってＵＥのコンテキスト情報を有するｅＮＢに関する情報を含み得る。加えて、任意選択で、ハンドオーバコマンドメッセージは、ＵＥが、Ｔ−ＡｅＮＢに対してランダムアクセスを行うことを必要とされるかどうかを示す情報をさらに含み得る。
【０５４９】
ＵＥは、ハンドオーバコマンドメッセージを受信した後、Ｔ−ＡｅＮＢに対するランダムアクセスプロセスを開始し、Ｔ−ＡｅＮＢにアクセスする。あるいは、ハンドオーバコマンドがランダムアクセスを行わないようにＵＥに命令した場合、ＵＥはハンドオーバコマンドにより必要とされた構成を首尾よく行った後、Ｔ−ＡｅＮＢへのハンドオーバは行わない。あるいは、ＵＥは、ハンドオーバコマンドを受信した後、現在アクティブサービスが存在しないと決定すると、Ｔ−ＡｅＮＢに対するランダムアクセスは行わない。
【０５５０】
Ｓ１００５。ＵＥは、ハンドオーバ完了標識メッセージをＳ−ＡｅＮＢに送信する。
【０５５１】
ＵＥは、（Ｔ−ＡｅＮＢに対するランダムアクセスが必要であると決定された場合）Ｔ−ＡｅＮＢに対するランダムアクセスを首尾よく行った後、または（Ｔ−ｅＮＢに対するランダムアクセスが必要とされない場合）ハンドオーバコマンドにより必要とされた構成を首尾よく完了した後、ＵＥが首尾よくハンドオーバを完了したことを示すように、ハンドオーバ完了標識メッセージをＳ−ＡｅＮＢに送信する。
【０５５２】
Ｓ１００６。Ｓ−ＡｅＮＢは、ハンドオーバ完了標識メッセージをＴ−ＡｅＮＢに送信する。
【０５５３】
Ｓ１００７。Ｓ−ＡｅＮＢは、ＵＥのコンテキスト情報、およびＵＥのコンテキスト情報を有するｅＮＢに関する情報を解放する。
【０５５４】
Ｓ−ＡｅＮＢは、ハンドオーバ完了標識を受信した後にＵＥのコンテキスト情報を解放してよく、または最初にタイマを起動し、タイマが満了した後にＵＥのコンテキストを解放してよい。本明細書において、ＵＥのコンテキストを解放するのを遅らせるためにタイマを導入する目的は、ＵＥがＳ−ＡｅＮＢに戻ること、またはそのうちＳ−ＡｅＮＢに復帰することを防止するためである。
【０５５５】
図１６は、本発明の実施形態１０のシグナリング流れ図である。この実施形態は、ＵＥの、Ａ−ｅＮＢおよびｅＮＢとの通信中のデータセキュリティの問題を主として解決するものである。この実施形態では、各ｅＮＢとＡ−ｅＮＢは、独立したセキュリティメカニズムを有する。Ａ−ｅＮＢは、異なるｅＮＢのために異なるＫＡＳＭＥを別個に生成する。したがって、ＵＥとネットワーク側ＡｕＣセンタの両方が、複数の異なるＫｉを記憶する必要があり、各Ｋｉは、ＵＥにより選択された異なるｅＮＢとともに、対応して順序通り使用される。図１６に示されるように、この実施形態の方法は以下のステップを含み得る。
【０５５６】
Ｓ１１０１。ＵＥは、Ａ−ｅＮＢに対してランダムアクセスを行い、Ａ−ｅＮＢへのＲＲＣ接続をセットアップする。
【０５５７】
具体的には、ＵＥは、ランダムアクセスプロセスを行うことによってＡ−ｅＮＢにアクセスし、Ａ−ｅＮＢへの接続をセットアップする。
【０５５８】
Ｓ１１０２。Ａ−ｅＮＢは、セキュリティモードアクティブ化コマンドメッセージをＵＥに送信する。
【０５５９】
セキュリティモードアクティブ化コマンドメッセージは、セキュリティをアクティブ化するようＵＥに命令するのに使用される。
【０５６０】
Ｓ１１０３。ＵＥは、Ａ−ｅＮＢに関連付けられた中間キーＡ−ＫｅＮＢを生成し、Ａ−ＫｅＮＢ、およびＡ−ｅＮＢのセキュリティアルゴリズムに基づいて、暗号化キーおよび完全性保護キーＫenc_AおよびＫint_Aを生成する。
【０５６１】
ＵＥは、Ａ−ｅＮＢにより送信されたセキュリティモードアクティブ化コマンドを受信した後、Ａ−ｅＮＢに関連付けられたＫ＿Ａ、ＩＫ＿Ａ、およびＣＫ＿Ａに従う計算によって、Ａ−ｅＮＢに対応するＫASME_Aを取得し、次いで、ＫASME_Aに基づく計算によって、Ａ−ｅＮＢに関連付けられた中間キーＡ−ＫｅＮＢをさらに取得し、Ａ−ＫｅＮＢ、およびＡ−ｅＮＢのセキュリティアルゴリズムに基づいて、暗号化キーおよび完全性保護キーＫenc_AおよびＫint_Aをさらに生成する。
【０５６２】
Ｓ１１０４。Ａ−ｅＮＢは、ＵＥのコンテキスト情報、各ｅＮＢおよびＵＥに関連付けられたセキュリティインデックス、ならびに生成されたＫｅＮＢ＿ｉを、ｅＮＢに送信する。
【０５６３】
具体的には、Ａ−ｅＮＢは、ＵＥのコンテキスト情報をｅＮＢに提供するとき、ＩＫ、ＣＫ、およびＫｉに従う計算により、ＵＥのコンテキスト情報を有するｉ番目のｅＮＢに関連付けられた、ｉ番目のｅＮＢに対応するルートキーＫASME_iを取得し、次いで、ＫASME_iに基づいて、ｉ番目のｅＮＢのためのＫｅＮＢ＿ｉをさらに計算し、ＫｅＮＢ＿ｉをｉ番目のｅＮＢに提供する。ＩＫおよびＣＫはパブリックでよく、または各ｅＮＢがＩＫとＣＫのセットに対応する。
【０５６４】
Ｓ１１０５。ｅＮＢはセキュリティアルゴリズム情報を示す。
【０５６５】
ｅＮＢは、Ａ−ｅＮＢにより送信されたセキュリティキー情報に応答して、それらのセキュリティアルゴリズムをＡ−ｅＮＢにフィードバックする。あるいは、ｅＮＢは、Ａ−ｅＮＢとの接続関係を最初にセットアップするとき、または最初にパワーオンされるとき、それらのセキュリティアルゴリズムをＡ−ｅＮＢに報告してよい。
【０５６６】
Ｓ１１０６。ＡｅＮＢは、ＵＥのコンテキスト情報を有するｅＮＢのリストをＵＥに送信し、このリストはｅＮＢのセキュリティアルゴリズム情報を含む。
【０５６７】
ＡｅＮＢは、ＵＥのコンテキスト情報を有するｅＮＢのリストをＵＥに送信し、このリストはｅＮＢのセキュリティアルゴリズム情報をさらに含み得る。上記で説明されたように、ＡｅＮＢは、専用シグナリングを使用することにより、ｅＮＢのセキュリティアルゴリズム情報をＵＥに通知する。加えて、ＵＥは選択されたｅＮＢに最初にアクセスし、次いで、ｅＮＢにより直接送信された専用メッセージ（図示せず）を受信してよく、専用メッセージはｅＮＢのセキュリティアルゴリズムの識別子を含む。
【０５６８】
あるいは、ＵＥは、ｅＮＢのシステム情報を読み取ることにより、ｅＮＢのセキュリティアルゴリズムの識別子情報を取得してよい。したがって、ｅＮＢは、システム情報において、ｅＮＢによって使用されるセキュリティアルゴリズムの識別子をブロードキャストする必要がある。あるいは、ＡｅＮＢは、ブロードキャストモードにおいて、ＵＥのコンテキスト情報を有するｅＮＢのセキュリティアルゴリズムの識別子をＵＥに通知してよい。
【０５６９】
Ｓ１１０７。ＵＥは、データ伝送を行うために１つまたは複数のｅＮＢを選択することを決定し、ｅＮＢに関連付けられた中間キーＫｅＮＢ＿ｉを生成し、ＫｅＮＢ＿ｉとｅＮＢのセキュリティアルゴリズムとに基づく計算により、ｅＮＢ上で使用される暗号化キーおよび／または完全性保護キーＫenc_iおよび／またはＫint_iを取得する。
【０５７０】
ＵＥは、データ伝送を行うために１つまたは複数のｅＮＢを選択する前に、最初に、選択されたｅＮＢのセキュリティインデックスに従って、対応するセキュリティキーＫｉ、ＩＫ、およびＣＫを決定し、次いで、計算により、ｉ番目のｅＮＢに対応するルートキーＫASME_iを取得し、ＫASME_iに従ってｉ番目のｅＮＢのためのＫｅＮＢ＿ｉをさらに計算し、最終的に、計算およびｅＮＢのセキュリティアルゴリズムによって取得されたＫｅＮＢ＿ｉに従う計算により、ｅＮＢ上で使用される暗号化キーおよび／または完全性保護キーＫenc_iおよび／またはＫint_iを取得する。
【０５７１】
Ｓ１１０８。ＵＥは選択されたｅＮＢにアクセスし、対応するキーを使用してデータ伝送を行う。
【０５７２】
具体的には、ＵＥは、計算によりｉ番目のｅＮＢのための暗号化キーおよび／または完全性保護キーＫenc_iおよび／またはＫint_iを取得した後、これらのキーを、ｅＮＢとの安全なデータ伝送を行うのに使用する。
【０５７３】
図１７は、本発明の実施形態１１のシグナリング流れ図である。この実施形態は、ＵＥの、Ａ−ｅＮＢおよびｅＮＢとの通信中のデータセキュリティの問題を主として解決するものである。この実施形態と図１６に示された実施形態の間の相違は、ｅＮＢとＡ−ｅＮＢが、互いに関連付けられたセキュリティメカニズムを有することにある。具体的には、ＵＥは、ｅＮＢを選択した後、ｅＮＢおよびＡ−ＫｅＮＢに関連付けられた一意のＣＯＵＮＴ（たとえばｅＮＢの一意のＩＤ、またはｅＮＢの周波数および／またはＰＣＩでよい）を使用することにより、ＵＥとＡｅＮＢの間の、ＫｅＮＢに関連付けられた中間キーＫｅＮＢを最初に生成し、次いで、ｅＮＢに関連付けられてＣ＿Ｖと表示された可変ＣＯＵＮＴに基づいて、ＵＥと選択されたｅＮＢとの間の中間キーＫｅＮＢ＊をさらに生成し、次いで、ＫｅＮＢ＊に基づいて、ｅＮＢに対応する暗号化キーおよび／または完全性保護キーＫencおよび／またはＫintをさらに生成する。図１７に示されるように、この実施形態の方法は以下のステップを含み得る。
【０５７４】
Ｓ１２０１。ＵＥは、Ａ−ｅＮＢに対してランダムアクセスを行い、Ａ−ｅＮＢへのＲＲＣ接続をセットアップする。
【０５７５】
ＵＥはランダムアクセスプロセスを行うことによりＡｅＮＢにアクセスし、ＡｅＮＢへの接続をセットアップする。
【０５７６】
Ｓ１２０２。Ａ−ｅＮＢは、セキュリティモードアクティブ化コマンドメッセージをＵＥに送信する。
【０５７７】
セキュリティモードアクティブ化コマンドメッセージは、セキュリティをアクティブ化するようＵＥに命令するのに使用される。
【０５７８】
Ｓ１２０３。ＵＥは、Ａ−ｅＮＢに関連付けられた中間キーＡ−ＫｅＮＢを生成し、Ａ−ＫｅＮＢ、およびＡ−ｅＮＢのセキュリティアルゴリズムに基づいて、暗号化キーおよび完全性保護キーＫenc_AおよびＫint_Aを生成する。
【０５７９】
ＵＥは、ＡｅＮＢにより送信されたセキュリティモードアクティブ化コマンドを受信した後、Ａ−ｅＮＢに関連付けられたＫ＿Ａ、ＩＫ＿Ａ、およびＣＫ＿Ａに従う計算により、ＡｅＮＢに対応するＫASME_Aを取得し、次いで、ＫASME_Aに基づく計算によって、Ａ−ｅＮＢに関連付けられた中間キーＡ−ＫｅＮＢをさらに取得し、Ａ−ＫｅＮＢ、およびＡ−ｅＮＢのセキュリティアルゴリズムに基づいて、暗号化キーおよび完全性保護キーＫenc_AおよびＫint_Aをさらに生成する。
【０５８０】
Ｓ１２０４。Ａ−ｅＮＢは、ＵＥのコンテキスト情報をｅＮＢに送信し、ＵＥとＡ−ｅＮＢとの間のキーＡ−ＫｅＮＢに基づいてｅＮＢのためのＫｅＮＢを生成する。
【０５８１】
Ａ−ｅＮＢは、ＵＥのコンテキスト情報をｅＮＢに提供するとき、ｅＮＢに関連付けられた一意のＣＯＵＮＴに従って中間キーＫｅＮＢを生成し、ＫｅＮＢをｅＮＢに提供する。
【０５８２】
Ｓ１２０５。ｅＮＢは、ＣＯＵＮＴおよびＣ＿Ｖ値を含むセキュリティアルゴリズム情報を示す。
【０５８３】
ｅＮＢは、ＡｅＮＢにより送信されたＫｅＮＢを受信した後、それらのセキュリティアルゴリズムと、現在使用されるべき動的ＣＯＵＮＴすなわちＣ＿Ｖとを、ＡｅＮＢにフィードバックする。Ｃ＿Ｖの初期値は整数でよく、キーが更新される必要があるたびに、Ｃ＿Ｖの値に１が加えられる。
【０５８４】
Ｓ１２０６。Ａ−ｅＮＢは、ＵＥのコンテキスト情報を有するｅＮＢのリストをＵＥに送信し、このリストは、ｅＮＢのセキュリティアルゴリズム情報と、対応するｅＮＢ上で使用されるべきＣ＿Ｖ値とを含む。
【０５８５】
Ａ−ｅＮＢは、ＵＥのコンテキスト情報を有するｅＮＢのリストをＵＥに送信し、このリストは、ｅＮＢのセキュリティアルゴリズム情報と、対応するｅＮＢ上で使用されるべきＣ＿Ｖ値とをさらに含み得る。あるいは、ＵＥは選択されたｅＮＢに最初にアクセスし、次いで、ｅＮＢにより直接送信された専用メッセージ（図示せず）を受信してよく、専用メッセージは、ｅＮＢのセキュリティアルゴリズムの識別子および／またはＣ−Ｖ値を含む。
【０５８６】
あるいは、ＵＥは、ｅＮＢのシステム情報を読み取ることにより、ｅＮＢのセキュリティアルゴリズムの識別子情報および／またはＣ−Ｖ値を取得してよい。したがって、ｅＮＢは、システム情報において、ｅＮＢおよび／またはＣ−Ｖ値によって使用されるセキュリティアルゴリズムの識別子をブロードキャストする必要がある。あるいは、ＡｅＮＢは、ブロードキャストモードにおいて、ＵＥのコンテキスト情報および／またはＣ−Ｖ値を有するｅＮＢのセキュリティアルゴリズムの識別子をＵＥに通知してよい。
【０５８７】
Ｓ１２０７。ＵＥは、データ伝送を行うために１つまたは複数のｅＮＢを選択することを決定し、ｅＮＢに関連付けられた中間キーＫｅＮＢ＿ｉを生成し、ＫｅＮＢ＿ｉとｅＮＢのセキュリティアルゴリズムとに基づく計算により、ｅＮＢ上で使用される暗号化キーおよび／または完全性保護キーＫenc_iおよび／またはＫint_iを取得する。
【０５８８】
ＵＥは、データ伝送を行うために１つまたは複数のｅＮＢを選択する前に、選択されたｅＮＢに対応する一意のＣＯＵＮＴと、ＡｅＮＢのＡ−ＫｅＮＢとに従って、ｅＮＢに対応する中間キーＫｅＮＢを最初に生成し、次いで、ｅＮＢに対応する取得されたＣ＿Ｖ値と計算によって取得されたＫｅＮＢとに従って、ＫｅＮＢ＊をさらに生成し、次いで、ｅＮＢ上で使用される暗号化キーおよび／または完全性保護キーＫencおよび／またはＫintを生成する。
【０５８９】
Ｓ１２０８。ＵＥは選択されたｅＮＢにアクセスし、対応するキーを使用してデータ伝送を行う。
【０５９０】
具体的には、ＵＥは、計算によってｅＮＢのための暗号化キーおよび／または完全性保護キーＫencおよび／またはＫintを取得した後、これらのキーを、ｅＮＢとの安全なデータ伝送を行うのに使用する。
【０５９１】
図１８は、本発明によるワイヤレス通信方法の実施形態１の流れ図である。図１８に示されるように、この実施形態は端末により行われ、この実施形態の方法は以下のステップを含み得る。
【０５９２】
ステップ１８０１。端末は、第１の基地局への接続をセットアップし、常時接続モードに留まり、常時接続モードは第１の基地局への接続を常に維持する。
【０５９３】
具体的には、常時接続モードに関する意味および説明については、前述の意味および説明が参照され得る。端末が第１の基地局への接続をセットアップし、常時接続モードに留まることは、第１の基地局が端末のコンテキスト情報を有すること、および、第１の基地局が、端末が第１の基地局のカバレッジ内にあることを明確に知っていること、を意味することが理解され得る。第１の基地局はＡ−ｅＮＢでよい。
【０５９４】
ステップ１８０２。端末は、第１の基地局により送信された第１の専用シグナリングを受信し、第１の専用シグナリングは、第２の基地局リスト情報を含み、第２の基地局リスト情報は、端末のコンテキスト情報を有する各第２の基地局に関する情報を含む。
【０５９５】
小さいカバレッジを有するいくつかの基地局（ｅＮＢ）が第１の基地局のカバレッジ内に存在し得、小さいカバレッジを有する基地局は第２の基地局でよいことに留意されたい。
【０５９６】
ステップ１８０３。端末は、第２の基地局リスト情報に従って、第１の基地局および／または第２の基地局を介してデータ伝送を行う。
【０５９７】
端末は、第２の基地局リスト情報に従って、端末のコンテキスト情報を有する第２の基地局に関する情報を取得し、第１の基地局、第２の基地局、または第１の基地局および第２の基地局を介してデータ伝送を行ってよい。
【０５９８】
さらに、端末が第１の基地局への接続をセットアップし、常時接続モードに留まることは、具体的には、端末が、予め設定された時間内は第１の基地局への接続を常に維持することであり得る。
【０５９９】
予め設定された時間は、少なくともサービス伝送よりも長い時間、たとえば通話よりも長い時間であり得る。あるいは、第１の基地局への接続を、予め設定された時間内に常に維持することは、すべてのサービス伝送の完了後、従来のアイドルモード（ｉｄｌｅ  ｍｏｄｅ）に入ることなく、依然として第１の基地局への接続を維持することを意味し、または、実際のデータ伝送が行われない場合、依然として第１の基地局への接続を維持することを意味してよく、または、デフォルトベアラのみセットアップされるものの実際のデータ伝送がない場合、第１の基地局への接続を維持することを意味してよい。予め設定された時間は、数分、数十分、または数時間などの様々な時間長さでよい。これは、本発明のこの実施形態では限定されない。
【０６００】
第１の基地局を介するデータ伝送を行うステップは、具体的には、第１の基地局を介する制御シグナリング伝送のみを行うステップ、または第１の基地局を介するダウンリンクデータ伝送のみを行うステップ、または第１の基地局を介するダウンリンク制御シグナリング伝送のみを行うステップでよい。
【０６０１】
端末は、第１の基地局への接続をセットアップし、常時接続モードに留まり、それにより、第１の基地局は、予め設定された時間の範囲内では端末のコンテキスト情報を常に有し、端末とのダウンリンク同期を維持する。したがって、端末が密なネットワークの中を移動するとき、第１の基地局のハンドオーバが低減されることができる。さらに、端末が密なネットワークの中を移動するとき、頻繁なシグナリング相互作用が低減され、ネットワーク全体におけるページング負荷が低減され、サービスセットアップおよび伝送におけるエンドツーエンド遅延も低減される。密なネットワークは、複数の第１の基地局および複数の第２の基地局を含み得る。
【０６０２】
さらに、方法は、ステップ１０１の前に、端末によりアクセス周波数情報を取得するステップと、アクセス周波数情報に対応する接続モードが常時接続モードであるかどうかを決定するステップとをさらに含み得、異なるアクセス周波数情報は異なる接続モードに対応する。
【０６０３】
任意選択で、端末によりアクセス周波数情報を取得するステップと、アクセス周波数情報に対応する接続モードが常時接続モードであるかどうかを決定するステップとは、具体的には、第１の基地局により送信されたシステム情報を受信するステップと、アクセス周波数情報に対応する接続モードが常時接続モードであるかどうかということを、システム情報または予め設定された構成情報から取得するステップとでよい。
【０６０４】
さらに、アクセス周波数情報に対応する接続モードが常時接続モードであるなら、端末は、アクセス周波数情報に対応する第１の基地局を選択してアクセスを行う。
【０６０５】
第１の基地局への接続をセットアップするステップの特定の実装形態のやり方は、第１の標識メッセージを第１の基地局に送信するステップであって、第１の標識メッセージが、常時接続モードで動作することを受け入れるように要求するかどうかに関する標識情報を搬送するステップと、第１の基地局により第１の標識メッセージに従って送信された接続構成情報を受信するステップであって、接続構成情報が、常時接続モードで動作するように端末を構成するかどうかということを含み、第１の標識メッセージが、ランダムアクセスメッセージ３または接続セットアップ要求メッセージを含み得るステップとでよい。
【０６０６】
さらに、第１の基地局への接続をセットアップし、常時接続モードに留まるステップは、具体的には、何らかのサービス要求が現在あるかどうかを決定し、サービス要求が現在なければ、第１の基地局との接続状態を維持し、常時接続モードに留まり、サービス要求が現在あれば、対応するベアラをセットアップするように第１の基地局に要求し、ベアラを使用することによってデータ伝送を行うステップでよい。
【０６０７】
サービス要求が現在なければ、第１の基地局との接続状態を維持するステップは、具体的には、サービス要求が現在なければ、第１の基地局により送信されたスケジューリング情報を受信することを維持するステップでよい。
【０６０８】
さらに、本発明のこの実施形態の方法は、第１の基地局により構成された間欠受信周期を受信するステップをさらに含み得、
対応して、第１の基地局により送信されたスケジューリング情報を受信することを維持するステップは、具体的には、間欠受信周期のアクティブ時間内は、第１の基地局により送信されたスケジューリング情報を受信するステップである。
【０６０９】
任意選択で、本発明のこの実施形態の方法は、スケジューリング情報の命令に従って、第１の基地局により送信された第２の専用シグナリングを受信するステップであって、第２の専用シグナリングが通知情報を含み、データ伝送のためにベアラがセットアップされる必要があると端末に通知するために通知情報が使用されるステップをさらに含み得る。
【０６１０】
任意選択で、第２の専用シグナリングは命令情報をさらに含み、
命令情報は、第２の命令情報または第３の命令情報を含み、第２の命令情報は、データ伝送を行うために少なくとも１つの第２の基地局を選択するように命令する命令情報であり、第３の命令情報は、第１の基地局を介してのみデータ伝送を行うように命令する命令情報であり、
方法は、第１の基地局により送信された第２の命令情報または第３の命令情報を受信するステップをさらに含む。
【０６１１】
任意選択で、対応するベアラをセットアップするように第１の基地局に要求し、サービス要求が現在ある場合には、ベアラを使用することによりデータ伝送を行うステップは、具体的には、
サービス要求が現在ある場合には、対応するベアラをセットアップするように第１の基地局に要求し、第１の基地局により送信された第２の専用シグナリングを受信するステップであって、第２の専用シグナリングが通知情報を含み、ベアラがデータ伝送のためにセットアップされる必要があると端末に通知するために通知情報が使用されるステップと、ベアラを使用することによりデータ伝送を行うステップとでよい。
【０６１２】
さらに、端末は、第１の基地局により送信された命令メッセージを受信し、この命令メッセージは第２の命令情報または第３の命令情報を含み、第２の命令情報は、データ伝送を行うために少なくとも１つの第２の基地局を選択するように命令する命令情報であり、第３の命令情報は、第１の基地局を介してのみデータ伝送を行うように命令する命令情報であり、端末は、第１の基地局により送信された第２の命令情報または第３の命令情報を受信する。
【０６１３】
任意選択で、第１の基地局により送信された第２の命令情報が受信された場合、端末は、第２の命令情報に従って、データ伝送を行うための少なくとも１つの第２の基地局を選択し、
選択された少なくとも１つの第２の基地局に関する情報を第１の基地局に送信する。
【０６１４】
任意選択で、端末は、データ伝送を行うための少なくとも１つの第２の基地局を選択し、選択された少なくとも１つの第２の基地局に関する情報を第１の基地局に送信する。
【０６１５】
任意選択で、方法は、スケジューリング情報の命令に従って、第１の基地局により送信された第２の専用シグナリングを受信するステップであって、第２の専用シグナリングが通知メッセージを含み、データ伝送のためにベアラがセットアップされる必要があると通知するのに通知メッセージが使用されるステップの後に、通知メッセージに従って、第１の基地局を介してのみデータ伝送を行うように決定するステップをさらに含み得る。
【０６１６】
さらに、少なくとも１つの第２の基地局における各第２の基地局が端末のコンテキスト情報を有すると決定され、かつ認識された場合には、端末は、スケジューリング要求メッセージを各第２の基地局に送信し、スケジューリング要求メッセージを使用することにより、各第２の基地局によって割り当てられたリソースを取得してデータ伝送を行い、または、
少なくとも１つの第２の基地局における各第２の基地局が端末のコンテキスト情報を有すると決定され、かつ認識された場合には、端末は、各第２の基地局に対してランダムアクセスを行い、各第２の基地局によって割り当てられたリソースを取得してデータ伝送を行う。
【０６１７】
各第２の基地局に対してランダムアクセスを行い、各第２の基地局によって割り当てられたリソースを取得してデータ伝送を行うステップは、具体的には、第１の基地局により割り当てられた一意の識別子情報を使用することにより、各第２の基地局に対してランダムアクセスを行うステップと、一意の識別子情報に従って、各第２の基地局により割り当てられたリソースを取得し、データ伝送を行うステップであって、一意の識別子情報は、端末に対応するものであり、一意のプリアンブル、または一意のプリアンブルとランダムアクセスリソースの組合せであるステップとでよい。
【０６１８】
さらに、少なくとも１つの第２の基地局における各第２の基地局が端末のコンテキスト情報を有しないと決定され、かつ認識された場合には、端末は、各第２の基地局に対してランダムアクセスを行い、ランダムアクセスプロセスにおいて、端末のコンテキスト情報と、端末が接続をセットアップした第１の基地局に関する情報とを、各第２の基地局に送信する。
【０６１９】
任意選択で、端末は、第１の基地局および／または第２の基地局を介してデータ伝送を行うステップを停止した後、常時接続モードで動作することを継続し、第１の基地局への接続をセットアップするための専用構成情報を保存する。さらに、端末は、アップリンク同期タイマを保持することを停止する、または、アップリンク同期タイマが満了した後、アップリンク同期タイマを保持することを停止する。
【０６２０】
この実施形態における前述のステップは、端末によって初期アクセスを行うための方法のプロセスである。端末は、初期アクセスを行った後、端末のコンテキスト情報を有する第２の基地局の初期リスト情報を取得し、その後、端末のためにサービスを現在提供する第２の基地局上の端末のコンテキスト情報と、他の第２の基地局上の端末のコンテキスト情報とを時間内に管理する必要があり、それにより、端末は、第２の基地局を迅速に使用してデータ伝送を行うことができる。したがって、この実施形態の方法は、端末が、第２の基地局リスト情報に従って、第１の基地局および／または第２の基地局を介してデータ伝送を行った後、第１の基地局により送信された第２の基地局リスト更新メッセージを受信するステップと、第２の基地局リスト更新メッセージに従って第２の基地局リスト情報を更新するステップと、更新された第２の基地局リスト情報を取得するステップとをさらに含み得る。
【０６２１】
任意選択で、方法は、第１の基地局により送信された第２の基地局リスト更新メッセージを受信するステップの前に、端末により、第２の基地局リスト更新要求メッセージを第１の基地局に送信するステップをさらに含み得る。
【０６２２】
任意選択で、第２の基地局リスト更新メッセージは、第１の基地局により、端末の位置情報および各第２の基地局の位置情報に従って生成される。
【０６２３】
さらに、端末は、第２の基地局リスト情報に従って、第１の基地局および／または第２の基地局を介してデータ伝送を行った後、ネットワーク内の各隣接基地局を測定し、その信号品質が第１の閾値よりも高い隣接基地局が存在する場合、更新された第２の基地局リスト情報が隣接基地局に関する情報を含むかどうかを決定する。
【０６２４】
更新された第２の基地局リスト情報が隣接基地局に関する情報を含まない場合、端末は、隣接基地局に関する情報を含む隣接基地局測定報告を第１の基地局に送信する、または隣接基地局に関する情報を含む第２の基地局リスト更新要求メッセージを第１の基地局に送信する、または更新された第２の基地局リストに隣接基地局が含まれていないことを第１の基地局に報告する。
【０６２５】
さらに、隣接基地局測定報告は、隣接基地局が端末のコンテキスト情報を有しないという標識をさらに含み得、それにより、第１の基地局が、端末のコンテキスト情報を隣接基地局に送信する。
【０６２６】
任意選択で、この実施形態の方法は、第１の基地局により送信された応答メッセージを受信するステップであって、応答メッセージが、第１の基地局により、隣接基地局測定報告に従って生成されたものであるステップと、応答メッセージに従って、隣接基地局が端末のコンテキスト情報を取得したことを認識するステップとをさらに含み得る。
【０６２７】
端末が基地局とのデータ伝送を行う前に、関連するさらなる構成が完了されなければならない。したがって、本発明のこの実施形態のワイヤレス通信方法は、第１の基地局により送信されたデフォルト構成情報を受信するステップであって、デフォルト構成情報が、端末が各第２の基地局との初期データ伝送を行うときに使用される構成情報であるステップをさらに含み、対応して、端末が、第２の基地局リスト情報に従って、第１の基地局および／または第２の基地局を介してデータ伝送を行うことは、具体的には、端末が、第２の基地局リスト情報およびデフォルト構成情報に従って、端末のコンテキスト情報を有する第２の基地局を介してデータ伝送を行うことでよい。
【０６２８】
デフォルト構成情報は、サービス、サービスのサービス品質ＱｏＳ、またはベアラに関連付けられる。
【０６２９】
さらに、この実施形態の方法は、第１の基地局により送信された第２の基地局リスト更新メッセージを受信するステップと、第２の基地局リスト更新メッセージに従って第２の基地局リスト情報を更新するステップと、更新された第２の基地局リスト情報を取得するステップとをさらに含み得る。
【０６３０】
対応して、端末が、第２の基地局リスト情報およびデフォルト構成情報に従って、端末のコンテキスト情報を有する第２の基地局を介してデータ伝送を行うことは、具体的には、端末が、更新された第２の基地局リストおよびデフォルト構成情報に従って、端末のコンテキスト情報を有する第２の基地局を介して初期データ伝送を行い、第２の基地局により送信された再構成メッセージを受信し、再構成メッセージに従って、端末に対応するデフォルト構成情報を修正し、修正された構成情報を使用することにより、端末のコンテキスト情報を有する第２の基地局とのデータ伝送を行うことでよい。
【０６３１】
移動プロセスでは、端末は、隣接する第１の基地局および隣接する第２の基地局を連続的に測定して、選択され得る可能性のある第１の基地局または第２の基地局を決定する必要がある。実際のネットワークでは、第２の基地局は、カバレッジが大きいマスタの第２の基地局とカバレッジが小さい二次的な第２の基地局とに分類され得る。端末の測定効率を改善して端末の電力消費レベルを低減するために、この実施形態の方法は、第１の基地局により送信された測定構成情報を受信するステップと、測定構成情報に従って、各基地局に対応する周波数レイヤの測定構成を完了するステップとをさらに含み得、基地局は第１の基地局および第２の基地局を含み、第２の基地局はマスタの第２の基地局および二次的な第２の基地局を含む。
【０６３２】
さらに、測定構成情報は、第１の基地局のみに対応する周波数レイヤを測定すること、または第１の基地局およびマスタの第２の基地局のみに対応する周波数レイヤを測定すること、または第１の基地局、マスタの第２の基地局、および二次的な第２の基地局のすべてに対応する周波数レイヤを測定することを含み得る。
【０６３３】
任意選択で、測定構成情報は、第１の基地局のみに対応する周波数レイヤを測定するための第１の閾値を決定すること、または第１の基地局およびマスタの第２の基地局のみに対応する周波数レイヤを測定するための第２の閾値を決定すること、または第１の基地局、マスタの第２の基地局、および二次的な第２の基地局のすべてに対応する周波数レイヤを測定するための第３の閾値を決定することをさらに含み得る。
【０６３４】
さらに、端末の現在のサービスのＱｏＳが第１の閾値よりも低い場合には、測定構成情報に従って各基地局に対応する周波数レイヤの測定構成を完了するステップは、測定構成情報に従って、第１の基地局のみに対応する周波数レイヤを測定するステップと、測定結果を取得するステップとを含み、または、端末の現在のサービスのＱｏＳが第１の閾値よりは高いが第２の閾値よりも低い場合には、測定構成情報に従って各基地局に対応する周波数レイヤの測定構成を完了するステップは、測定構成情報に従って、第１の基地局に対応する周波数レイヤおよびマスタの第２の基地局に対応する周波数レイヤを測定するステップと、測定結果を取得するステップとを含み、または、端末の現在のサービスのＱｏＳが第２の閾値または第３の閾値よりも高い場合には、測定構成情報に従って各基地局に対応する周波数レイヤの測定構成を完了するステップは、測定構成情報に従って、第１の基地局に対応する周波数レイヤ、マスタの第２の基地局に対応する周波数レイヤ、および二次的な第２の基地局に対応する周波数レイヤを測定するステップと、測定結果を取得するステップとを含む。
【０６３５】
任意選択で、この実施形態の方法は、第１の基地局により送信された、測定報告を行うかどうかに関する命令メッセージを受信するステップと、測定報告を行うかどうかに関する命令メッセージに従って、測定結果を第１の基地局に送信するかどうかを決定するステップとをさらに含む。
【０６３６】
測定報告を行うかどうかに関する命令メッセージは、第１の基地局に対応する周波数レイヤの測定報告のための命令情報、マスタの第２の基地局に対応する周波数レイヤの測定報告のための命令情報、または二次的な第２の基地局に対応する周波数レイヤの測定報告のための命令情報のうちの少なくとも１つでよい。
【０６３７】
端末の測定効率を改善して端末の電力消費レベルを低減するために、別の可能な実装形態のやり方では、この実施形態の方法は、第１の基地局により送信された測定構成パラメータ情報を受信するステップと、測定構成パラメータ情報に従って、各基地局に対応する周波数レイヤの測定管理を完了するステップとをさらに含み得、基地局は、第１の基地局および第２の基地局を含み、第２の基地局はマスタの第２の基地局および二次的な第２の基地局を含み、測定構成パラメータ情報は、第１の基地局に対応する周波数レイヤの測定構成パラメータ、マスタの第２の基地局に対応する周波数レイヤの測定構成パラメータ、または二次的な第２の基地局に対応する周波数レイヤの測定構成パラメータのうちの少なくとも１つを含む。
【０６３８】
さらに、端末の現在のサービスのＱｏＳが第１の閾値よりも低い場合には、測定構成パラメータ情報に従って各基地局に対応する周波数レイヤの測定管理を完了するステップは、第１の基地局に対応する周波数レイヤの測定構成パラメータに従って第１の基地局の周波数レイヤを測定して第１の測定結果を取得するステップを含み、または端末の現在のサービスのＱｏＳが第１の閾値よりは高いが第２の閾値よりも低い場合には、測定構成パラメータ情報に従って各基地局に対応する周波数レイヤの測定管理を完了するステップは、第１の基地局に対応する周波数レイヤの測定構成パラメータに従って第１の基地局の周波数レイヤを測定して第１の測定結果を取得するステップと、同時に、マスタの第２の基地局に対応する周波数レイヤの測定構成パラメータに従ってマスタの第２の基地局の周波数レイヤを測定して第２の測定結果を取得するステップとを含み、または端末の現在のサービスのＱｏＳが第２の閾値よりも高い場合には、測定構成パラメータ情報に従って各基地局に対応する周波数レイヤの測定管理を完了するステップは、二次的な第２の基地局に対応する周波数レイヤの測定構成パラメータに従って二次的な第２の基地局の周波数レイヤを測定して第３の測定結果を取得するステップを含む。
【０６３９】
さらに、第１の基地局に対応する周波数レイヤの測定構成パラメータに従って第１の基地局の周波数レイヤを測定するステップは、第１の基地局に対応する周波数レイヤの測定構成パラメータに従って、第１の基地局および／またはこの第１の基地局に隣接する第１の基地局を測定するステップを特に含む。
【０６４０】
マスタの第２の基地局に対応する周波数レイヤの測定構成パラメータに従って、マスタの第２の基地局の周波数レイヤを測定するステップは、マスタの第２の基地局に対応する周波数レイヤの測定構成パラメータに従って、マスタの第２の基地局および／またはこのマスタの第２の基地局に隣接するマスタの第２の基地局を測定するステップを特に含む。
【０６４１】
二次的な第２の基地局に対応する周波数レイヤの測定構成パラメータに従って、二次的な第２の基地局の周波数レイヤを測定するステップは、二次的な第２の基地局に対応する周波数レイヤの測定構成パラメータに従って、二次的な第２の基地局および／またはこの二次的な第２の基地局に隣接する二次的な第２の基地局を測定するステップを特に含む。
【０６４２】
さらに、端末は、取得された第１の測定結果を第１の基地局に送信するが、第３の測定結果は第１の基地局に送信しない。
【０６４３】
任意選択で、端末は、取得された第２の測定結果を予め設定された条件と比較し、予め設定された条件が満たされると、第２の測定結果を第１の基地局に送信する。
【０６４４】
ネットワークには多数の第１の基地局が存在する。端末の移動プロセスにおいて、端末は、一方では第１の基地局を測定する必要があり、他方では、測定結果に従ってハンドオーバされてもよく、それにより、より適切な第１の基地局にハンドオーバされる。したがって、この実施形態は、第１の基地局間の端末のモビリティを管理するステップをさらに含む。具体的には、この実施形態の方法は、現在サービングしている第１の基地局により送信されたハンドオーバコマンドメッセージを受信するステップをさらに含み、ハンドオーバコマンドメッセージは、ターゲットとする第１の基地局により制御される、端末のコンテキスト情報を有する各第２の基地局に関する情報を含み、現在サービングしている第１の基地局は、端末とのデータ伝送を現在行う第１の基地局であり、ターゲットとする第１の基地局は、現在サービングしている第１の基地局から端末がハンドオーバされる、ターゲットとする第１の基地局である。任意選択で、ハンドオーバコマンドメッセージは、ターゲットとする第１の基地局に対してランダムアクセスを行うことをスキップするように端末に命令する命令情報をさらに含み、端末は、ターゲットとする第１の基地局に対してランダムアクセスを行うことをスキップするように命令する命令情報に従って、ターゲットとする第１の基地局に対するランダムアクセスを行わない。
【０６４５】
任意選択で、ターゲットとする第１の基地局により制御され、端末のコンテキスト情報を有する各第２の基地局は、ターゲットとする第１の基地局により制御される、またはターゲットとする第１の基地局に接続される。任意選択で、ターゲットとする第１の基地局により制御され、端末のコンテキスト情報を有する各第２の基地局は、現在サービングしている第１の基地局と、ターゲットとする第１の基地局とにより共同で制御される、または現在サービングしている第１の基地局とターゲットとする第１の基地局の両方との接続関係を有する。
【０６４６】
さらに、端末は、ハンドオーバコマンドメッセージに従って、データ伝送を行うように、端末のコンテキスト情報を有する少なくとも１つの第２の基地局を選択する。
【０６４７】
さらに、端末は、現在サービングしている第１の基地局により送信されたハンドオーバコマンドメッセージを受信する前に、ネットワーク内の各第１の基地局をさらに測定して各第１の基地局の測定結果を取得してよく、第１の基地局は現在サービングしている第１の基地局および隣接する第１の基地局を含み、隣接する第１の基地局はターゲットとする第１の基地局を含む。
【０６４８】
さらに、端末は、現在サービングしている第１の基地局の測定結果および隣接する第１の基地局の測定結果に従って、ターゲットとする第１の基地局を決定し、第１のハンドオーバ要求メッセージを、現在サービングしている第１の基地局に送信し、第１のハンドオーバ要求メッセージは、ターゲットとする第１の基地局にハンドオーバされることを要求することに関する情報を含む。あるいは、端末は、隣接する第１の基地局の測定結果を現在サービングしている第１の基地局に送信し、それにより、現在サービングしている第１の基地局は、ターゲットとする第１の基地局へのハンドオーバを行うかどうかを決定する。
【０６４９】
さらに、ハンドオーバコマンドメッセージに従って、データ伝送を行うように、端末のコンテキスト情報を有する少なくとも１つの第２の基地局を選択するステップは、現在サービングしている第１の基地局の制御下でサービスを提供する第２の基地局であって、コンテキスト情報を有し、ターゲットとする第１の基地局により制御される第２の基地局を、データ伝送を行うように優先的に選択するステップを含み得る。
【０６５０】
さらに、ハンドオーバコマンドメッセージは、少なくとも１つの現在サービングしている第２の基地局とのデータ伝送を行うことを維持するように端末に命令する命令情報をさらに含み得、現在サービングしている第２の基地局は、ハンドオーバコマンドが受信される前に、端末のためにデータ伝送を提供する第２の基地局であり、端末は、ハンドオーバコマンドメッセージに従って、ターゲットとする第１の基地局へのハンドオーバを行い、同時に、少なくとも１つの現在サービングしている第２の基地局を介してデータ伝送を行うことを維持する。
【０６５１】
任意選択で、端末は、現在サービングしている第１の基地局により制御される第２の基地局を介して、ハンドオーバ完了標識を、現在サービングしている第１の基地局に送信する。
【０６５２】
第１の基地局間の端末のモビリティを管理する別の可能な実装形態のやり方では、この実施形態の方法は、ネットワーク内の各第１の基地局を測定して各第１の基地局の測定結果を取得するステップであって、第１の基地局が、現在サービングしている第１の基地局および隣接する第１の基地局を含むステップと、測定結果に従って、ターゲットとする第１の基地局を決定するステップであって、ターゲットとする第１の基地局は、端末が、現在サービングしている第１の基地局からハンドオーバされる、ターゲットとする第１の基地局であるステップと、ハンドオーバ要求メッセージを、ターゲットとする第１の基地局に送信するステップであって、ハンドオーバ要求メッセージが、現在サービングしている第１の基地局に関する情報および第２の基地局候補に関する情報を含み、第２の基地局候補が、ターゲットとする第１の基地局により制御され、またはターゲットとする第１の基地局に接続され、端末のためにサービスを提供することができるものであるステップとをさらに含み得る。
【０６５３】
さらに、端末は、ターゲットとする第１の基地局からハンドオーバ要求確認応答メッセージを受信し、ハンドオーバ要求確認応答メッセージは、第２の基地局であって、ターゲットとする第１の基地局により制御され、またはターゲットとする第１の基地局に接続され、端末のコンテキスト情報を有する、第２の基地局のリストを含み、端末は、ハンドオーバ要求確認応答メッセージに従って、データ伝送を行うように、端末のコンテキスト情報を有する少なくとも１つの第２の基地局を選択する。
【０６５４】
任意選択で、ハンドオーバ要求確認応答メッセージに従って、データ伝送を行うように、端末のコンテキスト情報を有する少なくとも１つの第２の基地局を選択するステップの後に、方法は、ハンドオーバ完了標識メッセージを、現在サービングしている第１の基地局に送信するステップ、または、ハンドオーバ完了標識メッセージを、ターゲットとする第１の基地局を介して、現在サービングしている第１の基地局に送信するステップをさらに含み得る。
【０６５５】
第１の基地局間の端末のモビリティを管理するさらに別の可能な実装形態のやり方では、この実施形態の方法は、ネットワーク内の各第１の基地局を測定して各第１の基地局の測定結果を取得するステップであって、第１の基地局が、現在サービングしている第１の基地局および隣接する第１の基地局を含むステップと、測定結果に従って、ターゲットとする第１の基地局を決定するステップであって、ターゲットとする第１の基地局は、端末が、現在サービングしている第１の基地局からハンドオーバされる、ターゲットとする第１の基地局であるステップと、ハンドオーバ要求メッセージを、現在サービングしている第１の基地局に送信するステップであって、ハンドオーバ要求メッセージが、ターゲットとする第１の基地局にハンドオーバされることを要求することに関する情報を含むステップと、現在サービングしている第１の基地局により送信されたハンドオーバコマンドメッセージを受信するステップとをさらに含み得る。
【０６５６】
さらに、ハンドオーバコマンドメッセージは、ターゲットとする第１の基地局へのハンドオーバを行うように端末に命令する命令情報と、少なくとも１つの現在サービングしている第２の基地局とのデータ伝送を行うことを維持するように端末に命令する命令情報とを含み得、現在サービングしている第２の基地局は、ハンドオーバコマンドメッセージが受信される前に、端末のためにデータ伝送を提供する第２の基地局であり、端末は、ハンドオーバコマンドメッセージに従って、ターゲットとする第１の基地局に対してハンドオーバを行い、同時に、少なくとも１つの現在サービングしている第２の基地局を介してデータ伝送を行うことを維持する。
【０６５７】
任意選択で、ハンドオーバコマンドメッセージはベアラ再構成情報をさらに含み得、端末は、現在サービングしている第１の基地局と端末の間のデータ通信サービスを、ベアラ再構成情報に従って、現在サービングしている第２の基地局へ切り替える。
【０６５８】
端末と各基地局の間の通信中のデータセキュリティを保証するために、セキュリティキーを生成するための新しいメカニズムが、本発明のネットワークアーキテクチャに提供されなければならない。この実施形態の方法は、端末が、コンテキスト情報を有する第２の基地局のリスト情報に従って、第１の基地局および／または第２の基地局を介してデータ伝送を行う前に、端末により、第１の基地局との第１のセキュリティメカニズムをセットアップするステップと、第２の基地局との第２のセキュリティメカニズムをセットアップするステップとをさらに含み得る。
【０６５９】
第２の基地局との第２のセキュリティメカニズムをセットアップするステップは、第１の基地局により送信された第２の基地局リスト情報およびセキュリティアルゴリズム情報を受信するステップであって、第２の基地局リスト情報が、コンテキスト情報を有する各第２の基地局に関する情報を含み、セキュリティアルゴリズム情報が、第２の基地局リストに含まれる各第２の基地局に対応するセキュリティアルゴリズム情報を含むステップと、第２の基地局リストから少なくとも１つの第２の基地局を選択し、少なくとも１つの第２の基地局に対応するセキュリティインデックスおよびセキュリティアルゴリズム情報に従って、各第２の基地局に対応する暗号キーおよび／または完全性保護キーを取得するステップであって、第２の基地局が、セキュリティインデックスに１対１で対応するステップとを含み得る。
【０６６０】
さらに、少なくとも１つの第２の基地局に対応するセキュリティインデックスおよびセキュリティアルゴリズム情報に従って、各第２の基地局に対応する暗号キーおよび／または完全性保護キーを取得するステップは、少なくとも１つの第２の基地局に対応するセキュリティインデックスに従って少なくとも１つのセキュリティインデックスに対応するセキュリティキーを取得し、セキュリティキーに従って計算することにより、対応するルートキーを取得するステップと、ルートキーを使用することにより、第２の基地局に対応する中間キーを取得するステップと、第２の基地局に対応する中間キーおよびセキュリティアルゴリズム情報に従って、第２の基地局に対応する暗号キーおよび／または完全性保護キーを取得するステップとを含み得る。
【０６６１】
さらに、第１の基地局および／または第２の基地局を介してデータ伝送を行うステップは、第１のセキュリティメカニズムに基づき第１の基地局を介してデータ伝送を行うステップおよび／または第２のセキュリティメカニズムに基づき第２の基地局を介してデータ伝送を行うステップを含み得る。
【０６６２】
任意選択で、第１のセキュリティメカニズムと第２のセキュリティメカニズムは互いに関連付けられ、少なくとも１つの第２の基地局に対応するセキュリティインデックスおよびセキュリティアルゴリズム情報に従って、各第２の基地局に対応する暗号キーおよび／または完全性保護キーを取得するステップは、少なくとも１つの第２の基地局に対応するセキュリティインデックスに従って少なくとも１つのセキュリティインデックスに対応するセキュリティキーおよび動的カウントを取得し、セキュリティキーに従って計算することにより、対応するルートキーを取得するステップと、ルートキーを使用することにより、第２の基地局に対応する中間キーを取得するステップと、中間キーおよび動的カウントに従って、関連する中間キーを取得するステップと、第２の基地局に対応する中間キーおよびセキュリティアルゴリズム情報に従って、第２の基地局に対応する暗号キーおよび／または完全性保護キーを取得するステップとを含み得る。
【０６６３】
この実施形態では、図１または図２に示されたネットワークアーキテクチャに基づいて、端末は、第１の基地局に対する接続をセットアップし、常時接続モードに留まり、常時接続モードは、第１の基地局に対する接続を常に維持することであり、端末は、第１の基地局により送信された第１の専用シグナリングを受信し、第１の専用シグナリングは、第２の基地局リスト情報を含み、第２の基地局リスト情報は、端末のコンテキスト情報を有する各第２の基地局に関する情報を含み、端末は、第２の基地局リスト情報に従って、第１の基地局および／または第２の基地局を介してデータ伝送を行う。端末が、予め設定された時間内は第１の基地局に対する接続を常に維持するので、このことは、端末が密なネットワークの中を移動するとき、頻繁なシグナリング相互作用を効果的に低減し、ネットワーク全体におけるページング負荷を解消し、サービスセットアップおよび伝送におけるエンドツーエンド遅延を低減し得る。
【０６６４】
図１９は、本発明によるワイヤレス通信方法の実施形態２の流れ図である。図１９に示されるように、この実施形態は第１の基地局により行われ、この実施形態の方法は以下のステップを含み得る。
【０６６５】
ステップ１９０１。第１の基地局は、端末への接続をセットアップし、常時接続モードに留まり、常時接続モードは端末への接続を常に維持する。
【０６６６】
ステップ１９０２。第１の基地局は、第１の専用シグナリングを端末に送信し、第１の専用シグナリングは第２の基地局リスト情報を含み、第２の基地局リスト情報は端末のコンテキスト情報を有する各第２の基地局に関する情報を含む。
【０６６７】
ステップ１９０３。第１の基地局は端末とのデータ伝送を行う。
【０６６８】
第１の基地局が端末への接続をセットアップし、常時接続モードに留まることは、
第１の基地局が、予め設定された時間内は第１の基地局への接続を常に維持することを含む。
【０６６９】
任意選択で、第１の基地局が端末とのデータ伝送を行うことは、第１の基地局が制御シグナリングのみを端末に伝送すること、または第１の基地局がダウンリンクデータのみを端末に伝送すること、または第１の基地局がダウンリンク制御シグナリングのみを端末に伝送することを特に含む。
【０６７０】
第１の基地局が端末への接続をセットアップし、常時接続モードに留まる前に、方法は、端末に対して常時接続モードで動作するかどうかを命令する命令情報を搬送する専用メッセージを端末に送信するステップ、または、端末により送信された、端末が常時接続モードで動作することを要求するかどうかに関する標識情報を搬送する第１の標識メッセージを受信し、第１の標識メッセージに従って、端末を、常時接続モードで動作するように構成するかどうかを決定するステップ、または、端末により送信されたランダムアクセスプリアンブルを受信した後、ランダムアクセス応答メッセージを端末に送信するステップであって、ランダムアクセス応答メッセージが、常時接続モードで動作するかどうかを端末に命令する命令情報を搬送し、それにより、端末が、ランダムアクセス応答メッセージに従って、常時接続モードで動作するかどうかを決定するステップ、または、端末により送信された接続セットアップ要求メッセージを受信した後、常時接続モードで動作するかどうかを端末に命令する命令情報を搬送する接続セットアップ応答メッセージを端末に送信するステップ、または、端末により送信された接続セットアップ要求メッセージを受信した後、常時接続モードで動作するかどうかを端末に命令する命令情報を搬送する専用メッセージを端末に送信するステップをさらに含む。
【０６７１】
第１の標識メッセージは、ランダムアクセスメッセージ３または接続セットアップ要求メッセージを含む。
【０６７２】
第１の基地局が端末への接続をセットアップし、常時接続モードに留まることは、端末により送信されたサービス要求メッセージが受信されない場合、端末に接続された状態を維持し、常時接続モードに留まること、または、端末により送信された、対応するベアラをセットアップするように要求することに関する情報を含むサービス要求メッセージが受信された場合、データ伝送を行うように、サービス要求メッセージに従って、端末のためのベアラをセットアップすることを含む。
【０６７３】
端末により送信されたサービス要求メッセージが受信されないとき、方法は、端末に関する間欠受信周期を構成するステップであって、それにより、端末が、間欠受信周期のアクティブ時間内に、第１の基地局により送信されたスケジューリング情報を受信するステップをさらに含む。
【０６７４】
第１の基地局は、端末に対して第２の専用シグナリングを受信するように命令するのに使用されるスケジューリング情報を端末に送信し、データ伝送のためにベアラがセットアップされる必要があることを端末に通知する情報を含む通知メッセージを含む第２の専用シグナリングを端末に送信する。
【０６７５】
第２の専用シグナリングは、第２の命令情報または第３の命令情報を含む命令情報をさらに含み、第２の命令情報は、データ伝送を行うために少なくとも１つの第２の基地局を選択するように端末に命令する命令情報であり、第３の命令情報は、第１の基地局を介してのみデータ伝送を行うように端末に命令する命令情報である。
【０６７６】
端末により送信されたサービス要求メッセージが受信された場合、方法は以下をさらに含む：第２の専用シグナリングを受信するように端末に命令するのに使用されるスケジューリング情報を端末に送信するステップと、データ伝送のためにベアラがセットアップされる必要があることを端末に通知する情報を含む通知メッセージを含む第２の専用シグナリングを端末に送信するステップと、ベアラを使用することにより端末とのデータ伝送を行うステップ。
【０６７７】
第１の基地局は、第２の命令情報または第３の命令情報を含む命令メッセージを端末に送信し、第２の命令情報は、データ伝送を行うために少なくとも１つの第２の基地局を選択するように命令する命令情報であり、第３の命令情報は、第１の基地局を介してのみデータ伝送を行うように命令する命令情報である。
【０６７８】
第１の基地局は、端末により送信された、選択された少なくとも１つの第２の基地局に関する情報を受信し、選択された少なくとも１つの第２の基地局に関する情報は、端末により第２の命令情報に従って選択された、少なくとも１つの第２の基地局における各第２の基地局に関する情報である。
【０６７９】
第１の基地局は、選択された少なくとも１つの第２の基地局に関する情報における各第２の基地局が端末のコンテキスト情報を有するかどうかを決定し、
端末のコンテキスト情報を有しない第２の基地局が存在する場合、端末のコンテキスト情報を、端末のコンテキスト情報を有しない第２の基地局に送信する。
【０６８０】
第１の基地局は、一意のプリアンブルまたは一意のプリアンブルとランダムアクセスチャネルリソースの組合せを端末に割り当て、それにより、端末は、データ伝送を行うように、一意のプリアンブルまたは一意のプリアンブルとランダムアクセスチャネルリソースの組合せを使用することにより、第２の基地局により割り当てられたリソースを取得する。
【０６８１】
第１の基地局は、端末とのデータ伝送を行うことを停止した後、端末への接続をセットアップするための構成情報を保存する。
【０６８２】
第１の基地局は、第２の基地局リスト更新メッセージを生成し、第２の基地局リスト更新メッセージを端末に送信し、第２の基地局リスト更新メッセージは、更新された第２の基地局リスト情報を含み、それにより、端末は、第２の基地局リスト更新メッセージに従って第２の基地局リスト情報を更新する。
【０６８３】
第２の基地局リスト更新メッセージを生成するステップは、端末の位置情報、各第２の基地局の位置情報、または端末により報告された測定報告のうちの１つまたは複数に従って、第２の基地局リスト更新メッセージを生成するステップを含む。
【０６８４】
第１の基地局は、第２の基地局リスト情報には含まれていない隣接基地局に関する情報を含む、端末により送信された隣接基地局測定報告を受信する、または、
第２の基地局リスト情報に含まれていない隣接基地局に関する情報を含む、端末により送信された第２の基地局リスト更新要求メッセージを受信する、または、
第２の基地局リストには隣接基地局が含まれていないという端末の報告を受信する。
【０６８５】
隣接基地局が端末のコンテキスト情報を有しない場合、第１の基地局は、端末のコンテキスト情報を隣接基地局に送信し、隣接基地局に関する情報を含む第２の基地局リスト更新メッセージを端末に送信する。
【０６８６】
第２の基地局測定報告は、隣接基地局が端末のコンテキスト情報を有しないことを示す情報をさらに含み、第１の基地局は、端末のコンテキスト情報を隣接基地局に送信し、第１の基地局により隣接基地局測定報告に従って生成された応答メッセージを端末に送信し、それにより、端末は、応答メッセージに従って、隣接基地局が端末のコンテキスト情報を取得したことを認識する。
【０６８７】
第１の基地局は、サービスタイプ、サービスのサービス品質ＱｏＳ、またはベアラタイプに関連した、端末が各第２の基地局と初期データ伝送を行うときに使用される構成情報であるデフォルト構成情報を、端末および各第２の基地局へ別個に送信する。
【０６８８】
第１の基地局は、第２の基地局リスト更新メッセージを端末に送信し、それにより、端末は、第２の基地局リスト更新メッセージに従って第２の基地局リスト情報を更新し、更新された第２の基地局リスト情報およびデフォルト構成情報を使用することにより、端末のコンテキスト情報を有する第２の基地局を介して初期データ伝送を行う。
【０６８９】
第１の基地局は測定構成情報を端末に送信し、測定構成情報は各基地局に対応する周波数レイヤの測定構成情報を含み、基地局は第１の基地局または第２の基地局のうちの少なくとも１つを含み、第２の基地局はマスタの第２の基地局および二次的な第２の基地局を含む。
【０６９０】
測定構成情報は、第１の基地局のみに対応する周波数レイヤを測定すること、または第１の基地局およびマスタの第２の基地局のみに対応する周波数レイヤを測定すること、または第１の基地局、マスタの第２の基地局、および二次的な第２の基地局のすべてに対応する周波数レイヤを測定することを含む。
【０６９１】
測定構成情報は、第１の基地局のみに対応する周波数レイヤを測定するための第１の閾値、または第１の基地局およびマスタの第２の基地局のみに対応する周波数レイヤを測定するための第２の閾値、または第１の基地局、マスタの第２の基地局、および二次的な第２の基地局のすべてに対応する周波数レイヤを測定するための第３の閾値をさらに含む。
【０６９２】
第１の基地局は、測定報告を行うかどうかに関する命令メッセージを端末に送信する。
【０６９３】
測定報告を行うかどうかに関する命令メッセージは、第１の基地局に対応する周波数レイヤの測定報告のための命令情報、マスタの第２の基地局に対応する周波数レイヤの測定報告のための命令情報、または二次的な第２の基地局に対応する周波数レイヤの測定報告のための命令情報のうちの少なくとも１つを含む。
【０６９４】
第１の基地局は、測定構成パラメータ情報を端末に送信し、測定構成パラメータ情報は、第１の基地局に対応する周波数レイヤの測定構成パラメータ、マスタの第２の基地局に対応する周波数レイヤの測定構成パラメータ、または二次的な第２の基地局に対応する周波数レイヤの測定構成パラメータのうちの少なくとも１つを含む。
【０６９５】
第１の基地局は、端末により送信された、第１の測定結果および第２の測定結果を含む測定結果を受信し、第１の測定結果は、端末により、第１の基地局に対応する周波数レイヤの測定構成パラメータに従って測定を行うことによって取得され、第２の測定結果は、端末により、マスタの第２の基地局に対応する周波数レイヤの測定構成パラメータに従ってマスタの第２の基地局を測定することによって取得される。
【０６９６】
さらに、第１の基地局が現在サービングしている第１の基地局であるとき、前述の方法は、現在サービングしている第１の基地局により、ハンドオーバコマンドメッセージを端末に送信するステップであって、ハンドオーバコマンドメッセージが、ターゲットとする第１の基地局により制御される、端末のコンテキスト情報を有する各第２の基地局に関する情報を含み、ターゲットとする第１の基地局が、現在サービングしている第１の基地局から端末がハンドオーバされる、ターゲットとする第１の基地局であるステップをさらに含み得る。
【０６９７】
ハンドオーバコマンドメッセージは、ターゲットとする第１の基地局に対してランダムアクセスを行うことをスキップするように端末に命令する命令情報をさらに含み、それにより、端末は、命令情報に従って、ターゲットとする第１の基地局に対してランダムアクセスを行わない。
【０６９８】
方法は、現在サービングしている第１の基地局により、ハンドオーバコマンドメッセージを端末に送信するステップの前に、端末により、現在サービングしている第１の基地局に隣接する各基地局を測定することによって取得され、端末により送信されたそれぞれの隣接する第１の基地局の測定結果を受信するステップと、それぞれの隣接する第１の基地局の測定結果に従って、ターゲットとする第１の基地局を決定するステップとをさらに含む。
【０６９９】
方法は、現在サービングしている第１の基地局により、ハンドオーバコマンドメッセージを端末に送信するステップの前に、端末により送信された、ターゲットとする第１の基地局に関する情報を含む第１のハンドオーバ要求メッセージを受信するステップをさらに含む。
【０７００】
さらに、現在サービングしている第１の基地局は、第２のハンドオーバ要求メッセージを、ターゲットとする第１の基地局に送信し、第２のハンドオーバ要求メッセージは、端末のコンテキスト情報と、端末のコンテキスト情報を現在有する各第２の基地局に関する情報とを含む。
【０７０１】
さらに、現在サービングしている第１の基地局は、ハンドオーバ命令を、端末に現在サービスを提供している第２の基地局に送信し、それにより、端末に現在サービスを提供している第２の基地局がハンドオーバ命令に従ってデータ伝送を行う。
【０７０２】
任意選択で、端末に現在サービスを提供している第２の基地局は、現在サービングしている第１の基地局によって制御され端末のコンテキスト情報を有する第２の基地局、または現在サービングしている第１の基地局に接続され端末のコンテキスト情報を有する第２の基地局である。
【０７０３】
ハンドオーバ命令を、端末に現在サービスを提供している第２の基地局に送信し、それにより、端末に現在サービスを提供している第２の基地局がハンドオーバ命令に従ってデータ伝送を行うステップは、ターゲットとする第１の基地局に関する情報を含むハンドオーバ命令を、端末に現在サービスを提供している第２の基地局に送信し、それにより、端末に現在サービスを提供している第２の基地局が、ハンドオーバ命令に従って、ターゲットとする第１の基地局の制御下で端末とのデータ伝送を行うことができるかどうかを決定するステップを含む。
【０７０４】
ハンドオーバ命令を、端末に現在サービスを提供している第２の基地局に送信し、それにより、端末に現在サービスを提供している第２の基地局がハンドオーバ命令に従ってデータ伝送を行うステップは、端末とのデータ伝送を行うことを停止するように命令する情報を含むハンドオーバ命令を、端末に現在サービスを提供している第２の基地局に送信し、それにより、端末に現在サービスを提供している第２の基地局が、ハンドオーバ命令に従って、端末とのデータ伝送を行うことを停止するステップを含む。
【０７０５】
ハンドオーバ命令を、端末に現在サービスを提供している第２の基地局に送信し、それにより、端末に現在サービスを提供している第２の基地局がハンドオーバ命令に従ってデータ伝送を行うステップは、端末とのデータ伝送を行うことを継続するように命令する情報を含むハンドオーバ命令を、端末に現在サービスを提供している第２の基地局に送信し、それにより、端末に現在サービスを提供している第２の基地局が、ハンドオーバ命令に従って、端末とのデータ伝送を行うことを継続するステップを含む。
【０７０６】
ハンドオーバコマンドメッセージは第２の基地局命令情報をさらに含み、第２の基地局命令情報は、少なくとも１つの現在サービングしている第２の基地局とのデータ伝送を行うことを維持するように端末に命令する命令情報である。
【０７０７】
さらに、現在サービングしている第１の基地局は、共同制御条件を満たす第２の基地局に関する情報を含む第２の基地局制御ネゴシエーションメッセージを、ターゲットとする第１の基地局に送信し、ターゲットとする第１の基地局により送信された第２の基地局ネゴシエーション応答メッセージを受信し、第２の基地局ネゴシエーション応答メッセージは、第２の基地局制御ネゴシエーションメッセージに従って生成された応答メッセージであって、第２の基地局に関する情報を含み、第２の基地局に関する情報は、隣接する第１の基地局により決定された、共同で制御できるもの、または第２の基地局制御ネゴシエーションメッセージに含まれる、第２の基地局に関する情報の確認応答であって、共同で制御できるものである。
【０７０８】
方法は、第２の基地局制御ネゴシエーションメッセージを、ターゲットとする第１の基地局に送信する前に、ネットワークにおける各第２の基地局の位置情報と、現在サービングしている第１の基地局およびターゲットとする第１の基地局の位置情報とに従って、共同制御条件を満たす第２の基地局を取得するステップであって、共同制御条件を満たす第２の基地局が、現在サービングしている第１の基地局およびターゲットとする第１の基地局により共同で制御される第２の基地局であるステップをさらに含む。
【０７０９】
任意選択で、現在サービングしている第１の基地局は、端末により送信された第１のハンドオーバ要求メッセージを受信した後、第２の基地局ネゴシエーション応答メッセージに従って、第２のハンドオーバ要求メッセージを、ターゲットとする第１の基地局に送信し、第２のハンドオーバ要求メッセージは、端末のコンテキスト情報と、共同制御条件を満たす第２の基地局に関する情報とを含む。
【０７１０】
この実施形態により提供されるワイヤレス通信方法は、図６に示された基地局の処理を実施するのに使用される。実装形態原理とその技術的効果は類似しており、ここでは繰り返されない。
【０７１１】
本発明の実施形態における受信モジュール２３は、基地局の受信器に対応し得る、または基地局のトランシーバに対応し得ることに留意されたい。送信モジュール２２は基地局の送信器に対応し得る、または基地局のトランシーバに対応し得る。処理モジュール２１は基地局のプロセッサに対応し得る。本明細書において、プロセッサは、中央処理装置（Ｃｅｎｔｒａｌ  Ｐｒｏｃｅｓｓｉｎｇ  Ｕｎｉｔ、ＣＰＵ）、または特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、または本発明のこの実施形態を実施する１つもしくは複数の集積回路でよい。基地局は記憶装置をさらに含み得る。記憶装置は命令コードを記憶するように構成される。プロセッサは、記憶装置内の命令コードを呼び出して、本発明のこの実施形態における受信モジュール２３および送信モジュール２２を、前述の動作を行うように制御する。
【０７１２】
本発明の実施形態における送信モジュール１３は、ユーザ機器の送信器に対応し得、またはユーザ機器のトランシーバに対応し得る。受信モジュール１２は、ユーザ機器の受信器に対応し得、またはユーザ機器のトランシーバに対応し得る。処理モジュール１１はユーザ機器のプロセッサに対応し得る。本明細書において、プロセッサは、ＣＰＵでよく、またはＡＳＩＣでよく、または本発明のこの実施形態を実施する１つもしくは複数の集積回路でよい。ユーザ機器は記憶装置をさらに含み得る。記憶装置は命令コードを記憶するように構成される。プロセッサは、記憶装置内の命令コードを呼び出して、本発明のこの実施形態における送信モジュール１３および受信モジュール１２を、前述の動作を行うように制御する。
【０７１３】
図１に示されたワイヤレス通信システムでは、第１の基地局は、ワイヤレス通信システムにおけるサービスセットアップメッセージのスケジューリングおよび伝送の機能、またはパブリックセキュリティメッセージの生成、スケジューリング、および伝送の機能、またはベアラのセットアップ、修正、および解放を管理する機能、またはアクセス層セキュリティ制御の機能、またはサービスのスケジューリングおよび伝送をブロードキャストする機能を有することに留意されたい。具体的には、第１の基地局は、本発明の前述の実施形態により提供される基地局でよい。第１の基地局の動作原理については、本発明の前述の方法実施形態の説明が参照されてよく、第１の基地局の構造については、前述の装置実施形態の説明が参照されてよく、詳細が再びここで説明されることはない。端末は、本発明の前述の実施形態により提供される端末でよい。端末の動作原理については、本発明の前述の方法実施形態の説明が参照されてよく、端末の構造については、前述の装置実施形態の説明が参照されてよく、詳細が再びここで説明されることはない。
ワイヤレス通信システムは、モビリティ管理エンティティをさらに含み得る。モビリティ管理エンティティは、第１の基地局に接続され、通信システムとロングタームエボリューション通信システムの間のハンドオーバ中のモビリティ管理エンティティの選択のために構成され、または、通信システムと２Ｇもしくは３Ｇの通信システムの間のハンドオーバ中にサービングしているＧＰＲＳサポートノードを選択するように構成される。
【０７１４】
図２に示されたワイヤレス通信システムでは、第１の基地局は、ワイヤレス通信システムにおけるサービスセットアップメッセージのスケジューリングおよび伝送の機能、またはパブリックセキュリティメッセージの生成、スケジューリング、および伝送の機能、またはベアラのセットアップ、修正、および解放を管理する機能、またはアクセス層セキュリティ制御の機能、またはサービスのスケジューリングおよび伝送をブロードキャストする機能、または通信システムとロングタームエボリューション通信システムの間のハンドオーバ中のモビリティ管理エンティティを選択する機能、または、通信システムと２Ｇもしくは３Ｇの通信システムの間のハンドオーバ中にサービングしているＧＰＲＳサポートノードを選択する機能を有することに留意されたい。具体的には、第１の基地局は、本発明の前述の実施形態により提供される基地局でよい。第１の基地局の動作原理については、本発明の前述の方法実施形態の説明が参照されてよく、第１の基地局の構造については、前述の装置実施形態の説明が参照されてよく、詳細が再びここで説明されることはない。端末は、本発明の前述の実施形態により提供される端末でよい。端末の動作原理については、本発明の前述の方法実施形態の説明が参照されてよく、端末の構造については、前述の装置実施形態の説明が参照されてよく、詳細が再びここで説明されることはない。
【０７１５】
本発明において提供されるいくつかの実施形態では、開示された装置および方法が他のやり方で実施され得ることを理解されたい。たとえば、説明された装置実施形態は例にすぎない。たとえば、ユニット分割は論理的な機能分割にすぎず、実際の実装形態では他の分割であり得る。たとえば、複数のユニットまたはコンポーネントが別のシステムへと組み合わされてよく、もしくは統合されてよく、または、いくつかの機能が無視されてよく、もしくは行われなくてよい。加えて、表示された、または論じられた、相互結合もしくは直接結合または通信結合は、いくつかのインターフェイスを使用することにより実施され得る。装置またはユニットの間の間接的な結合または通信結合は、電子的形態、機械的形態、または他の形態で実施され得る。
【０７１６】
個別の部品として説明されたユニットは、物理的に個別でも個別でなくてもよく、ユニットとして表示された部分は物理的ユニットであってもなくてもよく、１つの位置に配置されてよく、または複数のネットワークユニットに分散されてよい。ユニットのうちのいくつかまたはすべては、実施形態の解決策の目的を達成するための実際の必要性に従って選択されてよい。
【０７１７】
加えて、本発明の実施形態における機能ユニットは、１つの処理ユニットへと統合されてよく、または各々のユニットが単独で物理的に存在してよく、または２つ以上のユニットが１つのユニットへと統合される。統合されたユニットは、ハードウェアの形態で実施されてよく、またはソフトウェア機能ユニットに加えてハードウェアの形態で実施されてよい。
【０７１８】
前述の統合されたユニットは、ソフトウェア機能ユニットの形態で実施されるとき、コンピュータ可読記憶媒体に記憶され得る。ソフトウェア機能ユニットは、記憶媒体に記憶され、本発明の実施形態で説明された方法のステップの部分を行うようにコンピュータデバイス（パソコン、サーバ、またはネットワークデバイスであり得る）またはプロセッサ（ｐｒｏｃｅｓｓｏｒ）に命令するためのいくつかの命令を含む。前述の記憶媒体は、ＵＳＢフラッシュドライブ、リムーバブルハードディスク、読取り専用メモリ（Ｒｅａｄ−ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなど、プログラムコードを記憶することができる任意の媒体を含む。
【０７１９】
前述の機能モジュールの分割は、好都合で簡潔な説明のために、例証のための例として採用されていることが、当業者には明白に理解されよう。実際の用途では、前述の機能は別々の機能モジュールに割り当てられることができ、要件に従って実施されることができ、すなわち、装置の内部構造は、前述の機能のすべてまたは部分を実施するために、別々の機能モジュールに分割される。前述の装置の詳細な動作プロセスについては、前述の方法実施形態の対応するプロセスが参照されてよく、ここでは詳細は説明されない。
【０７２０】
最後に、前述の実施形態は、単に本発明の技術的解決策を説明するように意図されており、本発明を限定するためのものではないことに留意されたい。本発明は、前述の実施形態を参照しながら詳細に説明されているが、当業者なら、本発明の実施形態の技術的解決策の範囲から逸脱することなく、前述の実施形態で説明された技術的解決策に対する修正形態をなお作製し得ること、または、そのいくつかもしくはすべての技術的特徴に対する等価な置換を作製し得ることを理解するはずである。
【図１】
0006526203.tif 000002
【図２】
0006526203.tif 000003
【図３】
0006526203.tif 000004
【図４】
0006526203.tif 000005
【図５】
0006526203.tif 000006
【図６】
0006526203.tif 000007
【図７】
0006526203.tif 000008
【図８】
0006526203.tif 000009
【図９】
0006526203.tif 000010
【図１０】
0006526203.tif 000011
【図１１】
0006526203.tif 000012
【図１２】
0006526203.tif 000013
【図１３】
0006526203.tif 000014
【図１４Ａ】
0006526203.tif 000015
【図１４Ｂ】
0006526203.tif 000016
【図１５】
0006526203.tif 000017
【図１６】
0006526203.tif 000018
【図１７】
0006526203.tif 000019
【図１８】
0006526203.tif 000020
【図１９】
0006526203.tif 000021